(57)【要約】  この出願は、システムメッセージ伝送方法、装置及びシステムを提供する。第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよく、それにより、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の間の相互干渉を回避でき、それにより、SIB1の伝送信頼性が改善できる。
2021503816.tif 000002
【特許請求の範囲】
【請求項１】
システムメッセージ伝送方法であって、
第1の通信デバイスにより、マスター情報ブロックMIBメッセージを構成するステップであり、
前記MIBメッセージは、SIB1のスケジューリング情報を含むか、或いは、前記MIBメッセージは、前記スケジューリング情報と、キャリアの動作モード及び第1の情報のうち少なくとも1つとを含み、
前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報と、前記SIB1を伝送するために使用される前記非アンカーキャリア上の前記SIB1の伝送モード情報とのうち少なくとも1つを含む、ステップと、
前記第1の通信デバイスにより、前記MIBメッセージを第2の通信デバイスに送信するステップと、
前記第1の通信デバイスにより、前記スケジューリング情報に基づいて、或いは、前記スケジューリング情報と、前記キャリアの前記動作モード及び前記第1の情報のうち少なくとも1つとに基づいて、前記SIB1を前記第2の通信デバイスに伝送するステップと
を含む方法。
【請求項２】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含むか、或いは、
前記状態情報は、以下の状態、すなわち、前記SIB1がアンカーキャリア上でのみ伝送されることと、前記SIB1がアンカーキャリア及び非アンカーキャリア上で伝送されることとのうち1つを含み、
前記第1の通信デバイスにより、前記スケジューリング情報と、前記第1の情報とに基づいて、前記SIB1を前記第2の通信デバイスに伝送することは、
前記第1の通信デバイスにより、前記スケジューリング情報と、前記状態情報とに基づいて、アンカーキャリア及び/又は非アンカーキャリア上で前記SIB1を前記第2の通信デバイスに伝送することを決定することと、
前記第1の通信デバイスが、前記非アンカーキャリア上で前記SIB1を伝送することを決定するとき、前記第1の通信デバイスにより、前記SIB1を伝送するために使用される前記非アンカーキャリアを決定することと
を含む、請求項１に記載の方法。
【請求項３】
前記第1の情報は、前記SIB1を伝送するために使用される前記時間領域位置情報を更に含み、前記SIB1を伝送するために使用される前記時間領域位置情報は、以下の位置、すなわち、サブフレーム位置と、無線フレーム位置と、ハイパーフレーム位置と、シンボル位置と、スロット位置とのうち1つを含み、
前記第1の通信デバイスにより、前記スケジューリング情報と、前記状態情報とに基づいて、アンカーキャリア及び/又は非アンカーキャリア上で前記SIB1を前記第2の通信デバイスに伝送することを決定することは、
前記第1の通信デバイスにより、前記スケジューリング情報と、前記状態情報と、前記時間領域位置情報とに基づいて、前記時間領域位置情報により示され且つ前記アンカーキャリア及び/又は前記SIB1を伝送するために使用される前記非アンカーキャリア上にある時間領域位置において、前記SIB1を前記第2の通信デバイスに伝送することを決定することを含む、請求項２に記載の方法。
【請求項４】
前記第1の情報は、前記SIB1を伝送するために使用される前記時間領域位置情報を含み、前記時間領域位置情報は、以下の位置、すなわち、サブフレーム位置と、無線フレーム位置と、ハイパーフレーム位置と、シンボル位置と、スロット位置とのうち1つを含み、
前記第1の通信デバイスにより、前記スケジューリング情報と、前記第1の情報とに基づいて、前記SIB1を前記第2の通信デバイスに伝送することは、
前記第1の通信デバイスにより、前記SIB1を伝送するために使用されるキャリアを決定することであり、前記キャリアは、アンカーキャリア及び/又は前記SIB1を伝送するために使用される非アンカーキャリアを含む、ことと、
前記第1の通信デバイスにより、前記時間領域位置情報により示され且つ前記アンカーキャリア及び/又は前記SIB1を伝送するために使用される前記非アンカーキャリア上にある時間領域位置において、前記スケジューリング情報に基づいて、前記SIB1を前記第2の通信デバイスに伝送することと
を含む、請求項１に記載の方法。
【請求項５】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記第1の通信デバイスにより、前記スケジューリング情報と、前記第1の情報とに基づいて、前記SIB1を前記第2の通信デバイスに伝送することは、
前記第1の通信デバイスにより、前記SIB1を伝送するために使用される前記非アンカーキャリアを決定することと、
前記第1の通信デバイスにより、前記周波数領域位置情報と、前記アンカーキャリアとに基づいて、前記SIB1を伝送するために使用される前記非アンカーキャリアの周波数領域位置を決定することと、
前記第1の通信デバイスにより、前記スケジューリング情報に基づいて、前記周波数領域位置に対応し且つ前記SIB1を伝送するために使用される前記非アンカーキャリア上で前記SIB1を伝送すること、又は、前記第1の通信デバイスにより、前記スケジューリング情報に基づいて、前記アンカーキャリア及び前記周波数領域位置に対応し且つ前記SIB1を伝送するために使用される前記非アンカーキャリア上で前記SIB1を前記第2の通信デバイスに伝送することと
を含む、請求項１に記載の方法。
【請求項６】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数は第2の状態に対応し、前記第2の状態は、前記SIB1が非アンカーキャリア上でのみ伝送されること、又は、前記SIB1がアンカーキャリア及び非アンカーキャリア上で伝送されることであり、
前記スケジューリング情報は、前記SIB1を伝送するために使用されるトランスポートブロックサイズと、繰り返し数とを決定するために使用され、
前記第1の通信デバイスにより、前記スケジューリング情報に基づいて、前記SIB1を前記第2の通信デバイスに伝送することは、
前記第1の通信デバイスにより、前記繰り返し数が前記第1の状態又は前記第2の状態に対応すると決定することと、
前記第1の通信デバイスにより、前記第1の状態又は前記第2の状態に基づいて、前記アンカーキャリア及び/又は前記非アンカーキャリア上で前記SIB1を前記第2の通信デバイスに伝送することと、
前記第1の通信デバイスが前記非アンカーキャリア上で前記SIB1を伝送することを決定するとき、前記第1の通信デバイスにより、前記SIB1を伝送するために使用される前記非アンカーキャリアを決定することと
を含む、請求項１に記載の方法。
【請求項７】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値に対応する第2の状態は、前記SIB1を伝送するために使用される前記状態情報に基づいて決定され、前記第2の状態は、前記SIB1が非アンカーキャリア上でのみ伝送されること、又は、前記SIB1がアンカーキャリア上でのみ伝送されることであり、
前記スケジューリング情報は、前記SIB1を伝送するために使用されるトランスポートブロックサイズと、繰り返し数とを決定するために使用され、
前記スケジューリング情報内の前記繰り返し数が前記第1の状態に対応するとき、前記MIBメッセージは、前記SIB1の前記スケジューリング情報と、前記キャリアの前記動作モードとを含み、
前記スケジューリング情報内の前記繰り返し数が前記第2の状態に対応するとき、前記MIBメッセージは、前記SIB1の前記スケジューリング情報と、前記キャリアの前記動作モードと、前記SIB1を伝送するために使用される前記状態情報を含む前記第1の情報とを含み、
前記第1の通信デバイスにより、前記スケジューリング情報と、前記キャリアの前記動作モード及び前記第1の情報のうち少なくとも1つとに基づいて、前記SIB1を前記第2の通信デバイスに伝送することは、
前記スケジューリング情報内の前記繰り返し数が前記いくつかの繰り返し数の値に属するとき、前記いくつかの繰り返し数の値に対応する前記第1の状態と、前記スケジューリング情報とに基づいて、前記アンカーキャリア上で前記SIB1を前記第2の通信デバイスに伝送すること、又は、
前記スケジューリング情報内の前記繰り返し数が前記他の繰り返し数に属するとき、前記スケジューリング情報に基づいて、前記アンカーキャリア上で前記SIB1を前記第2の通信デバイスに伝送すること、又は、前記スケジューリング情報と、前記キャリアの前記動作モードと、前記第1の情報内にあり且つ前記SIB1を伝送するために使用される前記状態情報とに基づいて、前記非アンカーキャリア上で前記SIB1を前記第2の通信デバイスに伝送すること
を含み、
前記第1の通信デバイスにより、前記非アンカーキャリア上で前記SIB1を伝送することは、前記第1の通信デバイスにより、前記SIB1を伝送するために使用される前記非アンカーキャリアを決定することを含む、請求項１に記載の方法。
【請求項８】
前記キャリアの前記動作モードは、前記SIB1を伝送するために使用される前記非アンカーキャリアの動作モード情報を含むか、或いは、前記キャリアの前記動作モードは、前記アンカーキャリアの動作モードと、前記SIB1を伝送するために使用される前記非アンカーキャリアの動作モード情報とを含み、
前記スケジューリング情報と、前記キャリアの前記動作モードと、前記第1の情報内にあり且つ前記SIB1を伝送するために使用される前記状態情報とに基づいて、前記SIB1を伝送するために使用される前記非アンカーキャリア上で前記SIB1を前記第2の通信デバイスに伝送することは、
前記第1の通信デバイスにより、前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つである、ことと、
前記第1の通信デバイスにより、前記スタンドアローン動作モードに基づいて、前記SIB1を伝送するために使用される前記非アンカーキャリア上の前記SIB1の伝送リソースが前記アンカーキャリア上の前記SIB1の伝送リソースと同じであると決定すること、及び、前記第1の通信デバイスにより、前記スケジューリング情報と、前記非アンカーキャリア上の前記SIB1の前記伝送リソースとに基づいて、前記非アンカーキャリア上で前記SIB1を前記第2の通信デバイスに伝送すること、又は、
前記第1の通信デバイスにより、前記ガードバンド動作モード又は前記帯域内動作モードに基づいて、前記SIB1を伝送するために使用される前記非アンカーキャリア上の前記SIB1の伝送リソースを決定することと、
前記第1の通信デバイスにより、前記スケジューリング情報と、前記SIB1を伝送するために使用される前記非アンカーキャリア上の前記SIB1の前記伝送リソースとに基づいて、前記SIB1を伝送するために使用される前記非アンカーキャリア上で前記SIB1を前記第2の通信デバイスに伝送することと
を含む、請求項７に記載の方法。
【請求項９】
前記キャリアの前記動作モードは、前記SIB1を伝送するために使用される前記非アンカーキャリアの動作モード情報を含むか、或いは、前記キャリアの前記動作モードは、アンカーキャリアの動作モードと、前記SIB1を伝送するために使用される前記非アンカーキャリアの動作モード情報とを含み、
前記第1の通信デバイスにより、前記スケジューリング情報と、前記キャリアの前記動作モードとに基づいて、前記SIB1を前記第2の通信デバイスに伝送することは、
前記第1の通信デバイスにより、前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つを含む、ことと、
前記第1の通信デバイスにより、前記スタンドアローン動作モードに基づいて、前記非アンカーキャリア上の前記SIB1伝送の繰り返し数がアンカーキャリア上の前記SIB1伝送の繰り返し数と同じであると決定すること、及び、
前記第1の通信デバイスにより、前記スケジューリング情報と、前記繰り返し数とに基づいて、前記SIB1を伝送するために使用される前記非アンカーキャリア上で前記SIB1を伝送すること、又は、前記第1の通信デバイスにより、前記スケジューリング情報に基づいて、前記アンカーキャリア上で前記SIB1を前記第2の通信デバイスに伝送すること、及び、前記第1の通信デバイスにより、前記繰り返し数と、前記スケジューリング情報とに基づいて、前記SIB1を伝送するために使用される前記非アンカーキャリア上で前記SIB1を前記第2の通信デバイスに伝送すること、又は、
前記第1の通信デバイスにより、前記スタンドアローン動作モードに基づいて、前記SIB1を伝送するために使用される前記非アンカーキャリア上の前記SIB1の伝送リソースがアンカーキャリア上の前記SIB1の伝送リソースと同じであると決定すること、及び、
前記第1の通信デバイスにより、前記スケジューリング情報と、前記伝送リソースとに基づいて、前記非アンカーキャリア上で前記SIB1に伝送すること、又は、前記第1の通信デバイスにより、前記スケジューリング情報に基づいて、前記アンカーキャリア上で前記SIB1を前記第2の通信デバイスに伝送すること、及び、前記第1の通信デバイスにより、前記伝送リソースと、前記スケジューリング情報とに基づいて、前記非アンカーキャリア上で前記SIB1を前記第2の通信デバイスに伝送すること、又は、
前記第1の通信デバイスにより、前記ガードバンド動作モード又は前記帯域内動作モードに基づいて、前記非アンカーキャリア上の前記SIB1の繰り返し数を決定すること、及び、
前記第1の通信デバイスにより、前記非アンカーキャリア上の前記SIB1の前記繰り返し数と、前記スケジューリング情報とに基づいて、前記非アンカーキャリア上で前記SIB1を前記第2の通信デバイスに伝送すること、又は、
前記第1の通信デバイスにより、前記スケジューリング情報に基づいて、前記アンカーキャリア上で前記SIB1を前記第2の通信デバイスに伝送すること、及び、前記第1の通信デバイスにより、前記非アンカーキャリア上の前記SIB1の前記繰り返し数と、前記スケジューリング情報とに基づいて、前記非アンカーキャリア上で前記SIB1を前記第2の通信デバイスに伝送すること、又は、
前記第1の通信デバイスにより、前記ガードバンド動作モード又は前記帯域内動作モードに基づいて、前記非アンカーキャリア上の前記SIB1の伝送リソースを決定すること、及び、
前記第1の通信デバイスにより、前記非アンカーキャリア上の前記SIB1の前記伝送リソースと、前記スケジューリング情報とに基づいて、前記非アンカーキャリア上で前記SIB1を前記第2の通信デバイスに伝送すること、又は、
前記第1の通信デバイスにより、前記スケジューリング情報に基づいて、前記アンカーキャリア上で前記SIB1を前記第2の通信デバイスに伝送すること、及び、前記第1の通信デバイスにより、前記非アンカーキャリア上の前記SIB1の前記伝送リソースと、前記スケジューリング情報とに基づいて、前記非アンカーキャリア上で前記SIB1を前記第2の通信デバイスに伝送することと
を含み、
前記第1の通信デバイスにより、前記非アンカーキャリア上で前記SIB1を伝送することは、前記第1の通信デバイスにより、前記SIB1を伝送するために使用される前記非アンカーキャリアを決定することを含む、請求項１に記載の方法。
【請求項１０】
前記第1の情報は、前記SIB1を伝送するために使用される前記非アンカーキャリアの周波数領域位置情報を更に含み、前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記第1の通信デバイスにより、前記SIB1を伝送するために使用される前記非アンカーキャリアを決定することは、
前記第1の通信デバイスにより、前記周波数領域位置情報と、前記アンカーキャリアとに基づいて、前記SIB1を伝送するために使用される前記非アンカーキャリアの周波数領域位置を決定することと、
前記第1の通信デバイスにより、前記周波数領域位置に対応する非アンカーキャリアを決定することと
を含む、請求項２乃至４及び６乃至９のうちいずれか１項に記載の方法。
【請求項１１】
システムメッセージ伝送方法であって、
第2の通信デバイスにより、第1の通信デバイスからマスター情報ブロックMIBメッセージを受信するステップであり、前記MIBメッセージは、SIB1のスケジューリング情報を含むか、或いは、前記MIBメッセージは、前記スケジューリング情報と、キャリアの動作モード及び第1の情報のうち少なくとも1つとを含み、前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報と、前記SIB1を伝送するために使用される前記非アンカーキャリア上の前記SIB1の伝送モード情報とのうち少なくとも1つを含む、ステップと、
前記第2の通信デバイスにより、前記スケジューリング情報に基づいて、或いは、前記スケジューリング情報と、前記キャリアの前記動作モード及び前記第1の情報のうち少なくとも1つとに基づいて、前記第1の通信デバイスから前記SIB1を受信するステップと
を含む方法。
【請求項１２】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含むか、或いは、
前記状態情報は、以下の状態、すなわち、前記SIB1がアンカーキャリア上でのみ伝送されることと、前記SIB1がアンカーキャリア及び非アンカーキャリア上で伝送されることとのうち1つを含み、
前記第2の通信デバイスにより、前記スケジューリング情報と、前記第1の情報とに基づいて、前記第1の通信デバイスから前記SIB1を受信することは、
前記第2の通信デバイスにより、前記スケジューリング情報と、前記状態情報とに基づいて、前記アンカーキャリア及び/又は前記非アンカーキャリア上で前記第1の通信デバイスから前記SIB1を受信することを決定することと、
前記第2の通信デバイスが、非アンカーキャリア上で前記第1の通信デバイスから前記SIB1を受信することを決定するとき、前記第2の通信デバイスにより、前記SIB1を受信するために使用される非アンカーキャリアを決定することと
を含む、請求項１１に記載の方法。
【請求項１３】
前記第1の情報は、前記SIB1を伝送するために使用される前記時間領域位置情報を更に含み、前記SIB1を伝送するために使用される前記時間領域位置情報は、以下の位置、すなわち、サブフレーム位置と、無線フレーム位置と、ハイパーフレーム位置と、シンボル位置と、スロット位置とのうち1つを含み、
前記第2の通信デバイスにより、前記スケジューリング情報と、前記状態情報とに基づいて、前記アンカーキャリア及び/又は前記非アンカーキャリア上で前記第1の通信デバイスから前記SIB1を受信することを決定することは、
前記第2の通信デバイスにより、前記スケジューリング情報と、前記状態情報と、前記時間領域位置情報とに基づいて、前記時間領域位置情報により示され且つ前記アンカーキャリア及び/又は前記SIB1を伝送するために使用される前記非アンカーキャリア上にある時間領域位置において、前記第1の通信デバイスから前記SIB1を受信することを決定することを含む、請求項１２に記載の方法。
【請求項１４】
前記第1の情報は、前記SIB1を伝送するために使用される前記時間領域位置情報を含み、前記時間領域位置情報は、以下の位置、すなわち、サブフレーム位置と、無線フレーム位置と、ハイパーフレーム位置と、シンボル位置と、スロット位置とのうち1つを含み、
前記第2の通信デバイスにより、前記スケジューリング情報と、前記第1の情報とに基づいて、前記第1の通信デバイスから前記SIB1を受信することは、
前記第2の通信デバイスにより、前記SIB1を受信するために使用されるキャリアを決定することであり、前記キャリアは、アンカーキャリア及び/又は前記SIB1を伝送するために使用される非アンカーキャリアを含む、ことと、
前記第2の通信デバイスにより、前記時間領域位置情報により示され且つ前記アンカーキャリア及び/又は前記SIB1を伝送するために使用される前記非アンカーキャリア上にある時間領域位置において、前記スケジューリング情報に基づいて、前記第1の通信デバイスから前記SIB1を受信することと
を含む、請求項１１に記載の方法。
【請求項１５】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記第2の通信デバイスにより、前記スケジューリング情報と、前記第1の情報とに基づいて、前記第1の通信デバイスから前記SIB1を受信することは、
前記第2の通信デバイスにより、前記SIB1を受信するために使用される前記非アンカーキャリアを決定することと、
前記第2の通信デバイスにより、前記周波数領域位置情報と、前記アンカーキャリアとに基づいて、前記SIB1を伝送するために使用される前記非アンカーキャリアの周波数領域位置を決定することと、
前記第2の通信デバイスにより、前記スケジューリング情報に基づいて、前記周波数領域位置に対応し且つ前記SIB1を伝送するために使用される前記非アンカーキャリア上で前記第1の通信デバイスから前記SIB1を受信すること、又は、前記第2の通信デバイスにより、前記スケジューリング情報に基づいて、前記アンカーキャリア及び前記周波数領域位置に対応し且つ前記SIB1を伝送するために使用される前記非アンカーキャリア上で前記第1の通信デバイスから前記SIB1を受信することと
を含む、請求項１１に記載の方法。
【請求項１６】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値は第2の状態に対応し、前記第2の状態は、前記SIB1が非アンカーキャリア上でのみ伝送されること、又は、前記SIB1がアンカーキャリア及び非アンカーキャリア上で伝送されることであり、
前記スケジューリング情報は、前記SIB1を伝送するために使用されるトランスポートブロックサイズと、繰り返し数とを決定するために使用され、
前記第2の通信デバイスにより、前記スケジューリング情報に基づいて、前記第1の通信デバイスから前記SIB1を受信することは、
前記第2の通信デバイスにより、前記繰り返し数が前記第1の状態又は前記第2の状態に対応すると決定することと、
前記第2の通信デバイスにより、前記第1の状態又は前記第2の状態に基づいて、前記アンカーキャリア及び/又は前記非アンカーキャリア上で前記第1の通信デバイスから前記SIB1を受信することと、
前記第2の通信デバイスが、非アンカーキャリア上で前記第1の通信デバイスから前記SIB1を受信することを決定するとき、前記第2の通信デバイスにより、前記SIB1を受信するために使用される非アンカーキャリアを決定することと
を含む、請求項１１に記載の方法。
【請求項１７】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値に対応する第2の状態は、前記SIB1を伝送するために使用される前記状態情報に基づいて決定され、前記第2の状態は、前記SIB1が非アンカーキャリア上でのみ伝送されること、又は、前記SIB1がアンカーキャリア上でのみ伝送されることであり、
前記スケジューリング情報は、前記SIB1を伝送するために使用されるトランスポートブロックサイズと、繰り返し数とを決定するために使用され、
前記スケジューリング情報内の前記繰り返し数が前記第1の状態に対応するとき、前記MIBメッセージは、前記SIB1の前記スケジューリング情報と、前記キャリアの前記動作モードとを含み、
前記スケジューリング情報内の前記繰り返し数が前記第2の状態に対応するとき、前記MIBメッセージは、前記SIB1の前記スケジューリング情報と、前記キャリアの前記動作モードと、前記SIB1を伝送するために使用される前記状態情報を含む前記第1の情報とを含み、
前記第2の通信デバイスにより、前記スケジューリング情報と、前記キャリアの前記動作モード及び前記第1の情報のうち少なくとも1つとに基づいて、前記第1の通信デバイスから前記SIB1を受信することは、
前記スケジューリング情報内の前記繰り返し数が前記いくつかの繰り返し数の値に属するとき、前記いくつかの繰り返し数の値に対応する前記第1の状態と、前記スケジューリング情報とに基づいて、前記アンカーキャリア上で前記第1の通信デバイスから前記SIB1を受信すること、又は、
前記スケジューリング情報内の前記繰り返し数が前記他の繰り返し数に属するとき、前記スケジューリング情報に基づいて、前記アンカーキャリア上で前記第1の通信デバイスから前記SIB1を受信すること、又は、前記スケジューリング情報と、前記キャリアの前記動作モードと、前記第1の情報内にあり且つ前記SIB1を伝送するために使用される前記状態情報とに基づいて、前記非アンカーキャリア上で前記第1の通信デバイスから前記SIB1を受信すること
を含み、
前記第2の通信デバイスにより、前記非アンカーキャリア上で前記第1の通信デバイスから前記SIB1を受信することは、前記第2の通信デバイスにより、前記SIB1を受信するために使用される前記非アンカーキャリアを決定することを含む、請求項１１に記載の方法。
【請求項１８】
前記キャリアの前記動作モードは、前記SIB1を伝送するために使用される前記非アンカーキャリアの動作モード情報を含むか、或いは、前記キャリアの前記動作モードは、前記アンカーキャリアの動作モードと、前記SIB1を伝送するために使用される前記非アンカーキャリアの動作モード情報とを含み、
前記スケジューリング情報と、前記キャリアの前記動作モードと、前記第1の情報内にあり且つ前記SIB1を伝送するために使用される前記状態情報とに基づいて、前記SIB1を伝送するために使用される前記非アンカーキャリア上で前記第1の通信デバイスから前記SIB1を受信することは、
前記第2の通信デバイスにより、前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つである、ことと、
前記第2の通信デバイスにより、前記スタンドアローン動作モードに基づいて、前記SIB1を伝送するために使用される前記非アンカーキャリア上の前記SIB1の伝送リソースが前記アンカーキャリア上の前記SIB1の伝送リソースと同じであると決定すること、及び、
前記第2の通信デバイスにより、前記非アンカーキャリア上の前記SIB1の前記伝送リソースと、前記スケジューリング情報とに基づいて、前記非アンカーキャリア上で前記第1の通信デバイスから前記SIB1を受信すること、又は、
前記第2の通信デバイスにより、前記ガードバンド動作モード又は前記帯域内動作モードに基づいて、前記SIB1を伝送するために使用される前記非アンカーキャリア上の前記SIB1の伝送リソースを決定すること、及び、
前記第2の通信デバイスにより、前記スケジューリング情報と、前記SIB1を伝送するために使用される前記非アンカーキャリア上の前記SIB1の前記伝送リソースとに基づいて、前記SIB1を伝送するために使用される前記非アンカーキャリア上で前記第1の通信デバイスから前記SIB1を受信することと
を含む、請求項１７に記載の方法。
【請求項１９】
前記キャリアの前記動作モードは、前記SIB1を伝送するために使用される前記非アンカーキャリアの動作モード情報を含むか、或いは、前記キャリアの前記動作モードは、アンカーキャリアの動作モードと、前記SIB1を伝送するために使用される前記非アンカーキャリアの動作モード情報とを含み、
前記第2の通信デバイスにより、前記スケジューリング情報と、前記キャリアの前記動作モードとに基づいて、前記第1の通信デバイスから前記SIB1を受信することは、
前記第2の通信デバイスにより、前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つを含む、ことと、
前記第2の通信デバイスにより、前記スタンドアローン動作モードに基づいて、前記非アンカーキャリア上の前記SIB1伝送の繰り返し数がアンカーキャリア上の前記SIB1伝送の繰り返し数と同じであると決定すること、及び、
前記第2の通信デバイスにより、前記スケジューリング情報と、前記繰り返し数とに基づいて、前記SIB1を伝送するために使用される前記非アンカーキャリア上で前記第1の通信デバイスから前記SIB1を受信すること、又は、前記第2の通信デバイスにより、前記アンカーキャリア上で前記第1の通信デバイスから前記SIB1を受信すること、及び、前記第2の通信デバイスにより、前記繰り返し数と、前記スケジューリング情報とに基づいて、前記SIB1を伝送するために使用される前記非アンカーキャリア上で前記第1の通信デバイスから前記SIB1を受信すること、又は、
前記第2の通信デバイスにより、前記スタンドアローン動作モードに基づいて、前記SIB1を伝送するために使用される前記非アンカーキャリア上の前記SIB1の伝送リソースがアンカーキャリア上の前記SIB1の伝送リソースと同じであると決定すること、及び、
前記第2の通信デバイスにより、前記スケジューリング情報と、前記伝送リソースとに基づいて、前記非アンカーキャリア上で前記第1の通信デバイスから前記SIB1に受信すること、又は、前記第2の通信デバイスにより、前記アンカーキャリア上で前記第1の通信デバイスから前記SIB1を受信すること、及び、前記第2の通信デバイスにより、前記伝送リソースと、前記スケジューリング情報とに基づいて、前記非アンカーキャリア上で前記第1の通信デバイスから前記SIB1を受信すること、又は、
前記第2の通信デバイスにより、前記ガードバンド動作モード又は前記帯域内動作モードに基づいて、前記非アンカーキャリア上の前記SIB1伝送の繰り返し数を決定すること、及び、
前記第2の通信デバイスにより、前記非アンカーキャリア上の前記SIB1伝送の前記繰り返し数と、前記スケジューリング情報とに基づいて、前記非アンカーキャリア上で前記第1の通信デバイスから前記SIB1を受信すること、又は、
前記第2の通信デバイスにより、前記アンカーキャリア上で前記第1の通信デバイスから前記SIB1を受信すること、及び、前記第2の通信デバイスにより、前記非アンカーキャリア上の前記SIB1伝送の前記繰り返し数と、前記スケジューリング情報とに基づいて、前記非アンカーキャリア上で前記第1の通信デバイスから前記SIB1を受信すること、又は、
前記第2の通信デバイスにより、前記ガードバンド動作モード又は前記帯域内動作モードに基づいて、前記非アンカーキャリア上の前記SIB1の伝送リソースを決定すること、及び、
前記第2の通信デバイスにより、前記非アンカーキャリア上の前記SIB1の前記伝送リソースと、前記スケジューリング情報とに基づいて、前記非アンカーキャリア上で前記第1の通信デバイスから前記SIB1を受信すること、又は、
前記第2の通信デバイスにより、前記アンカーキャリア上で前記第1の通信デバイスから前記SIB1を受信すること、及び、前記第2の通信デバイスにより、前記非アンカーキャリア上の前記SIB1の前記伝送リソースと、前記スケジューリング情報とに基づいて、前記非アンカーキャリア上で前記第1の通信デバイスから前記SIB1を受信することと
を含み、
前記第2の通信デバイスにより、前記非アンカーキャリア上で前記第1の通信デバイスから前記SIB1を受信することは、前記第2の通信デバイスにより、前記SIB1を受信するために使用される前記非アンカーキャリアを決定することを含む、請求項１１に記載の方法。
【請求項２０】
前記第1の情報は、前記SIB1を伝送するために使用される前記非アンカーキャリアの周波数領域位置情報を更に含み、前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記第2の通信デバイスにより、前記SIB1を受信するために使用される前記非アンカーキャリアを決定することは、
前記第2の通信デバイスにより、前記アンカーキャリアと、前記非アンカーキャリアの前記周波数領域位置情報とに基づいて、前記SIB1を伝送するために使用される前記非アンカーキャリアの周波数領域位置を決定することと、
前記第2の通信デバイスにより、前記周波数領域位置に対応する非アンカーキャリアを決定することと
を含む、請求項１２乃至１４及び１６乃至１９のうちいずれか１項に記載の方法。
【請求項２１】
第1の通信デバイスであるシステムメッセージ伝送装置であって、
マスター情報ブロックMIBメッセージを構成するように適合された処理モジュールであり、
前記MIBメッセージは、SIB1のスケジューリング情報を含むか、或いは、前記MIBメッセージは、前記スケジューリング情報と、キャリアの動作モード及び第1の情報のうち少なくとも1つとを含み、
前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報と、前記SIB1を伝送するために使用される前記非アンカーキャリア上の前記SIB1の伝送モード情報とのうち少なくとも1つを含む、処理モジュールと、
前記MIBメッセージを第2の通信デバイスに送信するように構成された送信モジュールと
を含み、
前記処理モジュールは、前記送信モジュールを使用することにより、前記スケジューリング情報に基づいて、或いは、前記スケジューリング情報と、前記キャリアの前記動作モード及び前記第1の情報のうち少なくとも1つとに基づいて、前記SIB1を前記第2の通信デバイスに伝送するように更に適合される、装置。
【請求項２２】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含むか、或いは、
前記状態情報は、以下の状態、すなわち、前記SIB1がアンカーキャリア上でのみ伝送されることと、前記SIB1がアンカーキャリア及び非アンカーキャリア上で伝送されることとのうち1つを含み、
前記処理モジュールは、具体的には、
前記送信モジュールを使用することにより、前記スケジューリング情報と、前記状態情報とに基づいて、アンカーキャリア及び/又は非アンカーキャリア上で前記SIB1を前記第2の通信デバイスに伝送することを決定するように適合され、
前記非アンカーキャリア上で前記SIB1を伝送することを決定するとき、前記処理モジュールは、前記SIB1を伝送するために使用される前記非アンカーキャリアを決定するように更に適合される、請求項２１に記載の装置。
【請求項２３】
前記第1の情報は、前記SIB1を伝送するために使用される前記時間領域位置情報を更に含み、前記SIB1を伝送するために使用される前記時間領域位置情報は、以下の位置、すなわち、サブフレーム位置と、無線フレーム位置と、ハイパーフレーム位置と、シンボル位置と、スロット位置とのうち1つを含み、
前記処理モジュールは、前記スケジューリング情報と、前記状態情報とに基づいて、前記アンカーキャリア及び/又は前記非アンカーキャリア上で前記SIB1を前記第2の通信デバイスに伝送することを決定するとき、
前記処理モジュールは、具体的には、前記スケジューリング情報と、前記状態情報と、前記時間領域位置情報とに基づいて、前記送信モジュールを使用することにより、前記時間領域位置情報により示され且つ前記アンカーキャリア及び/又は前記SIB1を伝送するために使用される前記非アンカーキャリア上にある時間領域位置において、前記SIB1を前記第2の通信デバイスに伝送することを決定するように構成される、請求項２２に記載の装置。
【請求項２４】
前記第1の情報は、前記SIB1を伝送するために使用される前記時間領域位置情報を含み、前記時間領域位置情報は、以下の位置、すなわち、サブフレーム位置と、無線フレーム位置と、ハイパーフレーム位置と、シンボル位置と、スロット位置とのうち1つを含み、
前記処理モジュールは、具体的には、
前記SIB1を伝送するために使用されるキャリアを決定することであり、前記キャリアは、アンカーキャリア及び/又は前記SIB1を伝送するために使用される非アンカーキャリアを含む、ことと、
前記送信モジュールを使用することにより、前記時間領域位置情報により示され且つ前記アンカーキャリア及び/又は前記SIB1を伝送するために使用される前記非アンカーキャリア上にある時間領域位置において、前記スケジューリング情報に基づいて、前記SIB1を前記第2の通信デバイスに伝送することと
を行うように適合される、請求項２１に記載の装置。
【請求項２５】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記処理モジュールは、具体的には、
前記SIB1を伝送するために使用される前記非アンカーキャリアを決定することと、
前記周波数領域位置情報と、前記アンカーキャリアとに基づいて、前記SIB1を伝送するために使用される前記非アンカーキャリアの周波数領域位置を決定することと、
前記送信モジュールを使用することにより、前記スケジューリング情報に基づいて、前記周波数領域位置に対応し且つ前記SIB1を伝送するために使用される前記非アンカーキャリア上で前記SIB1を伝送すること、又は、前記送信モジュールを使用することにより、前記スケジューリング情報に基づいて、前記アンカーキャリア及び前記周波数領域位置に対応し且つ前記SIB1を伝送するために使用される前記非アンカーキャリア上で前記SIB1を前記第2の通信デバイスに伝送することと
を行うように適合される、請求項２１に記載の装置。
【請求項２６】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値は第2の状態に対応し、前記第2の状態は、前記SIB1が非アンカーキャリア上でのみ伝送されること、又は、前記SIB1がアンカーキャリア及び非アンカーキャリア上で伝送されることであり、
前記スケジューリング情報は、前記SIB1を伝送するために使用されるトランスポートブロックサイズと、繰り返し数とを決定するために使用され、
前記処理モジュールは、具体的には、
前記繰り返し数が前記第1の状態又は前記第2の状態に対応すると決定することと、
前記送信モジュールを使用することにより、前記第1の状態又は前記第2の状態に基づいて、前記アンカーキャリア及び/又は前記非アンカーキャリア上で前記SIB1を前記第2の通信デバイスに伝送することと
を行うように適合され、
前記非アンカーキャリア上で前記SIB1を伝送することを決定するとき、前記処理モジュールは、前記SIB1を伝送するために使用される前記非アンカーキャリアを決定するように更に適合される、請求項２１に記載の装置。
【請求項２７】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値に対応する第2の状態は、前記SIB1を伝送するために使用される前記状態情報に基づいて決定され、前記第2の状態は、前記SIB1が非アンカーキャリア上でのみ伝送されること、又は、前記SIB1がアンカーキャリア上でのみ伝送されることであり、
前記スケジューリング情報は、前記SIB1を伝送するために使用されるトランスポートブロックサイズと、繰り返し数とを決定するために使用され、
前記スケジューリング情報内の前記繰り返し数が前記第1の状態に対応するとき、前記MIBメッセージは、前記SIB1の前記スケジューリング情報と、前記キャリアの前記動作モードとを含み、
前記スケジューリング情報内の前記繰り返し数が前記第2の状態に対応するとき、前記MIBメッセージは、前記SIB1の前記スケジューリング情報と、前記キャリアの前記動作モードと、前記SIB1を伝送するために使用される前記状態情報を含む前記第1の情報とを含み、
前記処理モジュールは、具体的には、
前記スケジューリング情報内の前記繰り返し数が前記いくつかの繰り返し数の値に属するとき、前記送信モジュールを使用することにより、前記いくつかの繰り返し数の値に対応する前記第1の状態と、前記スケジューリング情報とに基づいて、前記アンカーキャリア上で前記SIB1を前記第2の通信デバイスに伝送すること、又は、
前記スケジューリング情報内の前記繰り返し数が前記他の繰り返し数に属するとき、前記送信モジュールを使用することにより、前記スケジューリング情報に基づいて、前記アンカーキャリア上で前記SIB1を前記第2の通信デバイスに伝送すること、又は、前記送信モジュールを使用することにより、前記スケジューリング情報と、前記キャリアの前記動作モードと、前記第1の情報内にあり且つ前記SIB1を伝送するために使用される前記状態情報とに基づいて、前記非アンカーキャリア上で前記SIB1を前記第2の通信デバイスに伝送すること
を行うように適合され、
前記非アンカーキャリア上で前記SIB1を伝送するとき、前記処理モジュールは、前記SIB1を伝送するために使用される前記非アンカーキャリアを決定するように更に適合される、請求項２１に記載の装置。
【請求項２８】
前記キャリアの前記動作モードは、前記SIB1を伝送するために使用される前記非アンカーキャリアの動作モード情報を含むか、或いは、前記キャリアの前記動作モードは、前記アンカーキャリアの動作モードと、前記SIB1を伝送するために使用される前記非アンカーキャリアの動作モード情報とを含み、
前記処理モジュールが、前記送信モジュールを使用することにより、前記スケジューリング情報と、前記キャリアの前記動作モードと、前記第1の情報内にあり且つ前記SIB1を伝送するために使用される前記状態情報とに基づいて、前記SIB1を伝送するために使用される前記非アンカーキャリア上で前記SIB1を前記第2の通信デバイスに伝送するように適合されることは、具体的には、
前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つである、ことと、
前記スタンドアローン動作モードに基づいて、前記SIB1を伝送するために使用される前記非アンカーキャリア上の前記SIB1の伝送リソースが前記アンカーキャリア上の前記SIB1の伝送リソースと同じであると決定すること、及び、前記送信モジュールを使用することにより、前記スケジューリング情報と、前記非アンカーキャリア上の前記SIB1の前記伝送リソースとに基づいて、前記SIB1を伝送するために使用される前記非アンカーキャリア上で前記SIB1を前記第2の通信デバイスに伝送すること、又は、
前記ガードバンド動作モード又は前記帯域内動作モードに基づいて、前記SIB1を伝送するために使用される前記非アンカーキャリア上の前記SIB1の伝送リソースを決定することと、
前記送信モジュールを使用することにより、前記スケジューリング情報と、前記SIB1を伝送するために使用される前記非アンカーキャリア上の前記SIB1の前記伝送リソースとに基づいて、前記SIB1を前記第2の通信デバイスに伝送することと
を行うように適合される、請求項２７に記載の装置。
【請求項２９】
前記キャリアの前記動作モードは、前記SIB1を伝送するために使用される前記非アンカーキャリアの動作モード情報を含むか、或いは、前記キャリアの前記動作モードは、前記アンカーキャリアの動作モードと、前記SIB1を伝送するために使用される前記非アンカーキャリアの動作モード情報とを含み、
前記処理モジュールは、具体的には、
前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つを含む、ことと、
前記スタンドアローン動作モードに基づいて、前記非アンカーキャリア上の前記SIB1伝送の繰り返し数がアンカーキャリア上の前記SIB1伝送の繰り返し数と同じであると決定すること、及び、
前記送信モジュールを使用することにより、前記スケジューリング情報と、前記繰り返し数とに基づいて、前記SIB1を伝送するために使用される前記非アンカーキャリア上で前記SIB1を伝送すること、又は、前記送信モジュールを使用することにより、前記スケジューリング情報に基づいて、前記アンカーキャリア上で前記SIB1を前記第2の通信デバイスに伝送すること、及び、前記送信モジュールを使用することにより、前記繰り返し数と、前記スケジューリング情報とに基づいて、前記SIB1を伝送するために使用される前記非アンカーキャリア上で前記SIB1を前記第2の通信デバイスに伝送すること、又は、
前記スタンドアローン動作モードに基づいて、前記SIB1を伝送するために使用される前記非アンカーキャリア上の前記SIB1の伝送リソースがアンカーキャリア上の前記SIB1の伝送リソースと同じであると決定すること、及び、
前記送信モジュールを使用することにより、前記スケジューリング情報と、前記伝送リソースとに基づいて、前記非アンカーキャリア上で前記SIB1に伝送すること、又は、前記送信モジュールを使用することにより、前記スケジューリング情報に基づいて、前記アンカーキャリア上で前記SIB1を前記第2の通信デバイスに伝送すること、及び、前記送信モジュールを使用することにより、前記スケジューリング情報と、前記伝送リソースとに基づいて、前記非アンカーキャリア上で前記SIB1を前記第2の通信デバイスに伝送すること、又は、
前記ガードバンド動作モード又は前記帯域内動作モードに基づいて、前記非アンカーキャリア上の前記SIB1の繰り返し数を決定すること、及び、
前記送信モジュールを使用することにより、前記非アンカーキャリア上の前記SIB1の前記繰り返し数と、前記スケジューリング情報とに基づいて、前記非アンカーキャリア上で前記SIB1を前記第2の通信デバイスに伝送すること、又は、
前記送信モジュールを使用することにより、前記スケジューリング情報に基づいて、前記アンカーキャリア上で前記SIB1を前記第2の通信デバイスに伝送すること、及び、前記送信モジュールを使用することにより、前記非アンカーキャリア上の前記SIB1の前記繰り返し数と、前記スケジューリング情報とに基づいて、前記非アンカーキャリア上で前記SIB1を前記第2の通信デバイスに伝送すること、又は、
前記ガードバンド動作モード又は前記帯域内動作モードに基づいて、前記非アンカーキャリア上の前記SIB1の伝送リソースを決定すること、及び、
前記送信モジュールを使用することにより、前記非アンカーキャリア上の前記SIB1の前記伝送リソースに基づいて、前記非アンカーキャリア上で前記SIB1を前記第2の通信デバイスに伝送すること、又は、
前記送信モジュールを使用することにより、前記スケジューリング情報に基づいて、前記アンカーキャリア上で前記SIB1を前記第2の通信デバイスに伝送すること、及び、前記送信モジュールを使用することにより、前記スケジューリング情報と、前記非アンカーキャリア上の前記SIB1の前記伝送リソースとに基づいて、前記非アンカーキャリア上で前記SIB1を前記第2の通信デバイスに伝送することと
を行うように適合され、
前記非アンカーキャリア上で前記SIB1を伝送するとき、前記処理モジュールは、前記SIB1を伝送するために使用される前記非アンカーキャリアを決定するように更に適合される、請求項２１に記載の装置。
【請求項３０】
前記第1の情報は、前記SIB1を伝送するために使用される前記非アンカーキャリアの周波数領域位置情報を更に含み、前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記処理モジュールが、前記SIB1を伝送するために使用される前記非アンカーキャリアを決定するように適合されることは、具体的には、
前記周波数領域位置情報と、前記アンカーキャリアとに基づいて、前記SIB1を伝送するために使用される前記非アンカーキャリアの周波数領域位置を決定することと、
前記周波数領域位置に対応する非アンカーキャリアを決定することと
を行うように適合される、請求項２２乃至２４及び２６乃至２９のうちいずれか１項に記載の装置。
【請求項３１】
第2の通信デバイスであるシステムメッセージ伝送装置であって、
第1の通信デバイスからマスター情報ブロックMIBメッセージを受信するように適合された受信モジュールであり、前記MIBメッセージは、SIB1のスケジューリング情報を含むか、或いは、前記MIBメッセージは、前記スケジューリング情報と、キャリアの動作モード及び第1の情報のうち少なくとも1つとを含み、前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報と、前記SIB1を伝送するために使用される前記非アンカーキャリア上の前記SIB1の伝送モード情報とのうち少なくとも1つを含む、受信モジュールと、
前記受信モジュールを使用することにより、前記スケジューリング情報に基づいて、或いは、前記スケジューリング情報と、前記キャリアの前記動作モード及び前記第1の情報のうち少なくとも1つとに基づいて、前記第1の通信デバイスから前記SIB1を受信するように適合された処理モジュールと
を含む装置。
【請求項３２】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含むか、或いは、
前記状態情報は、以下の状態、すなわち、前記SIB1がアンカーキャリア上でのみ伝送されることと、前記SIB1がアンカーキャリア及び非アンカーキャリア上で伝送されることとのうち1つを含み、
前記処理モジュールは、具体的には、
前記受信モジュールを使用することにより、前記スケジューリング情報と、前記状態情報とに基づいて、前記アンカーキャリア及び/又は前記非アンカーキャリア上で前記第1の通信デバイスから前記SIB1を受信することを決定するように適合され、
前記非アンカーキャリア上で前記第1の通信デバイスから前記SIB1を受信することを決定するとき、前記処理モジュールは、前記SIB1を受信するために使用される非アンカーキャリアを決定するように更に適合される、請求項３１に記載の装置。
【請求項３３】
前記第1の情報は、前記SIB1を伝送するために使用される前記時間領域位置情報を更に含み、前記SIB1を伝送するために使用される前記時間領域位置情報は、以下の位置、すなわち、サブフレーム位置と、無線フレーム位置と、ハイパーフレーム位置と、シンボル位置と、スロット位置とのうち1つを含み、
前記スケジューリング情報と、前記状態情報とに基づいて、前記アンカーキャリア及び/又は前記非アンカーキャリア上で前記第1の通信デバイスから前記SIB1を受信することを決定するとき、前記処理モジュールは、具体的には、
前記スケジューリング情報と、前記状態情報と、前記時間領域位置情報とに基づいて、前記受信モジュールを使用することにより、前記時間領域位置情報により示され且つ前記アンカーキャリア及び/又は前記SIB1を伝送するために使用される前記非アンカーキャリア上にある時間領域位置において、前記第1の通信デバイスから前記SIB1を受信することを決定するように適合される、請求項３２に記載の装置。
【請求項３４】
前記第1の情報は、前記SIB1を伝送するために使用される前記時間領域位置情報を含み、前記時間領域位置情報は、以下の位置、すなわち、サブフレーム位置と、無線フレーム位置と、ハイパーフレーム位置と、シンボル位置と、スロット位置とのうち1つを含み、
前記処理モジュールは、具体的には、
前記SIB1を受信するために使用されるキャリアを決定することであり、前記キャリアは、アンカーキャリア及び/又は前記SIB1を伝送するために使用される非アンカーキャリアを含む、ことと、
前記受信モジュールを使用することにより、前記時間領域位置情報により示され且つ前記アンカーキャリア及び/又は前記SIB1を伝送するために使用される前記非アンカーキャリア上にある時間領域位置において、前記スケジューリング情報に基づいて、前記第1の通信デバイスから前記SIB1を受信することと
を行うように適合される、請求項３１に記載の装置。
【請求項３５】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記処理モジュールは、具体的には、
前記SIB1を受信するために使用される非アンカーキャリアを決定することと、
前記周波数領域位置情報と、前記アンカーキャリアとに基づいて、前記SIB1を伝送するために使用される前記非アンカーキャリアの周波数領域位置を決定することと、
前記受信モジュールを使用することにより、前記スケジューリング情報に基づいて、前記周波数領域位置に対応し且つ前記SIB1を伝送するために使用される前記非アンカーキャリア上で前記第1の通信デバイスから前記SIB1を受信すること、又は、前記受信モジュールを使用することにより、前記スケジューリング情報に基づいて、前記アンカーキャリア及び前記周波数領域位置に対応し且つ前記SIB1を伝送するために使用される前記非アンカーキャリア上で前記第1の通信デバイスから前記SIB1を受信することと
を行うように適合される、請求項３１に記載の装置。
【請求項３６】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値は第2の状態に対応し、前記第2の状態は、前記SIB1が非アンカーキャリア上でのみ伝送されること、又は、前記SIB1がアンカーキャリア及び非アンカーキャリア上で伝送されることであり、
前記スケジューリング情報は、前記SIB1を伝送するために使用されるトランスポートブロックサイズと、繰り返し数とを決定するために使用され、
前記処理モジュールは、具体的には、
前記繰り返し数が前記第1の状態又は前記第2の状態に対応すると決定することと、
前記受信モジュールを使用することにより、前記第1の状態又は前記第2の状態に基づいて、前記アンカーキャリア及び/又は前記非アンカーキャリア上で前記第1の通信デバイスから前記SIB1を受信することと
を行うように適合され、
前記非アンカーキャリア上で前記第1の通信デバイスから前記SIB1を受信することを決定するとき、前記処理モジュールは、前記SIB1を受信するために使用される非アンカーキャリアを決定するように更に適合される、請求項３１に記載の方法。
【請求項３７】
繰り返し数の集合内のいくつかの繰り返し数の値は第1の状態に対応し、前記第1の状態は、前記SIB1がアンカーキャリア上でのみ伝送されることであり、
前記繰り返し数の集合内の他の繰り返し数の値に対応する第2の状態は、前記SIB1を伝送するために使用される前記状態情報に基づいて決定され、前記第2の状態は、前記SIB1が非アンカーキャリア上でのみ伝送されること、又は、前記SIB1がアンカーキャリア上でのみ伝送されることであり、
前記スケジューリング情報は、前記SIB1を伝送するために使用されるトランスポートブロックサイズと、繰り返し数とを決定するために使用され、
前記スケジューリング情報内の前記繰り返し数が前記第1の状態に対応するとき、前記MIBメッセージは、前記SIB1の前記スケジューリング情報と、前記キャリアの前記動作モードとを含み、
前記スケジューリング情報内の前記繰り返し数が前記第2の状態に対応するとき、前記MIBメッセージは、前記SIB1の前記スケジューリング情報と、前記キャリアの前記動作モードと、前記SIB1を伝送するために使用される前記状態情報を含む前記第1の情報とを含み、
前記処理モジュールは、具体的には、
前記スケジューリング情報内の前記繰り返し数が前記いくつかの繰り返し数の値に属するとき、前記受信モジュールを使用することにより、前記いくつかの繰り返し数の値に対応する前記第1の状態と、前記スケジューリング情報とに基づいて、前記アンカーキャリア上で前記第1の通信デバイスから前記SIB1を受信すること、又は、
前記スケジューリング情報内の前記繰り返し数が前記他の繰り返し数の値に属するとき、前記受信モジュールを使用することにより、前記スケジューリング情報に基づいて、前記アンカーキャリア上で前記第1の通信デバイスから前記SIB1を受信すること、又は、前記受信モジュールを使用することにより、前記スケジューリング情報と、前記キャリアの前記動作モードと、前記第1の情報内にあり且つ前記SIB1を伝送するために使用される前記状態情報とに基づいて、前記非アンカーキャリア上で前記第1の通信デバイスから前記SIB1を受信すること
を行うように適合され、
前記非アンカーキャリア上で前記第1の通信デバイスから前記SIB1を受信するとき、前記処理モジュールは、前記SIB1を受信するために使用される非アンカーキャリアを決定するように更に適合される、請求項３１に記載の装置。
【請求項３８】
前記キャリアの前記動作モードは、前記SIB1を伝送するために使用される前記非アンカーキャリアの動作モード情報を含むか、或いは、前記キャリアの前記動作モードは、前記アンカーキャリアの動作モードと、前記SIB1を伝送するために使用される前記非アンカーキャリアの動作モード情報とを含み、
前記処理モジュールが、前記受信モジュールを使用することにより、前記スケジューリング情報と、前記キャリアの前記動作モードと、前記第1の情報内にあり且つ前記SIB1を伝送するために使用される前記状態情報とに基づいて、前記SIB1を伝送するために使用される前記非アンカーキャリア上で前記第1の通信デバイスから前記SIB1を受信するように適合されることは、具体的には、
前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つである、ことと、
前記スタンドアローン動作モードに基づいて、前記非アンカーキャリア上の前記SIB1の伝送リソースがアンカーキャリア上の前記SIB1の伝送リソースと同じであると決定すること、及び、
前記受信モジュールを使用することにより、前記スケジューリング情報と、前記非アンカーキャリア上の前記SIB1の前記伝送リソースとに基づいて、前記SIB1を伝送するために使用される前記非アンカーキャリア上で前記第1の通信デバイスから前記SIB1を受信すること、又は、
前記ガードバンド動作モード又は前記帯域内動作モードに基づいて、前記SIB1を伝送するために使用される前記非アンカーキャリア上の前記SIB1の伝送リソースを決定すること、及び、
前記受信モジュールを使用することにより、前記スケジューリング情報と、前記SIB1を伝送するために使用される前記非アンカーキャリア上の前記SIB1の前記伝送リソースとに基づいて、前記SIB1を伝送するために使用される前記非アンカーキャリア上で前記第1の通信デバイスから前記SIB1を受信することと
である、請求項３７に記載の装置。
【請求項３９】
前記キャリアの前記動作モードは、前記SIB1を伝送するために使用される前記非アンカーキャリアの動作モード情報を含むか、或いは、前記キャリアの前記動作モードは、前記アンカーキャリアの動作モードと、前記SIB1を伝送するために使用される前記非アンカーキャリアの動作モード情報とを含み、
前記処理モジュールは、具体的には、
前記キャリアの前記動作モードに基づいて、前記SIB1を伝送するために使用される前記非アンカーキャリアの動作モードを決定することであり、前記決定される動作モードは、スタンドアローン動作モードと、ガードバンド動作モードと、帯域内動作モードとのうち1つを含む、ことと、
前記スタンドアローン動作モードに基づいて、前記非アンカーキャリア上の前記SIB1伝送の繰り返し数がアンカーキャリア上の前記SIB1伝送の繰り返し数と同じであると決定すること、及び、
前記受信モジュールを使用することにより、前記スケジューリング情報と、前記繰り返し数とに基づいて、前記SIB1を伝送するために使用される前記非アンカーキャリア上で前記第1の通信デバイスから前記SIB1を受信すること、又は、前記受信モジュールを使用することにより、前記スケジューリング情報に基づいて、前記アンカーキャリア上で前記第1の通信デバイスから前記SIB1を受信すること、及び、前記受信モジュールを使用することにより、前記繰り返し数と、前記スケジューリング情報とに基づいて、前記SIB1を伝送するために使用される前記非アンカーキャリア上で前記第1の通信デバイスから前記SIB1を受信すること、又は、
前記スタンドアローン動作モードに基づいて、前記SIB1を伝送するために使用される前記非アンカーキャリア上の前記SIB1の伝送リソースがアンカーキャリア上の前記SIB1の伝送リソースと同じであると決定すること、及び、
前記受信モジュールを使用することにより、前記スケジューリング情報と、前記伝送リソースとに基づいて、前記非アンカーキャリア上で前記第1の通信デバイスから前記SIB1に受信すること、又は、前記受信モジュールを使用することにより、前記スケジューリング情報に基づいて、前記アンカーキャリア上で前記第1の通信デバイスから前記SIB1を受信すること、及び、前記受信モジュールを使用することにより、前記伝送リソースに基づいて、前記非アンカーキャリア上で前記第1の通信デバイスから前記SIB1を受信すること、又は、
前記ガードバンド動作モード又は前記帯域内動作モードに基づいて、前記非アンカーキャリア上の前記SIB1伝送の繰り返し数を決定すること、及び、
前記受信モジュールを使用することにより、前記非アンカーキャリア上の前記SIB1伝送の前記繰り返し数と、前記スケジューリング情報とに基づいて、前記非アンカーキャリア上で前記第1の通信デバイスから前記SIB1を受信すること、又は、
前記受信モジュールを使用することにより、前記スケジューリング情報に基づいて、前記アンカーキャリア上で前記第1の通信デバイスから前記SIB1を受信すること、及び、前記受信モジュールを使用することにより、前記非アンカーキャリア上の前記SIB1伝送の前記繰り返し数と、前記スケジューリング情報とに基づいて、前記非アンカーキャリア上で前記第1の通信デバイスから前記SIB1を受信すること、又は、
前記ガードバンド動作モード又は前記帯域内動作モードに基づいて、前記非アンカーキャリア上の前記SIB1の伝送リソースを決定すること、及び、
前記受信モジュールを使用することにより、前記スケジューリング情報と、前記非アンカーキャリア上の前記SIB1の前記伝送リソースとに基づいて、前記非アンカーキャリア上で前記第1の通信デバイスから前記SIB1を受信すること、又は、
前記受信モジュールを使用することにより、前記スケジューリング情報に基づいて、前記アンカーキャリア上で前記第1の通信デバイスから前記SIB1を受信すること、及び、前記受信モジュールを使用することにより、前記スケジューリング情報と、前記非アンカーキャリア上の前記SIB1の前記伝送リソースとに基づいて、前記非アンカーキャリア上で前記第1の通信デバイスから前記SIB1を受信することと
を行うように適合され、
前記非アンカーキャリア上で前記第1の通信デバイスから前記SIB1を受信するとき、前記処理モジュールは、前記SIB1を受信するために使用される非アンカーキャリアを決定するように更に適合される、請求項３１に記載の装置。
【請求項４０】
前記第1の情報は、前記SIB1を伝送するために使用される前記非アンカーキャリアの周波数領域位置情報を更に含み、前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記SIB1を受信するために使用される前記非アンカーキャリアを決定するとき、前記処理モジュールは、具体的には、
前記アンカーキャリアと、前記非アンカーキャリアの前記周波数領域位置情報とに基づいて、前記SIB1を伝送するために使用される前記非アンカーキャリアの周波数領域位置を決定することと、
前記周波数領域位置に対応する非アンカーキャリアを決定することと
を行うように適合される、請求項３２乃至３４及び３６乃至３９のうちいずれか１項に記載の装置。
【請求項４１】
第1の通信デバイスである通信デバイスであって、
当該通信デバイスは、メモリと、プロセッサと、前記メモリに記憶され且つ前記プロセッサにより実行できるコンピュータプログラムとを含み、
前記プロセッサは、請求項１乃至１０のうちいずれか１項に記載のシステムメッセージ伝送方法を実現するように、前記コンピュータプログラムを実行する、通信デバイス。
【請求項４２】
コンピュータ読み取り可能命令を含むコンピュータ読み取り可能記憶媒体であって、
通信デバイスが前記コンピュータ読み取り可能命令を読み取って実行したとき、前記通信デバイスは、請求項１乃至２０のうちいずれか１項に記載の方法を実行することが可能になる、コンピュータ読み取り可能記憶媒体。
【請求項４３】
コンピュータ読み取り可能命令を含むコンピュータプログラムプロダクトであって、
通信デバイスが前記コンピュータ読み取り可能命令を読み取って実行したとき、前記通信デバイスは、請求項１乃至２０のうちいずれか１項に記載の方法を実行することが可能になる、コンピュータプログラムプロダクト。
【請求項４４】
第2の通信デバイスである通信デバイスであって、
当該通信デバイスは、メモリと、プロセッサと、前記メモリに記憶され且つ前記プロセッサにより実行できるコンピュータプログラムとを含み、
前記プロセッサは、請求項１１乃至２０のうちいずれか１項に記載のシステムメッセージ伝送方法を実現するように、前記コンピュータプログラムを実行する、通信デバイス。
【請求項４５】
請求項４１に記載の通信デバイスと、請求項４４に記載の通信デバイスとを含む通信システム。
【発明の詳細な説明】
【技術分野】
【０００１】
この出願は、通信技術の分野に関し、特に、システムメッセージ伝送方法、装置及びシステムに関する。
【背景技術】
【０００２】
移動通信標準組織である第3世代パートナーシッププロジェクト(3rd  Generation  Partnership  Project,  3GPP)は、狭帯域のモノのインターネット(Narrowband  Internet  of  Things,  NB-IOT)技術を提案している。NB-IoTは、周波数分割複信(Frequency  Division  Duplex,  FDD)及び時分割複信(Time  Division  Duplex,  TDD)をサポートする。
【０００３】
FDD  NB-IoTでは、システム情報ブロックタイプ1(System  Information  Block  type1,  SIB1)の周期は2560msである。SIB1は、無線フレーム内のサブフレーム4上で伝送され、1つおきの無線フレームに現れる。SIB1の1つのトランスポートブロック(Transport  Block,  TB)は、8個のサブフレームを占有する。したがって、SIB1の1回の完全な伝送は、16個の連続する無線フレームを占有する必要がある。さらに、SIB1の繰り返し数は、4、8又は16でもよく、繰り返しのコピーは、2560msの周期内で等しい間隔で分散される。FDD  NB-IoTでは、異なるセルのSIB1は、2560msの周期内で異なるリソース位置で伝送され、それにより、異なるセルのSIB1sの伝送の間の相互干渉が回避できる。このタイプの干渉分離メカニズムは、周波数内ネットワーキング及びセルの間の時間同期のシナリオにおいて特に重要である。
【０００４】
TDD  NB-IoTでは、アップリンクダウンリンクサブフレーム構成は、TDDロングタームエボリューション(Long  Term  Evolution,  LTE)システムのいくつかのアップリンクダウンリンクサブフレーム構成をサポートする。アンカーキャリア上に、狭帯域プライマリ同期信号(Narrowband  Primary  Synchronization  Signal,  NPSS)、狭帯域セカンダリ同期信号(Narrowband  Secondary  Synchronization  Signal,  NSSS)及び狭帯域物理ブロードキャストチャネル(Narrowband  Physical  Broadcast  Channel,  NPBCH)が存在する。アンカーキャリア上では、NSSSは、偶数フレームのサブフレーム0上で伝送される。SIB1の周期もまた2560msである。SIB1の1つのトランスポートブロックは8個のサブフレームを占有する。SIB1がアンカーキャリア上の奇数フレームのサブフレーム0上でSIB1が伝送され、繰り返し数が16であるとき、偶数フレームのサブフレーム0がNSSSにより占有されるので、異なるセルのSIB1は、同じリソース位置でのみ伝送できる。したがって、セルのSIB1の伝送の間の相互干渉の問題が引き起こされる。
【発明の概要】
【０００５】
この出願は、異なるセルのSIB1の伝送の間の相互干渉を回避し、SIB1の伝送信頼性を改善するためのシステムメッセージ伝送方法、装置及びシステムを提供する。
【０００６】
第1の態様によれば、この出願は、システムメッセージ伝送方法を提供する。当該方法は、
第1の通信デバイスにより、MIBメッセージを構成するステップであり、
MIBメッセージは、SIB1のスケジューリング情報を含むか、或いは、MIBメッセージは、スケジューリング情報と、キャリアの動作モード及び第1の情報のうち少なくとも1つとを含み、
第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含む、ステップと、
第1の通信デバイスにより、MIBメッセージを第2の通信デバイスに送信するステップと、
第1の通信デバイスにより、スケジューリング情報に基づいて、或いは、スケジューリング情報と、キャリアの動作モード及び第1の情報のうち少なくとも1つとに基づいて、SIB1を第2の通信デバイスに伝送するステップと
を含む。
【０００７】
第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよいので、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の間の相互干渉を回避でき、それにより、SIB1の伝送信頼性が改善できる。
【０００８】
任意選択で、第1の情報は、SIB1を伝送するために使用される状態情報を含み、状態情報は、以下の状態、すなわち、SIB1がアンカーキャリア上でのみ伝送されることと、SIB1が非アンカーキャリア上でのみ伝送されることとのうち1つを含むか、或いは、状態情報は、以下の状態、すなわち、SIB1がアンカーキャリア上でのみ伝送されることと、SIB1がアンカーキャリア及び非アンカーキャリア上で伝送されることとのうち1つを含み、
第1の通信デバイスにより、スケジューリング情報と、第1の情報とに基づいて、SIB1を第2の通信デバイスに伝送することは、
第1の通信デバイスにより、スケジューリング情報と、状態情報とに基づいて、アンカーキャリア及び/又は非アンカーキャリア上でSIB1を第2の通信デバイスに伝送することを決定することと、
第1の通信デバイスが、非アンカーキャリア上でSIB1を伝送することを決定するとき、第1の通信デバイスにより、SIB1を伝送するために使用される非アンカーキャリアを決定することと
を含む。
【０００９】
第1の通信デバイスは、SIB1を伝送するために使用される様々な異なる情報をスケジューリング情報及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の間の相互干渉を回避でき、それにより、SIB1の伝送信頼性が改善できる。
【００１０】
任意選択で、第1の情報は、SIB1を伝送するために使用される時間領域位置情報を更に含み、SIB1を伝送するために使用される時間領域位置情報は、以下の位置、すなわち、サブフレーム位置と、無線フレーム位置と、ハイパーフレーム位置と、シンボル位置と、スロット位置とのうち1つを含み、
第1の通信デバイスにより、スケジューリング情報と、状態情報とに基づいて、アンカーキャリア及び/又は非アンカーキャリア上でSIB1を第2の通信デバイスに伝送することを決定することは、
第1の通信デバイスにより、スケジューリング情報と、状態情報と、時間領域位置情報とに基づいて、時間領域位置情報により示され且つアンカーキャリア及び/又はSIB1を伝送するために使用される非アンカーキャリア上にある時間領域位置において、SIB1を第2の通信デバイスに伝送することを決定することを含む。
【００１１】
任意選択で、第1の情報は、SIB1を伝送するために使用される時間領域位置情報を含み、時間領域位置情報は、以下の位置、すなわち、サブフレーム位置と、無線フレーム位置と、ハイパーフレーム位置と、シンボル位置と、スロット位置とのうち1つを含み、
第1の通信デバイスにより、スケジューリング情報と、第1の情報とに基づいて、SIB1を第2の通信デバイスに伝送することは、第1の通信デバイスにより、SIB1を伝送するために使用されるキャリアを決定することであり、キャリアは、アンカーキャリア及び/又はSIB1を伝送するために使用される非アンカーキャリアを含む、ことと、第1の通信デバイスにより、時間領域位置情報により示され且つアンカーキャリア及び/又はSIB1を伝送するために使用される非アンカーキャリア上にある時間領域位置において、スケジューリング情報に基づいて、SIB1を第2の通信デバイスに伝送することとを含む。
【００１２】
任意選択で、第1の情報は、SIB1を伝送するために使用される非アンカーキャリアの周波数領域位置情報を含み、SIB1を伝送するために使用される非アンカーキャリアの周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含み、周波数領域オフセットは、周波数領域間隔又はリソースブロック数であり、
第1の通信デバイスにより、スケジューリング情報と、第1の情報とに基づいて、SIB1を第2の通信デバイスに伝送することは、
第1の通信デバイスにより、SIB1を伝送するために使用される非アンカーキャリアを決定することと、
第1の通信デバイスにより、周波数領域位置情報と、アンカーキャリアとに基づいて、SIB1を伝送するために使用される非アンカーキャリアの周波数領域位置を決定することと、
第1の通信デバイスにより、スケジューリング情報に基づいて、周波数領域位置に対応し且つSIB1を伝送するために使用される非アンカーキャリア上でSIB1を伝送すること、又は、第1の通信デバイスにより、スケジューリング情報に基づいて、アンカーキャリア及び周波数領域位置に対応し且つSIB1を伝送するために使用される非アンカーキャリア上でSIB1を第2の通信デバイスに伝送することと
を含む。
【００１３】
任意選択で、第1の情報は、SIB1を伝送するために使用される非アンカーキャリア上のSIB1の伝送モード情報を含み、伝送モード情報は、SIB1を伝送するために使用される非アンカーキャリア上のSIB1の繰り返し数を含み、
第1の通信デバイスにより、スケジューリング情報と、第1の情報とに基づいて、SIB1を第2の通信デバイスに伝送することは、
第1の通信デバイスにより、SIB1を伝送するために使用される非アンカーキャリアを決定することと、
第1の通信デバイスにより、繰り返し数と、スケジューリング情報とに基づいて、SIB1を伝送するために使用される非アンカーキャリア上でSIB1を第2の通信デバイスに伝送すること、又は、第1の通信デバイスにより、スケジューリング情報に基づいて、アンカーキャリア上でSIB1を第2の通信デバイスに伝送すること、及び、第1の通信デバイスにより、スケジューリング情報と、繰り返し数とに基づいて、SIB1を伝送するために使用される非アンカーキャリア上でSIB1を第2の通信デバイスに伝送することと
を含む。
【００１４】
任意選択で、第1の情報は、SIB1を伝送するために使用される非アンカーキャリア上のSIB1の伝送モード情報を含み、伝送モード情報は、リソース指示情報を含み、リソース指示情報は、SIB1を伝送するために使用される非アンカーキャリア上のSIB1の繰り返し数がアンカーキャリア上のSIB1の繰り返し数と同じであるとき、SIB1がアンカーキャリア上で一回伝送される繰り返し周期において、SIB1を伝送するために使用される非アンカーキャリア上のSIB1の伝送が、アンカーキャリア上のSIB1の伝送よりも多い伝送リソースを必要とするか否かを示すために使用され、伝送リソースは、サブフレーム、無線フレーム、ハイパーフレーム、シンボル又はスロットのうち1つであり、
第1の通信デバイスにより、スケジューリング情報と、第1の情報とに基づいて、SIB1を第2の通信デバイスに伝送することは、
第1の通信デバイスにより、SIB1を伝送するために使用される非アンカーキャリアを決定することと、
第1の通信デバイスにより、リソース指示情報に基づいて、SIB1を伝送するために使用され且つSIB1を伝送するために使用される非アンカーキャリア上にある伝送リソースを決定することと、
第1の通信デバイスにより、SIB1を伝送するために使用され且つSIB1を伝送するために使用される非アンカーキャリア上にある伝送リソースを使用することにより、スケジューリング情報に基づいて、SIB1を第2の通信デバイスに伝送すること、又は、第1の通信デバイスにより、SIB1を伝送するために使用され且つSIB1を伝送するために使用される非アンカーキャリア上にある伝送リソースを使用することにより、スケジューリング情報に基づいて、アンカーキャリア上でSIB1を第2の通信デバイスに伝送することと
を含む。
【００１５】
任意選択で、繰り返し数の集合内のいくつかの繰り返し数の値は第1の状態に対応し、第1の状態は、SIB1がアンカーキャリア上でのみ伝送されることであり、繰り返し数の集合内の他の繰り返し数の値は第2の状態に対応し、第2の状態は、SIB1が非アンカーキャリア上でのみ伝送されること、又は、SIB1がアンカーキャリア及び非アンカーキャリア上で伝送されることであり、スケジューリング情報は、SIB1を伝送するために使用されるトランスポートブロックサイズと、繰り返し数とを決定するために使用され、
第1の通信デバイスにより、スケジューリング情報に基づいて、SIB1を第2の通信デバイスに伝送することは、第1の通信デバイスにより、繰り返し数が第1の状態又は第2の状態に対応すると決定することと、第1の通信デバイスにより、第1の状態又は第2の状態に基づいて、アンカーキャリア及び/又は非アンカーキャリア上でSIB1を第2の通信デバイスに伝送することと、
第1の通信デバイスが非アンカーキャリア上でSIB1を伝送することを決定するとき、第1の通信デバイスにより、SIB1を伝送するために使用される非アンカーキャリアを決定することと
を含む。
【００１６】
任意選択で、繰り返し数の集合内のいくつかの繰り返し数の値は第1の状態に対応し、第1の状態は、SIB1がアンカーキャリア上でのみ伝送されることであり、繰り返し数の集合内の他の繰り返し数の値に対応する第2の状態は、SIB1を伝送するために使用される状態情報に基づいて決定され、第2の状態は、SIB1が非アンカーキャリア上でのみ伝送されること、又は、SIB1がアンカーキャリア上でのみ伝送されることであり、スケジューリング情報は、SIB1を伝送するために使用されるトランスポートブロックサイズと、繰り返し数とを決定するために使用され、スケジューリング情報内の繰り返し数が第1の状態に対応するとき、MIBメッセージは、SIB1のスケジューリング情報と、キャリアの動作モードとを含み、スケジューリング情報内の繰り返し数が第2の状態に対応するとき、MIBメッセージは、SIB1のスケジューリング情報と、キャリアの動作モードと、SIB1を伝送するために使用される状態情報を含む第1の情報とを含み、
第1の通信デバイスにより、スケジューリング情報と、キャリアの動作モード及び第1の情報のうち少なくとも1つとに基づいて、SIB1を第2の通信デバイスに伝送することは、
スケジューリング情報内の繰り返し数がいくつかの繰り返し数の値に属するとき、いくつかの繰り返し数の値に対応する第1の状態と、スケジューリング情報とに基づいて、アンカーキャリア上でSIB1を第2の通信デバイスに伝送すること、又は、
スケジューリング情報内の繰り返し数が他の繰り返し数の値に属するとき、スケジューリング情報に基づいて、アンカーキャリア上でSIB1を第2の通信デバイスに伝送すること、又は、スケジューリング情報と、キャリアの動作モードと、第1の情報内にあり且つSIB1を伝送するために使用される状態情報とに基づいて、非アンカーキャリア上でSIB1を第2の通信デバイスに伝送すること
を含み、
第1の通信デバイスにより、非アンカーキャリア上でSIB1を伝送することは、第1の通信デバイスにより、SIB1を伝送するために使用される非アンカーキャリアを決定することを含む。
【００１７】
任意選択で、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含み、
スケジューリング情報と、キャリアの動作モードと、第1の情報内にあり且つSIB1を伝送するために使用される状態情報とに基づいて、SIB1を伝送するために使用される非アンカーキャリア上でSIB1を第2の通信デバイスに伝送することは、
第1の通信デバイスにより、キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つである、ことと、
第1の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、第1の通信デバイスにより、スケジューリング情報と、SIB1を伝送するために使用される非アンカーキャリア上のSIB1の伝送リソースとに基づいて、非アンカーキャリア上でSIB1を第2の通信デバイスに伝送すること、又は、
第1の通信デバイスにより、ガードバンド動作モード又は帯域内動作モードに基づいて、SIB1を伝送するために使用される非アンカーキャリア上のSIB1の伝送リソースを決定すること、及び、
第1の通信デバイスにより、スケジューリング情報と、SIB1を伝送するために使用される非アンカーキャリア上のSIB1の伝送リソースとに基づいて、SIB1を伝送するために使用される非アンカーキャリア上でSIB1を第2の通信デバイスに伝送することと
を含む。
【００１８】
任意選択で、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含み、
第1の通信デバイスにより、スケジューリング情報と、キャリアの動作モードとに基づいて、SIB1を第2の通信デバイスに伝送することは、
第1の通信デバイスにより、キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つを含む、ことと、
第1の通信デバイスにより、スタンドアローン動作モードに基づいて、非アンカーキャリア上のSIB1の繰り返し数がアンカーキャリア上のSIB1の繰り返し数と同じであると決定すること、及び、
第1の通信デバイスにより、スケジューリング情報と、繰り返し数とに基づいて、SIB1を伝送するために使用される非アンカーキャリア上でSIB1を伝送すること、又は、第1の通信デバイスにより、スケジューリング情報に基づいて、アンカーキャリア上でSIB1を第2の通信デバイスに伝送すること、及び、第1の通信デバイスにより、繰り返し数と、スケジューリング情報とに基づいて、SIB1を伝送するために使用される非アンカーキャリア上でSIB1を第2の通信デバイスに伝送すること、又は、
第1の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、
第1の通信デバイスにより、スケジューリング情報と、伝送リソースとに基づいて、非アンカーキャリア上でSIB1に伝送すること、又は、第1の通信デバイスにより、スケジューリング情報に基づいて、アンカーキャリア上でSIB1を第2の通信デバイスに伝送すること、及び、第1の通信デバイスにより、伝送リソースと、スケジューリング情報とに基づいて、非アンカーキャリア上でSIB1を第2の通信デバイスに伝送すること、又は、
第1の通信デバイスにより、ガードバンド動作モード又は帯域内動作モードに基づいて、非アンカーキャリア上のSIB1の繰り返し数を決定すること、及び、
第1の通信デバイスにより、非アンカーキャリア上のSIB1の繰り返し数と、スケジューリング情報とに基づいて、非アンカーキャリア上でSIB1を第2の通信デバイスに伝送すること、又は、
第1の通信デバイスにより、スケジューリング情報に基づいて、アンカーキャリア上でSIB1を第2の通信デバイスに伝送すること、及び、第1の通信デバイスにより、非アンカーキャリア上のSIB1の繰り返し数と、スケジューリング情報とに基づいて、非アンカーキャリア上でSIB1を第2の通信デバイスに伝送すること、又は、
第1の通信デバイスにより、ガードバンド動作モード又は帯域内動作モードに基づいて、非アンカーキャリア上のSIB1の伝送リソースを決定すること、及び、
第1の通信デバイスにより、非アンカーキャリア上のSIB1の伝送リソースと、スケジューリング情報とに基づいて、非アンカーキャリア上でSIB1を第2の通信デバイスに伝送すること、又は、
第1の通信デバイスにより、スケジューリング情報に基づいて、アンカーキャリア上でSIB1を第2の通信デバイスに伝送すること、及び、第1の通信デバイスにより、非アンカーキャリア上のSIB1の伝送リソースと、スケジューリング情報とに基づいて、非アンカーキャリア上でSIB1を第2の通信デバイスに伝送することと
を含み、
第1の通信デバイスにより、非アンカーキャリア上でSIB1を伝送することは、第1の通信デバイスにより、SIB1を伝送するために使用される非アンカーキャリアを決定することを含む。
【００１９】
任意選択で、第1の情報は、SIB1を伝送するために使用される非アンカーキャリアの周波数領域位置情報を更に含み、周波数領域位置情報は、以下のパラメータ、すなわち、
アンカーキャリアに対するSIB1を伝送するために使用される非アンカーキャリアの相対位置と、
SIB1を伝送するために使用される非アンカーキャリアとアンカーキャリアとの間の周波数領域オフセットとのうち少なくとも1つを含み、周波数領域オフセットは、周波数領域間隔又はリソースブロック数であり、
第1の通信デバイスにより、SIB1を伝送するために使用される非アンカーキャリアを決定することは、
第1の通信デバイスにより、アンカーキャリアと、非アンカーキャリアの周波数領域位置情報とに基づいて、SIB1を伝送するために使用される非アンカーキャリアの周波数領域位置を決定することと、
第1の通信デバイスにより、周波数領域位置に対応する非アンカーキャリアを決定することと
を含む。
【００２０】
第2の態様によれば、この出願は、システムメッセージ伝送方法を提供する。当該方法は、
第2の通信デバイスにより、第1の通信デバイスからマスター情報ブロックMIBメッセージを受信するステップであり、MIBメッセージは、SIB1のスケジューリング情報を含むか、或いは、MIBメッセージは、スケジューリング情報と、キャリアの動作モード及び第1の情報のうち少なくとも1つとを含み、第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含む、ステップと、
第2の通信デバイスにより、スケジューリング情報に基づいて、或いは、スケジューリング情報と、キャリアの動作モード及び第1の情報のうち少なくとも1つとに基づいて、第1の通信デバイスからSIB1を受信するステップと
を含む。
【００２１】
第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよいので、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の間の相互干渉を回避でき、それにより、SIB1の伝送信頼性が改善できる。
【００２２】
任意選択で、第1の情報は、SIB1を伝送するために使用される状態情報を含み、
状態情報は、以下の状態、すなわち、SIB1がアンカーキャリア上でのみ伝送されることと、SIB1が非アンカーキャリア上でのみ伝送されることとのうち1つを含むか、或いは、
状態情報は、以下の状態、すなわち、SIB1がアンカーキャリア上でのみ伝送されることと、SIB1がアンカーキャリア及び非アンカーキャリア上で伝送されることとのうち1つを含み、
第2の通信デバイスにより、スケジューリング情報と、第1の情報とに基づいて、第1の通信デバイスからSIB1を受信することは、
第2の通信デバイスにより、スケジューリング情報と、状態情報とに基づいて、アンカーキャリア及び/又は非アンカーキャリア上で第1の通信デバイスからSIB1を受信することを決定することと、
第2の通信デバイスが、非アンカーキャリア上で第1の通信デバイスからSIB1を受信することを決定するとき、第2の通信デバイスにより、SIB1を受信するために使用される非アンカーキャリアを決定することと
を含む。
【００２３】
第1の通信デバイスは、SIB1を伝送するために使用される様々な異なる情報をスケジューリング情報及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の間の相互干渉を回避でき、それにより、SIB1の伝送信頼性が改善できる。
【００２４】
任意選択で、第1の情報は、SIB1を伝送するために使用される時間領域位置情報を更に含み、SIB1を伝送するために使用される時間領域位置情報は、以下の位置、すなわち、サブフレーム位置と、無線フレーム位置と、ハイパーフレーム位置と、シンボル位置と、スロット位置とのうち1つを含み、
第2の通信デバイスにより、スケジューリング情報と、状態情報とに基づいて、アンカーキャリア及び/又は非アンカーキャリア上で第1の通信デバイスからSIB1を受信することを決定することは、
第2の通信デバイスにより、スケジューリング情報と、状態情報と、時間領域位置情報とに基づいて、時間領域位置情報により示され且つアンカーキャリア及び/又は非アンカーキャリア上にある時間領域位置において、第1の通信デバイスからSIB1を受信することを決定することを含む。
【００２５】
任意選択で、第1の情報は、SIB1を伝送するために使用される時間領域位置情報を含み、時間領域位置情報は、以下の位置、すなわち、サブフレーム位置と、無線フレーム位置と、ハイパーフレーム位置と、シンボル位置と、スロット位置とのうち1つを含み、
第2の通信デバイスにより、スケジューリング情報と、第1の情報とに基づいて、第1の通信デバイスからSIB1を受信することは、
第2の通信デバイスにより、SIB1を受信するために使用されるキャリアを決定することであり、キャリアは、アンカーキャリア及び/又はSIB1を伝送するために使用される非アンカーキャリアを含む、ことと、
第2の通信デバイスにより、時間領域位置情報により示され且つアンカーキャリア及び/又はSIB1を伝送するために使用される非アンカーキャリア上にある時間領域位置において、スケジューリング情報に基づいて、第1の通信デバイスからSIB1を受信することと
を含む。
【００２６】
任意選択で、第1の情報は、SIB1を伝送するために使用される非アンカーキャリアの周波数領域位置情報を含み、SIB1を伝送するために使用される非アンカーキャリアの周波数領域位置情報は、以下のパラメータ、すなわち、
アンカーキャリアに対するSIB1を伝送するために使用される非アンカーキャリアの相対位置と、
SIB1を伝送するために使用される非アンカーキャリアとアンカーキャリアとの間の周波数領域オフセットとのうち少なくとも1つを含み、周波数領域オフセットは、周波数領域間隔又はリソースブロック数であり、
第2の通信デバイスにより、スケジューリング情報と、第1の情報とに基づいて、第1の通信デバイスからSIB1を受信することは、
第2の通信デバイスにより、SIB1を受信するために使用される非アンカーキャリアを決定することと、
第2の通信デバイスにより、周波数領域位置情報と、アンカーキャリアとに基づいて、SIB1を伝送するために使用される非アンカーキャリアの周波数領域位置を決定することと、
第2の通信デバイスにより、スケジューリング情報に基づいて、周波数領域位置に対応し且つSIB1を伝送するために使用される非アンカーキャリア上で第1の通信デバイスからSIB1を受信すること、又は、第2の通信デバイスにより、スケジューリング情報に基づいて、アンカーキャリア及び周波数領域位置に対応し且つSIB1を伝送するために使用される非アンカーキャリア上で第1の通信デバイスからSIB1を受信することと
を含む。
【００２７】
任意選択で、第1の情報は、SIB1を伝送するために使用される非アンカーキャリア上のSIB1の伝送モード情報を含み、伝送モード情報は、SIB1を伝送するために使用される非アンカーキャリア上のSIB1の繰り返し数を含み、
第2の通信デバイスにより、スケジューリング情報と、第1の情報とに基づいて、第1の通信デバイスからSIB1を受信することは、
第2の通信デバイスにより、SIB1を伝送するために使用される非アンカーキャリアを決定することと、
第2の通信デバイスにより、繰り返し数と、スケジューリング情報とに基づいて、SIB1を伝送するために使用される非アンカーキャリア上で第1の通信デバイスからSIB1を受信すること、又は、第2の通信デバイスにより、スケジューリング情報に基づいて、アンカーキャリア上で第1の通信デバイスからSIB1を受信し、第2の通信デバイスにより、スケジューリング情報と、繰り返し数と基づいて、SIB1を伝送するために使用される非アンカーキャリア上で第1の通信デバイスからSIB1を受信することと
を含む。
【００２８】
任意選択で、第1の情報は、SIB1を伝送するために使用される非アンカーキャリア上のSIB1の伝送モード情報を含み、伝送モード情報は、リソース指示情報を含み、リソース指示情報は、SIB1を伝送するために使用される非アンカーキャリア上のSIB1の繰り返し数がアンカーキャリア上のSIB1の繰り返し数と同じであるとき、SIB1がアンカーキャリア上で一回伝送される繰り返し周期において、SIB1を伝送するために使用される非アンカーキャリア上のSIB1の伝送が、アンカーキャリア上のSIB1の伝送よりも多い伝送リソースを必要とするか否かを示すために使用され、伝送リソースは、サブフレーム、無線フレーム、ハイパーフレーム、シンボル又はスロットのうち1つであり、
第2の通信デバイスにより、スケジューリング情報と、第1の情報とに基づいて、第1の通信デバイスからSIB1を受信することは、
第2の通信デバイスにより、SIB1を伝送するために使用される非アンカーキャリアを決定することと、
第2の通信デバイスにより、リソース指示情報に基づいて、SIB1を伝送するために使用され且つSIB1を伝送するために使用される非アンカーキャリア上にある伝送リソースを決定することと、
第2の通信デバイスにより、SIB1を伝送するために使用され且つSIB1を伝送するために使用される非アンカーキャリア上にある伝送リソースを使用することにより、スケジューリング情報に基づいて、第1の通信デバイスからSIB1を受信すること、又は、第2の通信デバイスにより、SIB1を伝送するために使用され且つSIB1を伝送するために使用される非アンカーキャリア上にある伝送リソースを使用することにより、スケジューリング情報に基づいて、アンカーキャリア上で第1の通信デバイスからSIB1を受信することと
を含む。
【００２９】
任意選択で、繰り返し数の集合内のいくつかの繰り返し数の値は第1の状態に対応し、第1の状態は、SIB1がアンカーキャリア上でのみ伝送されることであり、
繰り返し数の集合内の他の繰り返し数の値は第2の状態に対応し、第2の状態は、SIB1が非アンカーキャリア上でのみ伝送されること、又は、SIB1がアンカーキャリア及び非アンカーキャリア上で伝送されることであり、
スケジューリング情報は、SIB1を伝送するために使用されるトランスポートブロックサイズと、繰り返し数とを決定するために使用され、
第2の通信デバイスにより、スケジューリング情報に基づいて、第1の通信デバイスからSIB1を受信することは、
第2の通信デバイスにより、繰り返し数が第1の状態又は第2の状態に対応すると決定することと、
第2の通信デバイスにより、第1の状態又は第2の状態に基づいて、アンカーキャリア及び/又は非アンカーキャリア上で第1の通信デバイスからSIB1を受信することと、
第2の通信デバイスが、非アンカーキャリア上で第1の通信デバイスからSIB1を受信することを決定するとき、第2の通信デバイスにより、SIB1を受信するために使用される非アンカーキャリアを決定することと
を含む。
【００３０】
任意選択で、繰り返し数の集合内のいくつかの繰り返し数の値は第1の状態に対応し、第1の状態は、SIB1がアンカーキャリア上でのみ伝送されることであり、
繰り返し数の集合内の他の繰り返し数の値に対応する第2の状態は、SIB1を伝送するために使用される状態情報に基づいて決定され、第2の状態は、SIB1が非アンカーキャリア上でのみ伝送されること、又は、SIB1がアンカーキャリア上でのみ伝送されることであり、
スケジューリング情報は、SIB1を伝送するために使用されるトランスポートブロックサイズと、繰り返し数とを決定するために使用され、
スケジューリング情報内の繰り返し数が第1の状態に対応するとき、MIBメッセージは、SIB1のスケジューリング情報と、キャリアの動作モードとを含み、
スケジューリング情報内の繰り返し数が第2の状態に対応するとき、MIBメッセージは、SIB1のスケジューリング情報と、キャリアの動作モードと、SIB1を伝送するために使用される状態情報を含む第1の情報とを含み、
第2の通信デバイスにより、スケジューリング情報と、キャリアの動作モード及び第1の情報のうち少なくとも1つとに基づいて、第1の通信デバイスからSIB1を受信することは、
スケジューリング情報内の繰り返し数がいくつかの繰り返し数の値に属するとき、いくつかの繰り返し数の値に対応する第1の状態と、スケジューリング情報とに基づいて、アンカーキャリア上で第1の通信デバイスからSIB1を受信すること、又は、
スケジューリング情報内の繰り返し数が他の繰り返し数の値に属するとき、スケジューリング情報に基づいて、アンカーキャリア上で第1の通信デバイスからSIB1を受信すること、又は、スケジューリング情報と、キャリアの動作モードと、第1の情報内にあり且つSIB1を伝送するために使用される状態情報とに基づいて、非アンカーキャリア上で第1の通信デバイスからSIB1を受信すること
を含み、
第2の通信デバイスにより、非アンカーキャリア上で第1の通信デバイスからSIB1を受信することは、第2の通信デバイスにより、SIB1を受信するために使用される非アンカーキャリアを決定することを含む。
【００３１】
任意選択で、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含み、
スケジューリング情報と、キャリアの動作モードと、第1の情報内にあり且つSIB1を伝送するために使用される状態情報とに基づいて、SIB1を伝送するために使用される非アンカーキャリア上で第1の通信デバイスからSIB1を受信することは、
第2の通信デバイスにより、キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つである、ことと、
第2の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、
第2の通信デバイスにより、非アンカーキャリア上のSIB1の伝送リソースと、スケジューリング情報とに基づいて、非アンカーキャリア上で第1の通信デバイスからSIB1を受信すること、又は、
第2の通信デバイスにより、ガードバンド動作モード又は帯域内動作モードに基づいて、SIB1を伝送するために使用される非アンカーキャリア上のSIB1の伝送リソースを決定すること、及び、
第2の通信デバイスにより、スケジューリング情報と、SIB1を伝送するために使用される非アンカーキャリア上のSIB1の伝送リソースとに基づいて、SIB1を伝送するために使用される非アンカーキャリア上で第1の通信デバイスからSIB1を受信することと
を含む。
【００３２】
任意選択で、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含み、
第2の通信デバイスにより、スケジューリング情報と、キャリアの動作モードとに基づいて、第1の通信デバイスからSIB1を受信することは、
第2の通信デバイスにより、キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つを含む、ことと、
第2の通信デバイスにより、スタンドアローン動作モードに基づいて、非アンカーキャリア上のSIB1の繰り返し数がアンカーキャリア上のSIB1の繰り返し数と同じであると決定すること、及び、
第2の通信デバイスにより、スケジューリング情報と、繰り返し数とに基づいて、SIB1を伝送するために使用される非アンカーキャリア上で第1の通信デバイスからSIB1を受信すること、又は、第2の通信デバイスにより、アンカーキャリア上で第1の通信デバイスからSIB1を受信すること、及び、第2の通信デバイスにより、繰り返し数と、スケジューリング情報とに基づいて、SIB1を伝送するために使用される非アンカーキャリア上で第1の通信デバイスからSIB1を受信すること、又は、
第2の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、
第2の通信デバイスにより、スケジューリング情報と、伝送リソースとに基づいて、非アンカーキャリア上で第1の通信デバイスからSIB1に受信すること、又は、第2の通信デバイスにより、アンカーキャリア上で第1の通信デバイスからSIB1を受信すること、及び、第2の通信デバイスにより、伝送リソースと、スケジューリング情報とに基づいて、非アンカーキャリア上で第1の通信デバイスからSIB1を受信すること、又は、
第2の通信デバイスにより、ガードバンド動作モード又は帯域内動作モードに基づいて、非アンカーキャリア上のSIB1の繰り返し数を決定すること、及び、
第2の通信デバイスにより、非アンカーキャリア上のSIB1の繰り返し数と、スケジューリング情報とに基づいて、非アンカーキャリア上で第1の通信デバイスからSIB1を受信すること、又は、
第2の通信デバイスにより、アンカーキャリア上で第1の通信デバイスからSIB1を受信すること、及び、第2の通信デバイスにより、非アンカーキャリア上のSIB1の繰り返し数と、スケジューリング情報とに基づいて、非アンカーキャリア上で第1の通信デバイスからSIB1を受信すること、又は、
第2の通信デバイスにより、ガードバンド動作モード又は帯域内動作モードに基づいて、非アンカーキャリア上のSIB1の伝送リソースを決定すること、及び、
第2の通信デバイスにより、非アンカーキャリア上のSIB1の伝送リソースと、スケジューリング情報とに基づいて、非アンカーキャリア上で第1の通信デバイスからSIB1を受信すること、又は、
第2の通信デバイスにより、アンカーキャリア上で第1の通信デバイスからSIB1を受信すること、及び、第2の通信デバイスにより、非アンカーキャリア上のSIB1の伝送リソースと、スケジューリング情報とに基づいて、非アンカーキャリア上で第1の通信デバイスからSIB1を受信することと
を含み、
第2の通信デバイスにより、非アンカーキャリア上で第1の通信デバイスからSIB1を受信することは、第2の通信デバイスにより、SIB1を受信するために使用される非アンカーキャリアを決定することを含む。
【００３３】
任意選択で、第1の情報は、SIB1を伝送するために使用される非アンカーキャリアの周波数領域位置情報を更に含み、周波数領域位置情報は、以下のパラメータ、すなわち、
アンカーキャリアに対するSIB1を伝送するために使用される非アンカーキャリアの相対位置と、
SIB1を伝送するために使用される非アンカーキャリアとアンカーキャリアとの間の周波数領域オフセットとのうち少なくとも1つを含み、周波数領域オフセットは、周波数領域間隔又はリソースブロック数であり、
第2の通信デバイスにより、SIB1を受信するために使用される非アンカーキャリアを決定することは、
第2の通信デバイスにより、アンカーキャリアと、非アンカーキャリアの周波数領域位置情報とに基づいて、SIB1を伝送するために使用される非アンカーキャリアの周波数領域位置を決定することと、
第2の通信デバイスにより、周波数領域位置に対応する非アンカーキャリアを決定することと
を含む。
【００３４】
第3の態様によれば、この出願は、システムメッセージ伝送装置を提供する。システムメッセージ伝送装置は第1の通信デバイスであり、システムメッセージ伝送装置は、
マスター情報ブロックMIBメッセージを構成するように適合された処理モジュールであり、
MIBメッセージは、SIB1のスケジューリング情報を含むか、或いは、MIBメッセージは、スケジューリング情報と、キャリアの動作モード及び第1の情報のうち少なくとも1つとを含み、
第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含む、処理モジュールと、
MIBメッセージを第2の通信デバイスに送信するように適合された送信モジュールと
を含み、
処理モジュールは、送信モジュールを使用することにより、スケジューリング情報に基づいて、或いは、スケジューリング情報と、キャリアの動作モード及び第1の情報のうち少なくとも1つとに基づいて、SIB1を第2の通信デバイスに伝送するように更に適合される。
【００３５】
同じ発明概念に基づいて、当該装置の問題解決原理は、第1の態様の方法の設計の解決策に対応する。したがって、当該装置の実現方式については、方法の実現方式を参照し、繰り返しの部分は再び説明しない。
【００３６】
第4の態様によれば、この出願は、システムメッセージ伝送装置を提供する。システムメッセージ伝送装置は第2の通信デバイスであり、システムメッセージ伝送装置は、
第1の通信デバイスからマスター情報ブロックMIBメッセージを受信するように適合された受信モジュールであり、MIBメッセージは、SIB1のスケジューリング情報を含むか、或いは、MIBメッセージは、スケジューリング情報と、キャリアの動作モード及び第1の情報のうち少なくとも1つとを含み、第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含む、受信モジュールと、
受信モジュールを使用することにより、スケジューリング情報に基づいて、或いは、スケジューリング情報と、キャリアの動作モード及び第1の情報のうち少なくとも1つとに基づいて、第1の通信デバイスからSIB1を受信するように適合された処理モジュールと
を含む。
【００３７】
同じ発明概念に基づいて、当該装置の問題解決原理は、第2の態様の方法の設計の解決策に対応する。したがって、当該装置の実現方式については、方法の実現方式を参照し、繰り返しの部分は再び説明しない。
【００３８】
第5の態様によれば、この出願は、通信デバイスを提供する。通信デバイスは第1の通信デバイスであり、通信デバイスは、メモリと、プロセッサと、メモリに記憶され且つプロセッサにより実行できるコンピュータプログラムとを含む。プロセッサは、第1の態様によるシステムメッセージ伝送方法のステップを実現するように、コンピュータプログラムを実行する。
【００３９】
第6の態様によれば、この出願は、通信デバイスを提供する。通信デバイスは第2の通信デバイスであり、通信デバイスは、メモリと、プロセッサと、メモリに記憶され且つプロセッサにより実行できるコンピュータプログラムとを含む。プロセッサは、第2の態様によるシステムメッセージ伝送方法のステップを実現するように、コンピュータプログラムを実行する。
【００４０】
第7の態様によれば、この出願は、通信システムを提供する。通信システムは、第5の態様による通信デバイスと、第6の態様による通信デバイスとを含む。
【００４１】
第8の態様によれば、この出願は、通信デバイスを提供する。通信デバイスは、第1の態様による方法を実行するように構成された少なくとも1つの処理要素(又はチップ)を含む。
【００４２】
第9の態様によれば、この出願は、通信デバイスを提供する。通信デバイスは、第2の態様による方法を実行するように構成された少なくとも1つの処理要素(又はチップ)を含む。
【００４３】
第10の態様によれば、この出願は、プログラムを提供する。プログラムは、通信デバイスのプロセッサにより実行されるときに、第1の態様による方法を実行するように適合される。
【００４４】
第11の態様によれば、この出願は、プログラムを提供する。プログラムは、通信デバイスのプロセッサにより実行されるときに、第2の態様による方法を実行するように適合される。
【００４５】
第12の態様によれば、この出願は、コンピュータプログラムプロダクトを提供する。コンピュータプログラムプロダクトは、第10の態様によるプログラムを含む。
【００４６】
第13の態様によれば、この出願は、コンピュータプログラムプロダクトを提供する。コンピュータプログラムプロダクトは、第11の態様によるプログラムを含む。
【００４７】
第14の態様によれば、この出願は、コンピュータ読み取り可能記憶媒体を提供する。コンピュータ読み取り可能記憶媒体内の命令が通信デバイスのプロセッサにより実行されるとき、通信デバイスは、第1の態様による方法を実行することが可能になる。
【００４８】
第15の態様によれば、この出願は、コンピュータ読み取り可能記憶媒体を提供する。コンピュータ読み取り可能記憶媒体内の命令が通信デバイスのプロセッサにより実行されるとき、通信デバイスは、第2の態様による方法を実行することが可能になる。
【００４９】
この出願のこれらの態様又は他の態様は、以下の(いくつかの)実施形態の説明において、より明確になりより理解可能になる。
【図面の簡単な説明】
【００５０】
【図１】この出願による通信システムの概略図である。
【図２】この出願の実施形態によるシステムメッセージ伝送方法のシグナリング図である。
【図３】この出願に従ってSIB1を伝送するために使用される非アンカーキャリアの周波数領域位置情報の凡例である。
【図４】この出願によるスタンドアローン動作モードの凡例である。
【図５】この出願によるガードバンド動作モードの凡例である。
【図６】この出願による帯域内動作モードの凡例である。
【図７】この出願によるシステムメッセージ伝送モードの概略図である。
【図８】この出願による他のシステムメッセージ伝送モードの概略図である。
【図９】この出願の実施形態によるシステムメッセージ伝送装置の概略構造図である。
【図１０】この出願の他の実施形態によるシステムメッセージ伝送装置の概略構造図である。
【図１１】この出願の実施形態による通信デバイスの概略構造図である。
【図１２】この出願の他の実施形態による通信デバイスの概略構造図である。
【発明を実施するための形態】
【００５１】
この出願は、NB-IoTシステム、LTEシステム又はLTEアドバンスド(LTE  Advanced,  LTE-A)システムに主に適用される。この出願はまた、通信システム内のエンティティが情報を送信でき、通信システム内の他のエンティティが情報を受信できるという前提で、他の通信システムにも適用されてもよい。
【００５２】
図１に示すように、第1の通信デバイスの例はネットワークデバイスであり、第2の通信デバイスの例は端末デバイスであり、第1の通信デバイス及び第2の通信デバイスは、通信システムを形成する。通信システムにおいて、この出願の実施形態において提供される以下の技術的解決策を実現するために、端末デバイスは、ネットワークデバイスのカバレッジ内に位置し、ネットワークデバイスと通信する。第1の通信デバイスは、ネットワークデバイスに限定されない点に留意すべきである。同様に、第2の通信デバイスは、端末デバイスに限定されない。
【００５３】
この出願において、実施形態は、ネットワークデバイス及び端末デバイスを参照して理解され得る。ネットワークデバイス及び端末デバイスは、ライセンス帯域又はアンライセンス帯域上で動作してもよい。
【００５４】
端末デバイスはまた、ユーザ機器(User  Equipment,  UE)、アクセス端末、加入者ユニット、加入者局、移動局、移動コンソール、遠隔局、遠隔端末、移動デバイス、ユーザ端末、端末、無線通信デバイス、ユーザエージェント、又はユーザ装置とも呼ばれてもよい。端末デバイスは、無線ローカルエリアネットワーク(Wireless  Local  Area  Networks,  WLAN)内のステーション(STATION,  ST)でもよく、或いは、携帯電話、コードレス電話、セッションイニシエーションプロトコル(Session  Initiation  Protocol,  SIP)電話、無線ローカルループ(Wireless  Local  Loop,  WLL)局、パーソナルデジタルアシスタント(Personal  Digital  Assistant,  PDA)デバイス、無線通信機能を有するハンドヘルドデバイス、コンピューティングデバイス、無線モデムに接続された他の処理デバイス、車載デバイス、ウェアラブルデバイス、又は次世代通信システム、例えば、第5世代(the  fifth-generation,  5G)ネットワークにおける端末デバイス又は将来の進化型公衆陸上移動ネットワーク(public  land  mobile  network,  PLMN)における端末デバイスでもよい。
【００５５】
限定の代わりに一例として、この出願では、端末デバイスは、代替として、ウェアラブルデバイスでもよい。ウェアラブルデバイスはまた、ウェアラブルインテリジェントデバイスとも呼ばれてもよく、日常装着のインテリジェント設計においてウェアラブル技術を適用することにより開発された、眼鏡、手袋、時計、衣類及び靴のようなウェアラブルデバイスの一般用語である。ウェアラブルデバイスは、身体に直接装着できるか、或いはユーザの衣類又はアクセサリに組み込むことができるポータブルデバイスである。ウェアラブルデバイスは単なるハードウェアデバイスではなく、ソフトウェアサポート、データ相互作用及びクラウド相互作用を通じて強力な機能を実現するために使用される。一般的なウェアラブルインテリジェントデバイスは、スマートウオッチ又はスマートグラスのように、スマートフォンに依存することなく完全或いは部分的な機能を実現できる全装備の大型デバイスと、物理的兆候を監視するための様々なスマートバンド又はスマートジュエリーのように、1つのタイプのアプリケーションのみに焦点を当て且つスマートフォンのような他のデバイスと共に動作する必要があるデバイスとを含む。
【００５６】
さらに、ネットワークデバイスはまた、無線アクセスネットワーク(Radio  Access  Network,  RAN)デバイスとも呼ばれ、端末デバイスを無線ネットワークに接続するデバイスであり、LTEシステムにおける進化型ノードB(Evolutional  NodeB、eNB又はNodeB)、中継局又はアクセスポイント、5Gネットワークにおけるネットワークデバイス又は将来の進化型PLMNネットワークにおけるネットワークデバイス又はNRシステムにおける新無線ノードB(new  radio  NodeB,  gNodeB)でもよい。これは、ここでは限定されない。
【００５７】
さらに、この出願の実施形態では、ネットワークデバイスは、セルのためのサービスを提供し、端末デバイスは、セル内で使用される伝送リソース(例えば、周波数領域リソース又はスペクトルリソース)を使用することにより、ネットワークデバイスと通信する。セルは、ネットワークデバイス(例えば、基地局)に対応するセルでもよく、セルは、マクロ基地局に属してもよく、或いは、スモールセル(small  cell)に対応する基地局に属してもよい。ここでのスモールセルは、メトロセル(Metro  cell)、マイクロセル(Micro  cell)、ピコセル(Pico  cell)、フェムトセル(Femto  cell)等を含んでもよい。これらのスモールセルは、小さいカバレッジ及び低い伝送電力という特性を有し、高速データ伝送サービスを提供するのに適用可能である。
【００５８】
この出願の実施形態では、アンカーキャリアは、共通チャネル又は共通信号が伝送されると第2の通信デバイスが仮定するキャリアである。非アンカーキャリアは、共通チャネル又は共通信号が伝送されないと第2の通信デバイスが仮定するキャリアである。共通チャネルはセルレベルの共通チャネルであり、共通信号はセルレベルの共通信号である。NB-IoTシステムでは、アンカーキャリアは、NPSS/NSSS/NPBCH/SIB-NB伝送が実行されると第2の通信デバイスが仮定するキャリアであり、アンカーキャリアは、NPSS/NSSS/NPBCH/SIB-NB伝送が実行されないと第2の通信デバイスが仮定するキャリアである。代替として、NB-IoTシステムでは、アンカーキャリアは、NPSS/NSSS/NPBCH伝送が実行されると第2の通信デバイスが仮定するキャリアであり、アンカーキャリアは、NPSS/NSSS/NPBCH伝送が実行されないと第2の通信デバイスが仮定するキャリアである。
【００５９】
図２は、この出願の実施形態によるシステムメッセージ伝送方法のシグナリング図である。図２に示すように、この実施形態における方法は、以下のステップを含む。
【００６０】
S201:第1の通信デバイスは、マスター情報ブロック(Master  information  block,  MIB)メッセージを構成する。
【００６１】
MIBメッセージは異なる情報を搬送してもよく、以下のタイプが存在する。
【００６２】
タイプ1:MIBメッセージはSIB1のスケジューリング情報を含む。
【００６３】
タイプ2:MIBメッセージは、SIB1のスケジューリング情報と、キャリアの動作モードとを含む。
【００６４】
タイプ3:MIBメッセージは、SIB1のスケジューリング情報と、第1の情報とを含む。
【００６５】
タイプ4:MIBメッセージは、SIB1のスケジューリング情報と、第1の情報と、キャリアの動作モードとを含む。
【００６６】
さらに、第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含んでもよい。
【００６７】
このステップにおいて、スケジューリング情報は、繰り返し数と、SIB1を伝送するために使用されるトランスポートブロックサイズとを示すために使用される。具体的な指示方式は、別個の指示でもよく、トランスポートブロックサイズの値と、繰り返し数の値とを示してもよく、或いは、選択できるトランスポートブロックサイズのインデックスと、繰り返し数のインデックスとを示してもよい。具体的な指示方式は、共同の指示でもよく、選択できるトランスポートブロックサイズと繰り返し数との組み合わせのインデックスを示す。スケジューリング情報は、SIB1の伝送をスケジューリングするために使用される他の情報、例えば、SIB1の変調及び符号化方式(Modulation  and  Coding  Scheme,  MCS)を更に含んでもよい。
【００６８】
このステップにおいて、キャリアの動作モードは、アンカーキャリアの動作モード又はSIBを伝送するために使用される非アンカーキャリアの動作モード情報を含むか、或いは、キャリアの動作モードは、アンカーキャリアの動作モード及びSIBを伝送するために使用される非アンカーキャリアの動作モード情報を含む。アンカーキャリアの動作モードは、スタンドアローン動作モードと、ガードバンド動作モードと、帯域内動作モードとのうち1つを含む。SIB1を伝送するために使用される非アンカーキャリアの動作モードは、スタンドアローン動作モードと、ガードバンド動作モードと、帯域内動作モードとのうち1つを含む。アンカーキャリア及び非アンカーキャリアについては、帯域内動作モードは、この出願が適用されるシステムが他の通信システムの伝送帯域に展開されることを意味する。2つのシステムの物理セル識別子(Physical  Cell  Identifier,  PCI)が同じであるか否かに基づいて、帯域内動作モードは、帯域内同一PCI及び帯域内異PCIに分類されてもよい。例えば、NB-IoTシステムがLTEシステムのガードバンドに展開される場合、帯域内動作モードは、NB-IoTシステムのPCIがLTEシステムのPCIと同じであるか否かに依存して、帯域内同一PCI及び帯域内異PCIに分類されてもよい。
【００６９】
非アンカーキャリアの動作モードは、キャリアの動作モードに基づいて、以下の方式で決定されてもよい。
【００７０】
方式1:キャリアの動作モードはアンカーキャリアの動作モードを含む。非アンカーキャリアの動作モードがアンカーキャリアの動作モードと同じであることは、プロトコルを使用することにより予め定義されてもよい。したって、非アンカーキャリアの動作モードは、アンカーキャリアの動作モードに基づいて決定されてもよい。
【００７１】
方式2:キャリアの動作モードは、SIBを伝送するための非アンカーキャリアの動作モード情報を含む。SIBを伝送するために使用される非アンカーキャリアの動作モード情報は、SIBを伝送するために使用する非アンカーキャリアの動作モードを示すために使用される。したがって、非アンカーキャリアの動作モードは、SIBを伝送するために使用される非アンカーキャリアの動作モード情報に基づいて直接決定されてもよい。
【００７２】
方式3:キャリアの動作モードは、アンカーキャリアの動作モードと、SIBを伝送するために使用される非アンカーキャリアの動作モード情報とを含む。SIBを伝送するために使用される非アンカーキャリアの動作モード情報は、SIBを伝送するために使用される非アンカーキャリアの動作モードがアンカーキャリアの動作モードと同じであるか否かを示すために使用される。したがって、非アンカーキャリアの動作モードは、アンカーキャリアの動作モードと、SIBを伝送するために使用される非アンカーキャリアの動作モード情報とに基づいて決定されてもよい。
【００７３】
この出願が適用されるシステムは、第1の通信システムとして示されると仮定される。LTEシステムでは、CRSは伝送帯域で伝送され、CRSはガードバンドでは伝送されない。第1の通信システムのアンカーキャリアの動作モードがガードバンド動作であり(すなわち、アンカーキャリアがLTEのガードバンドに展開される)、第1の通信システムの非アンカーキャリアの動作モードがガードバンド動作である(すなわち、アンカーキャリアがLTEのガードバンドに展開される)とき、LTE  CRSポート数は、MIBメッセージで示される必要があり、新たなフィールドが指示のためにMIBメッセージに追加されてもよい。ガードバンド動作に対応するフィールド内の予備ビットが指示のために使用されてもよい。帯域内展開については、帯域内同一PCIは帯域内異PCIと区別されない。
【００７４】
NB-IoTを一例として使用すると、MasterInformationBlock-NBはMIBメッセージであり、operationModeInfoは動作モードに対応するフィールドであり、guardbandはガードバンド展開を示し、standaloneは独立展開を示し、inband-SamePCIは帯域内展開を示す。NB-IoTシステムのPCIはLTEシステムのPCIと同じである。inband-DifferentPCIについては、NB-IoTシステムのPCIはLTEシステムのPCIとは異なる。MIBメッセージ内の動作モードがガードバンド展開(guardband)であるとき、ガードバンド展開に対応するフィールドに3つの予備ビットが存在する。NB-IoTアンカーキャリアがガードバンド動作モードであり、SIB1を伝送するために使用される非アンカーキャリアが帯域内動作モード(inband-SamePCI及びinband-DifferentPCIのうち1つを含む)であるとき、予備ビットのうち1つは、LTE  CRSポート数を示すために使用されてもよい。さらに、LTE  CRSポート数を示すフィールドは、アンカーキャリアがガードバンド動作モードであり、非アンカーキャリアが帯域内動作モードであるときにのみ存在する。
MasterInformationBlock-NB::=SEQUENCE{
…
operationModeInfo-r13            CHOICE{
inband-SamePCI-r13                Inband-SamePCI-NB-r13,
inband-DifferentPCI-r13            Inband-DifferentPCI-NB-r13,
guardband-r13                    Guardband-NB-r13,
standalone-r13                    Standalone-NB-r13
},
spare                                BIT  STRING  (SIZE(11))
}
…
Guardband-NB-r13::=SEQUENCE{
rasterOffset-r13                    ChannelRasterOffset-NB-r13,
spare                              BIT  STRING  (SIZE(3))
}
【００７５】
このステップについては、従来技術と同様に、MIBメッセージは、以降の通信プロセスの動作を確保するために、通信システムに関する基本的な情報を第2の通信デバイスに通知するための他の情報を更に搬送してもよい点に留意すべきである。
S202:第1の通信デバイスは、MIBメッセージを第2の通信デバイスに送信する。
【００７６】
対応して、第2の通信デバイスは、第1の通信デバイスからMIBメッセージを受信する。
【００７７】
S203:第1の通信デバイスは、SIB1を第2の通信デバイスに伝送する。
【００７８】
具体的には、第1の通信デバイスは、スケジューリング情報に基づいて、或いは、スケジューリング情報と、キャリアの動作モード及び第1の情報のうち少なくとも1つとに基づいて、SIB1を第2の通信デバイスに伝送する。
【００７９】
このステップについては、第1の通信デバイスが、スケジューリング情報と、第1の情報とに基づいて、SIB1を第2の通信デバイスに伝送すること、第1の通信デバイスが、スケジューリング情報に基づいて、SIB1を第2の通信デバイスに伝送すること、第1の通信デバイスが、スケジューリング情報と、キャリアの動作モードとに基づいて、SIB1を第2の通信デバイスに伝送すること、第1の通信デバイスが、スケジューリング情報と、第1の情報と、キャリアの動作モードとに基づいて、SIB1を第2の通信デバイスに伝送すること等が理解され得る。詳細な説明については、以降の実施形態を参照する。詳細は、ここでは説明しない。
【００８０】
対応して、第2の通信デバイスは、スケジューリング情報に基づいて、或いは、スケジューリング情報と、キャリアの動作モード及び第1の情報のうち少なくとも1つとに基づいて、第1の通信デバイスからSIB1を受信する。
【００８１】
この実施形態では、第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよいので、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の間の相互干渉を回避でき、それにより、SIB1の伝送信頼性が改善できる。
【００８２】
上記の実施形態は、MIBメッセージに含まれる情報及び/又は第1の情報に含まれる情報を区別することにより、以下に詳細に記載される。
【００８３】
実施形態では、第1の情報は、SIB1を伝送するために使用される状態情報を含む。
【００８４】
状態情報は、以下の状態、すなわち、SIB1がアンカーキャリア上でのみ伝送されることと、SIB1が非アンカーキャリア上でのみ伝送されることとのうち1つを含むか、或いは、状態情報は、以下の状態、すなわち、SIB1がアンカーキャリア上でのみ伝送されることと、SIB1がアンカーキャリア及び非アンカーキャリア上で伝送されることとのうち1つを含む。
【００８５】
この実施形態では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよく、具体的には、第1の通信デバイスにより、スケジューリング情報と、状態情報とに基づいて、アンカーキャリア及び/又は非アンカーキャリア上でSIB1を第2の通信デバイスに伝送することを決定することと、第1の通信デバイスが、非アンカーキャリア上でSIB1を伝送することを決定するとき、第1の通信デバイスにより、SIB1を伝送するために使用される非アンカーキャリアを決定することとを更に含む。
【００８６】
SIB1伝送に使用される非アンカーキャリアの周波数領域位置が予め定義されているとき、第1の通信デバイスが、SIB1を伝送するために使用される非アンカーキャリアを決定することは、予め定義された周波数領域位置に対応する非アンカーキャリアがSIB1を伝送するために使用される非アンカーキャリアであると第1の通信デバイスが決定することを意味する点に留意すべきである。
【００８７】
状態情報に含まれる状態が、SIB1がアンカーキャリア上でのみ伝送されることである場合、第1の通信デバイスは、スケジューリング情報と、状態情報とに基づいて、アンカーキャリア上でSIB1を第2の通信デバイスに伝送することを決定し、或いは、状態情報に含まれる状態が、SIB1が非アンカーキャリア上でのみ伝送されることである場合、第1の通信デバイスは、スケジューリング情報と、状態情報とに基づいて、非アンカーキャリア上でSIB1を第2の通信デバイスに伝送することを決定し、或いは、状態情報に含まれる状態が、SIB1がアンカーキャリア及び非アンカーキャリア上で伝送されることである場合、第1の通信デバイスは、スケジューリング情報と、状態情報とに基づいて、アンカーキャリア及び非アンカーキャリア上でSIB1を第2の通信デバイスに伝送することを決定することが理解され得る。
【００８８】
具体的な実現方式の中で、状態情報は、ビット幅が1ビット(bit)であるフィールドを使用することにより示されてもよい。フィールドの値の集合は、SIB1がアンカーキャリア上でのみ伝送され、SIB1が非アンカーキャリア上でのみ伝送されることであるか、或いは、フィールドの値の集合は、SIB1がアンカーキャリア上でのみ伝送され、SIB1がアンカーキャリア及び非アンカーキャリア上で伝送されることである。代替として、フィールドの値は、ブール値、数字、文字、文字列等である。異なるブール値、及び数字、文字、文字列等の異なる値は、異なる意味を表す。一例では、フィールドの値が「0」であることは、SIB1がアンカーキャリア上でのみ伝送されることを示し、フィールドの値が「1」であることは、SIB1が非アンカーキャリア上でのみ伝送されることを示す。一例では、フィールドの値が「0」であることは、SIB1がアンカーキャリア上でのみ伝送されることを示し、フィールドの値が「1」であることは、SIB1がアンカーキャリア及び非アンカーキャリア上で伝送されることを示す。他の例では、フィールドの値が「anchor」であることは、SIB1がアンカーキャリア上でのみ伝送されることを示し、フィールドの値が「non-anchor」であることは、SIB1が非アンカーキャリア上でのみ伝送されることを示す。
【００８９】
状態情報が、SIB1がアンカーキャリア上でのみ伝送されることを示す場合、アンカーキャリア上でSIB1を伝送するための時間領域リソース位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、アンカーキャリア上でSIB1を第2の通信デバイスに伝送する。
【００９０】
状態情報が、SIB1が非アンカーキャリア上でのみ伝送されることを示す場合、非アンカーキャリア上でSIB1を伝送するための時間領域リソース位置は、プロトコルを使用することにより予め定義されてもよく、SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックに基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【００９１】
状態情報が、SIB1がアンカーキャリア及び非アンカーキャリア上で伝送されることを示す場合、アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【００９２】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【００９３】
対応して、第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報と、第1の情報とに基づいて、第1の通信デバイスからSIB1を受信することでもよく、第2の通信デバイスにより、スケジューリング情報と、状態情報とに基づいて、アンカーキャリア及び/又は非アンカーキャリア上で第1の通信デバイスからSIB1を受信することを決定することと、第2の通信デバイスが、非アンカーキャリア上で第1の通信デバイスからSIB1を受信することを決定するとき、第2の通信デバイスにより、SIB1を受信するために使用される非アンカーキャリアを決定することとを更に含む。具体的な詳細については、第1の通信デバイスの関連説明を参照する。詳細は、ここでは再び説明しない。
【００９４】
この実施形態では、第1の通信デバイスは、SIB1を伝送するために使用される様々な異なる情報をスケジューリング情報及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の間の相互干渉を回避でき、それにより、SIB1の伝送信頼性が改善できる。
【００９５】
この実施形態に基づいて、第1の情報は、SIB1を伝送するために使用される時間領域位置情報を更に含む。SIB1を伝送するために使用される時間領域位置情報は、以下の位置、すなわち、サブフレーム位置、無線フレーム位置、ハイパーフレーム位置、シンボル位置、スロット位置等のうち1つを含み、これらは、時間領域位置を示すために使用される情報である。SIB1を伝送するために使用される時間領域位置情報は、代替として、時間単位でもよい。
【００９６】
シンボル位置に対応するシンボルは、直交周波数分割多重(Orthogonal  Frequency  Division  Multiplexing,  OFDM)シンボルと、スパースコード多元接続(Sparse  Code  Multiplexing  Access,  SCMA)シンボルと、フィルタリング直交周波数分割多重(Filtered  Orthogonal  Frequency  Division  Multiplexing,  F-OFDM)シンボルと、非直交多元接続(Non-Orthogonal  Multiple  Access,  NOMA)シンボルとを含むが、これらに限定されない。シンボルは、実際の状況に基づいて具体的に決定されてもよく、詳細はここでは説明しない。
【００９７】
この場合、第1の通信デバイスにより、スケジューリング情報と、状態情報とに基づいて、アンカーキャリア及び/又は非アンカーキャリア上でSIB1を第2の通信デバイスに伝送することを決定することは、第1の通信デバイスにより、スケジューリング情報と、状態情報と、時間領域位置情報とに基づいて、時間領域位置情報により示され且つアンカーキャリア及び/又はSIB1を伝送するために使用される非アンカーキャリア上にある時間領域位置において、SIB1を第2の通信デバイスに伝送することを決定することを含んでもよい。時間領域位置情報により示される時間領域位置は、アンカーキャリア上に位置してもよく、或いは、非アンカーキャリア上に位置してもよい。
【００９８】
対応して、第2の通信デバイスにより、スケジューリング情報と、状態情報とに基づいて、アンカーキャリア及び/又は非アンカーキャリア上で第1の通信デバイスからSIB1を受信することを決定することは、第2の通信デバイスにより、スケジューリング情報と、状態情報と、時間領域位置情報とに基づいて、時間領域位置情報により示され且つアンカーキャリア及び/又はSIB1を伝送するために使用される非アンカーキャリア上にある時間領域位置において、第1の通信デバイスからSIB1を受信することを決定することを含む。
【００９９】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１００】
この実施形態では、第1の通信デバイスは、SIB1を伝送するために使用される様々な異なる情報をスケジューリング情報、状態情報及び時間領域位置情報に追加する。状態情報は、第1の通信デバイスがSIB1を伝送するために使用されるキャリアを柔軟に構成できることを確保できる。1つの周期内で異なるセルのSIB1を伝送するための時間位置及び/又はキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよく、時間領域位置情報は、異なるセルのSIBを伝送するための時間位置が異なることを確保できる。このタイプの干渉分離メカニズムは、異なるセルのSIB1の間の相互干渉を回避でき、それにより、SIB1の伝送信頼性が改善できる。
【０１０１】
他の実施形態では、第1の情報は、SIB1を伝送するために使用される時間領域位置情報を含む。別段の定めがない限り、この出願における同じ名詞は、同じ意味を有することが理解されるべきである。例えば、ここでの「時間領域位置情報」及び上記の実施形態における「時間領域位置情報」は、同じ内容及び同じ意味を有する。
【０１０２】
この実施形態では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよく、具体的には、第1の通信デバイスにより、SIB1を伝送するために使用されるキャリアを決定することであり、キャリアは、アンカーキャリア及び/又はSIB1を伝送するために使用される非アンカーキャリアを含む、ことと、第1の通信デバイスにより、時間領域位置情報により示され且つアンカーキャリア及び/又はSIB1を伝送するために使用される非アンカーキャリア上にある時間領域位置において、スケジューリング情報に基づいて、SIB1を第2の通信デバイスに伝送することとを更に含んでもよい。SIB1を伝送するために使用される非アンカーキャリアは予め設定されてもよく、例えば、通信標準及び/又は通信プロトコルにおいて指定されてもよい。時間領域位置情報により示される時間領域位置は、アンカーキャリア上に位置してもよく、或いは、非アンカーキャリア上に位置してもよい。SIB1を伝送するために使用される非アンカーキャリアの周波数領域位置が予め定義されているとき、第1の通信デバイスがSIB1を伝送するために使用される非アンカーキャリアを決定することは、予め定義された周波数領域位置に対応する非アンカーキャリアがSIB1を伝送するために使用される非アンカーキャリアであると第1の通信デバイスが決定することを意味する点に留意すべきである。
【０１０３】
例えば、第1の通信デバイスは、時間領域位置情報により示される時間領域位置において、アンカーキャリア上でSIB1を第2の通信デバイスに伝送するか、或いは、第1の通信デバイスは、時間領域位置情報により示される時間領域位置において、SIB1を伝送するために使用される非アンカーキャリア上でSIB1を第2の通信デバイスに伝送するか、或いは、第1の通信デバイスは、時間領域位置情報により示される時間領域位置において、アンカーキャリア及びSIB1を伝送するために使用される非アンカーキャリア上でSIB1を第2の通信デバイスに伝送する。
【０１０４】
対応して、第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報と、第1の情報とに基づいて、第1の通信デバイスからSIB1を受信することでもよく、第2の通信デバイスにより、SIB1を受信するために使用されるキャリアを決定することであり、キャリアは、アンカーキャリア及び/又はSIB1を伝送するために使用される非アンカーキャリアを含む、ことと、第2の通信デバイスにより、時間領域位置情報により示され且つアンカーキャリア及び/又はSIB1を伝送するために使用される非アンカーキャリア上にある時間領域位置において、スケジューリング情報に基づいて、第1の通信デバイスからSIB1を受信することとを更に含む。
【０１０５】
SIBがアンカー上でのみ或いは非アンカー上でのみ伝送されること、又は、SIB1がアンカーキャリア及び非アンカーキャリア上で伝送されることは、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【０１０６】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１０７】
この実施形態では、第1の通信デバイスは、SIB1を伝送するために使用される様々な異なる情報をスケジューリング情報及び時間領域位置情報に追加する。1つの周期内で異なるセルのSIB1を伝送するための時間位置が異なることを確保するために、時間領域位置情報は、異なるセルのSIBを伝送するための時間位置が異なることを確保できる。このタイプの干渉分離メカニズムは、異なるセルのSIB1の間の相互干渉を回避でき、それにより、SIB1の伝送信頼性が改善できる。
【０１０８】
更に他の実施形態では、第1の情報は、SIB1を伝送するために使用される非アンカーキャリアの周波数領域位置情報を含む。
【０１０９】
SIB1を伝送するために使用される非アンカーキャリアの周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含む。周波数領域オフセットは、周波数領域間隔又はリソースブロック数でもよい。リソースブロックは周波数領域リソースユニットであり、N個の連続するサブキャリア数でもよく、Nはプロトコルを使用することにより予め定義されてもよい。LTEでは、リソースブロックはRBと省略されてもよい。すなわち、SIB1を伝送するために使用される非アンカーキャリアとアンカーキャリアとの間の周波数領域オフセットは、SIB1を伝送するために使用される非アンカーキャリアとアンカーキャリアとの間の周波数領域間隔、又は、アンカーキャリアに対するSIB1を伝送するために使用される非アンカーキャリアのRBリソースブロック数でもよい。詳細については、図３を参照する。
【０１１０】
アンカーキャリアに対するSIB1を伝送するために使用される非アンカーキャリアの相対位置は、図３に示すように、以下の状態、すなわち、SIB1を伝送するために使用される非アンカーキャリアの、アンカーキャリア上の高周波数位置と、SIB1を伝送するために使用される非アンカーキャリアの、アンカーキャリア上の低周波数位置とを少なくとも含んでもよい。
【０１１１】
この実施形態では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよく、第1の通信デバイスにより、SIB1を伝送するために使用される非アンカーキャリアを決定することと、第1の通信デバイスにより、周波数領域位置情報と、アンカーキャリアとに基づいて、SIB1を伝送するために使用される非アンカーキャリアの周波数領域位置を決定することと、第1の通信デバイスにより、スケジューリング情報に基づいて、周波数領域位置に対応し且つSIB1を伝送するために使用される非アンカーキャリア上でSIB1を伝送することとを更に含む。言い換えると、非アンカーキャリアのみがSIB1を伝送するために使用される。
【０１１２】
代替として、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよく、第1の通信デバイスにより、SIB1を伝送するために使用される非アンカーキャリアを決定することと、第1の通信デバイスにより、周波数領域位置情報と、アンカーキャリアとに基づいて、SIB1を伝送するために使用される非アンカーキャリアの周波数領域位置を決定することと、第1の通信デバイスにより、アンカーキャリア及び周波数領域位置に対応し且つSIB1を伝送するために使用される非アンカーキャリア上でSIB1を伝送することとを更に含む。言い換えると、SIB1は、アンカーキャリア及び非アンカーキャリアの双方で伝送される。
【０１１３】
対応して、第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報と、第1の情報とに基づいて、第1の通信デバイスからSIB1を受信することでもよく、第2の通信デバイスにより、SIB1を受信するために使用される非アンカーキャリアを決定することと、第2の通信デバイスにより、周波数領域位置情報と、アンカーキャリアとに基づいて、SIB1を伝送するために使用される非アンカーキャリアの周波数領域位置を決定することと、第2の通信デバイスにより、スケジューリング情報に基づいて、周波数領域位置に対応し且つSIB1を伝送するために使用される非アンカーキャリア上で第1の通信デバイスからSIB1を受信すること、又は、第2の通信デバイスにより、スケジューリング情報に基づいて、アンカーキャリア及び周波数領域位置に対応し且つSIB1を伝送するために使用される非アンカーキャリア上で第1の通信デバイスからSIB1を受信することとを更に含む。
【０１１４】
SIBがアンカー上でのみ或いは非アンカー上でのみ伝送されること、又は、SIB1がアンカーキャリア及び非アンカーキャリア上で伝送されることは、プロトコルを使用することにより予め定義されてもよい。アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【０１１５】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１１６】
この実施形態では、第1の通信デバイスは、SIB1を伝送するために使用される様々な異なる情報をスケジューリング情報及び周波数領域位置情報に追加する。1つの周期内で異なるセルのSIB1を伝送するための周波数領域位置が異なることを確保するために、非アンカーキャリアの周波数領域位置情報は、異なるセルのSIBが非アンカーキャリア上で伝送され、異なるセルが異なる非アンカーキャリアで構成されることを確保できる。このタイプの干渉分離メカニズムは、異なるセルのSIB1の間の相互干渉を回避でき、それにより、SIB1の伝送信頼性が改善できる。
【０１１７】
更に他の実施形態では、第1の情報は、SIB1を伝送するために使用される非アンカーキャリア上のSIB1の伝送モード情報を含む。
【０１１８】
伝送モード情報は、SIB1を伝送するために使用される非アンカーキャリア上のSIB1の繰り返し数を含んでもよい。
【０１１９】
この実施形態に対応して、第1の実現方式では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよく、具体的には、第1の通信デバイスにより、SIB1を伝送するために使用される非アンカーキャリアを決定することと、第1の通信デバイスにより、繰り返し数と、スケジューリング情報とに基づいて、SIB1を伝送するために使用される非アンカーキャリア上でSIB1を第2の通信デバイスに伝送することとを更に含む。
【０１２０】
第2の実現方式では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよい。さらに、第1の通信デバイスにより、スケジューリング情報と、第1の情報とに基づいて、SIB1を第2の通信デバイスに伝送することは、具体的には、第1の通信デバイスにより、SIB1を伝送するために使用される非アンカーキャリアを決定することと、第1の通信デバイスにより、スケジューリング情報に基づいて、アンカーキャリア上でSIB1を第2の通信デバイスに伝送することと、第1の通信デバイスにより、スケジューリング情報と、繰り返し数とに基づいて、SIB1を伝送するために使用される非アンカーキャリア上でSIB1を第2の通信デバイスに伝送することとを含む。
【０１２１】
アンカーキャリア上のSIB1の繰り返し数は、従来技術を参照して決定されてもよい。
【０１２２】
対応して、第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報と、第1の情報とに基づいて、第1の通信デバイスからSIB1を受信することでもよく、具体的には、第2の通信デバイスにより、SIB1を伝送するために使用される非アンカーキャリアを決定することと、第2の通信デバイスにより、繰り返し数と、スケジューリング情報とに基づいて、SIB1を伝送するために使用される非アンカーキャリア上で第1の通信デバイスからSIB1を受信すること、又は、第2の通信デバイスにより、スケジューリング情報に基づいて、アンカーキャリア上で第1の通信デバイスからSIB1を受信し、第2の通信デバイスにより、スケジューリング情報と、繰り返し数と基づいて、SIB1を伝送するために使用される非アンカーキャリア上で第1の通信デバイスからSIB1を受信することとを更に含む。
【０１２３】
SIBがアンカー上でのみ伝送されること、又は、SIB1がアンカーキャリア及び非アンカーキャリア上で伝送されることは、プロトコルを使用することにより予め定義されてもよい。アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズに基づいて、非アンカーキャリア上でSIB1を第2の通信デバイスに伝送する。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上でSIB1を伝送するための伝送リソースは、プロトコルを使用することにより予め定義されてもよい。
【０１２４】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１２５】
この実施形態では、第1の通信デバイスは、SIB1を伝送するために使用される様々な異なる情報をスケジューリング情報及び非アンカーキャリア上のSIB1の伝送モード情報に追加する。1つの周期内で異なるセルのSIB1を伝送するための周波数領域位置が異なることを確保するために、異なるセルのSIB1が非アンカーキャリア上で伝送されることが確保できる。このタイプの干渉分離メカニズムは、異なるセルのSIB1の間の相互干渉を回避でき、それにより、SIB1の伝送信頼性が改善できる。繰り返し数は、非アンカーキャリア上のSIB1の伝送信頼性を確保するために、基地局が非アンカーキャリアとアンカーキャリアとの間の電力差に基づいて、非アンカーキャリア上のSIB1の伝送の繰り返し数を構成できるように構成されてもよい。
【０１２６】
更に他の実施形態では、第1の情報は、SIB1を伝送するために使用される非アンカーキャリア上のSIB1の伝送モード情報を含む。
【０１２７】
この実施形態では、伝送モード情報は、リソース指示情報を含む。リソース指示情報は、SIB1を伝送するために使用される非アンカーキャリア上のSIB1の繰り返し数がアンカーキャリア上のSIB1の繰り返し数と同じであるとき、SIB1がアンカーキャリア上で一回伝送される繰り返し周期において、SIB1を伝送するために使用される非アンカーキャリア上のSIB1の伝送が、アンカーキャリア上のSIB1の伝送よりも多い伝送リソースを必要とするか否かを示すために使用される。伝送リソースは、サブフレーム、無線フレーム、ハイパーフレーム、シンボル、スロット等のうち1つでもよい。
【０１２８】
SIB1がアンカーキャリア上で一回伝送される繰り返し周期は、SIB1の1つのTBを伝送するために必要な時間である。SIB1は、m個の無線フレーム内で1つのサブフレームを使用し、k個のサブフレームは、SIB1の1つのTBを伝送するために占有される必要があり、m及びkの双方は1よりも大きい正の整数であると仮定される。この場合、SIB1を1回伝送するための時間は、10×m×kミリ秒(ms)である。ここで、1つの無線フレームに対応する時間の例は10ミリ秒である。しかし、この出願はこれに限定されない。例えば、SIB1が2つの無線フレーム内で1つのサブフレームを使用し、SIB1を伝送するための1つのTBが8個のサブフレームを占有する必要がある場合、SIB1を一回伝送するための時間は10×2×8ms、すなわち、160msである。
【０１２９】
SIB1がアンカーキャリア上で一回伝送される繰り返し周期において、SIB1を伝送するために使用される非アンカーキャリア上のSIB1の伝送は、アンカーキャリア上のSIB1の伝送よりも多い伝送リソースを必要とする点に留意すべきである。これは、非アンカーキャリア上でSIB1を伝送するために占有される伝送リソースがアンカーキャリア上でSIB1を伝送するために占有される伝送リソースよりも多いことを意味する。アンカーキャリア上の伝送により占有される伝送リソースは、単なる参照であり、SIB1がアンカーキャリア上で伝送されることを意味しない。例えば、SIB1がアンカーキャリア上で伝送されるとき、SIB1は、2つの無線フレーム内で1つのサブフレームを占有する。SIB1が非アンカーキャリア上で伝送されるとき、2つのサブフレームが2つの無線フレーム内で使用され、2つのサブフレームは同じ無線フレームに位置し、或いは、SIB1が非アンカーキャリア上で伝送されるとき、2つのサブフレームが2つの無線フレーム内で使用され、2つのサブフレームは異なる無線フレームで使用され、2つのサブフレームのサブフレーム番号は同じであるか、或いは、非アンカーキャリア上のSIB1が2つの無線フレーム内で2つのサブフレームを使用し、2つのサブフレームは異なる無線フレームに位置し、2つのサブフレームのサブフレーム番号は異なる。
【０１３０】
ここで、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、第1の情報とに基づいて、SIB1を第2の通信デバイスに伝送することでもよい。さらに、第1の通信デバイスにより、スケジューリング情報と、第1の情報とに基づいて、SIB1を第2の通信デバイスに伝送することは、具体的には、
第1の通信デバイスにより、SIB1を伝送するために使用される非アンカーキャリアを決定することと、
第1の通信デバイスにより、リソース指示情報に基づいて、SIB1を伝送するために使用され且つSIB1を伝送するために使用される非アンカーキャリア上にある伝送リソースを決定することと、
第1の通信デバイスにより、SIB1を伝送するために使用され且つSIB1を伝送するために使用される非アンカーキャリア上にある伝送リソースを使用することにより、スケジューリング情報に基づいて、SIB1を第2の通信デバイスに伝送すること、又は、第1の通信デバイスにより、SIB1を伝送するために使用され且つSIB1を伝送するために使用される非アンカーキャリア上にある伝送リソースを使用することにより、スケジューリング情報に基づいて、アンカーキャリア上でSIB1を第2の通信デバイスに伝送することと
を含む。
【０１３１】
同様に、この実施形態では、アンカーキャリア上のSIB1の繰り返し数は、従来技術を参照して決定されてもよい。
【０１３２】
第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報と、第1の情報とに基づいて、第1の通信デバイスからSIB1を受信することでもよく、第2の通信デバイスにより、SIB1を伝送するために使用される非アンカーキャリアを決定することと、第2の通信デバイスにより、リソース指示情報に基づいて、SIB1を伝送するために使用され且つSIB1を伝送するために使用される非アンカーキャリア上にある伝送リソースを決定することと、第2の通信デバイスにより、SIB1を伝送するために使用され且つSIB1を伝送するために使用される非アンカーキャリア上にある伝送リソースを使用することにより、スケジューリング情報に基づいて、第1の通信デバイスからSIB1を受信すること、又は、第2の通信デバイスにより、SIB1を伝送するために使用され且つSIB1を伝送するために使用される非アンカーキャリア上にある伝送リソースを使用することにより、スケジューリング情報に基づいて、アンカーキャリア上で第1の通信デバイスからSIB1を受信することとを更に含む。
【０１３３】
SIB1を伝送するために使用される非アンカーキャリア上のSIB1の伝送モード情報については、アンカーキャリアと非アンカーキャリアとの間の電力差が主に考慮される点に留意すべきである。
【０１３４】
非アンカーキャリアの電力がアンカーキャリアの電力以上である場合、SIB1が非アンカーキャリア上で伝送されるとき、アンカーキャリア上のSIB1の伝送の繰り返し数と同じ繰り返し数が使用されてもよい。例えば、アンカーキャリア上のSIB1の伝送の繰り返し数が8である場合、非アンカーキャリア上のSIB1の伝送の繰り返し数もまた8である。
【０１３５】
非アンカーキャリアの電力がアンカーキャリアの電力未満である場合、SIB1が非アンカーキャリア上で伝送されるとき、アンカーキャリア上のSIB1の伝送の繰り返し回数よりも大きい繰り返し数が使用される。例えば、アンカーキャリア上のSIB1の伝送の繰り返し数が8である場合、非アンカーキャリア上のSIB1の伝送の繰り返し数は16である。代替として、非アンカーキャリア上のSIB1の繰り返し数がアンカーキャリア上のSIB1の繰り返し数と同じである場合、SIB1がアンカーキャリア上で一回伝送される繰り返し周期において、非アンカーキャリア上のSIB1の伝送は、アンカーキャリア上のSIB1の伝送よりも多いサブフレームを使用する。例えば、非アンカーキャリア上で伝送されるSIB1の繰り返し数は8であり、160ms内で、SIB1は、アンカーキャリア上の8個のサブフレームを占有し、非アンカーキャリア上の16個のサブフレームを占有する。
【０１３６】
SIBが非アンカー上でのみ伝送されること、又は、SIB1がアンカーキャリア及び非アンカーキャリア上で伝送されることは、プロトコルを使用することにより予め定義されてもよい。アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の伝送の繰り返し数は、プロトコルを使用することにより予め定義されてもよい。
【０１３７】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１３８】
この実施形態では、第1の通信デバイスは、SIB1を伝送するために使用される様々な異なる情報をスケジューリング情報及び非アンカーキャリア上のSIB1の伝送モード情報に追加する。1つの周期内で異なるセルのSIB1を伝送するための周波数領域位置が異なることを確保するために、異なるセルのSIB1が非アンカーキャリア上で伝送されることが確保できる。このタイプの干渉分離メカニズムは、異なるセルのSIB1の間の相互干渉を回避でき、それにより、SIB1の伝送信頼性が改善できる。伝送リソースは、非アンカーキャリア上のSIB1の伝送信頼性を確保するために、基地局が非アンカーキャリアとアンカーキャリアとの間の電力差に基づいて、非アンカーキャリア上でSIB1を伝送するための伝送リソースを構成できるように構成されてもよい。
【０１３９】
さらに、繰り返し数の集合内のいくつかの繰り返し数の値は第1の状態に対応し、第1の状態は、SIB1がアンカーキャリア上でのみ伝送されることが予め設定されてもよい。繰り返し数の集合内の他の繰り返し数の値は第2の状態に対応し、第2の状態は、SIB1が非アンカーキャリア上でのみ伝送されることであるか、或いは、第2の状態は、SIB1がアンカーキャリア上でのみ伝送されることである。例えば、繰り返し数の集合は、少なくとも1つの繰り返し数を含み、繰り返し数は、4、8、16等でもよい。例えば、繰り返し数の集合に含まれる繰り返し数は4、8等である。さらに、スケジューリング情報は、SIB1を伝送するために使用されるトランスポートブロックサイズと、繰り返し数とを決定するために使用される。
【０１４０】
ここで、実現方式では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報に基づいて、SIB1を第2の通信デバイスに伝送することでもよい。任意選択で、第1の通信デバイスにより、スケジューリング情報に基づいて、SIB1を第2の通信デバイスに伝送することは、具体的には、第1の通信デバイスにより、繰り返し数(スケジューリング情報内の繰り返し数である)が第1の状態又は第2の状態に対応すると決定することと、第1の通信デバイスにより、第1の状態又は第2の状態に基づいて、アンカーキャリア及び/又は非アンカーキャリア上でSIB1を第2の通信デバイスに伝送することとを含む。
【０１４１】
第1の通信デバイスが、繰り返し数が第1の状態に対応すると決定した場合、第1の通信デバイスは、第1の状態に基づいて、アンカーキャリア上でのみSIB1を第2の通信デバイスに伝送し、或いは、第1の通信デバイスが、繰り返し数が第2の状態に対応すると決定した場合、第1の通信デバイスは、第2の状態に基づいて、アンカーキャリア及び非アンカーキャリア上でSIB1を第2の通信デバイスに伝送し、或いは、第1の通信デバイスが、繰り返し数が第2の状態に対応すると決定した場合、第1の通信デバイスは、第2の状態に基づいて、非アンカーキャリア上でのみSIB1を第2の通信デバイスに伝送する。
【０１４２】
第1の通信デバイスが非アンカーキャリア上でSIB1を伝送することを決定するとき、第1の通信デバイスは、SIB1を伝送するために使用される非アンカーキャリアを決定する。
【０１４３】
第1の通信デバイスが、繰り返し数が第1の状態に対応すると決定した場合、第1の通信デバイスは、第1の状態に基づいて、アンカーキャリア上でのみSIB1を第2の通信デバイスに伝送する。アンカーキャリア上でSIB1を伝送するための時間領域リソース位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、アンカーキャリア上でSIB1を第2の通信デバイスに伝送する。
【０１４４】
第1の通信デバイスが、繰り返し数が第2の状態に対応すると決定した場合、第1の通信デバイスは、第2の状態に基づいて、非アンカーキャリア上でのみSIB1を第2の通信デバイスに伝送する。非アンカーキャリア上でSIB1を伝送するための時間領域リソース位置は、プロトコルを使用することにより予め定義されてもよく、SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックに基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【０１４５】
第1の通信デバイスが、繰り返し数が第2の状態に対応すると決定した場合、第1の通信デバイスは、第2の状態に基づいて、アンカーキャリア及び非アンカーキャリア上でSIB1を第2の通信デバイスに伝送する。アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【０１４６】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１４７】
対応して、第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報に基づいて、第1の通信デバイスからSIB1を受信することでもよい。第2の通信デバイスにより、スケジューリング情報に基づいて、第1の通信デバイスからSIB1を受信することは、第2の通信デバイスにより、繰り返し数が第1の状態又は第2の状態に対応すると決定することと、第2の通信デバイスにより、第1の状態又は第2の状態に基づいて、アンカーキャリア及び/又は非アンカーキャリア上で第1の通信デバイスからSIB1を受信することと、第2の通信デバイスが、非アンカーキャリア上で第1の通信デバイスからSIB1を受信することを決定するとき、第2の通信デバイスにより、SIB1を受信するために使用される非アンカーキャリアを決定することとを更に含む。
【０１４８】
この実施形態では、第1の通信デバイスは、スケジューリング情報を使用することにより繰り返し数を取得し、繰り返し数に基づいて構成を実行し、それにより、1つの周期内で異なるセルのSIB1を伝送するためのキャリア位置が異なることを確保するように、SIB1が非アンカーキャリア上で伝送でき、MIBシグナリングオーバヘッドが増加する。このタイプの干渉分離メカニズムは、異なるセルのSIB1の間の相互干渉を回避でき、それにより、SIB1の伝送信頼性が改善できる。
【０１４９】
他の実現方式では、スケジューリング情報内の繰り返し数が第1の状態に対応するとき、MIBメッセージは、SIB1のスケジューリング情報と、キャリアの動作モードとを含み、スケジューリング情報内の繰り返し数が第2の状態に対応するとき、MIBメッセージは、SIB1のスケジューリング情報と、キャリアの動作モードと、SIB1を伝送するために使用される状態情報を含む第1の情報とを含む。
【０１５０】
この実現方式では、第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、キャリアの動作モード及び第1の情報のうち少なくとも1つとに基づいて、SIB1を第2の通信デバイスに伝送することでもよい。任意選択で、第1の通信デバイスにより、スケジューリング情報と、キャリアの動作モード及び第1の情報のうち少なくとも1つとに基づいて、SIB1を第2の通信デバイスに伝送することは、具体的には、以下の具体的な実現方式、すなわち、
スケジューリング情報内の繰り返し数がいくつかの繰り返し数の値に属するとき、いくつかの繰り返し数の値に対応する第1の状態と、スケジューリング情報とに基づいて、アンカーキャリア上でSIB1を第2の通信デバイスに伝送すること、又は、
スケジューリング情報内の繰り返し数が他の繰り返し数の値に属するとき、スケジューリング情報に基づいて、アンカーキャリア上でSIB1を第2の通信デバイスに伝送すること、又は、
スケジューリング情報内の繰り返し数が他の繰り返し数の値に属するとき、スケジューリング情報と、キャリアの動作モードと、第1の情報内にあり且つSIB1を伝送するために使用される状態情報とに基づいて、非アンカーキャリア上でSIB1を第2の通信デバイスに伝送すること
を含む。
【０１５１】
第1の通信デバイスにより、非アンカーキャリア上でSIB1を伝送することは、第1の通信デバイスにより、SIB1を伝送するために使用される非アンカーキャリアを決定することを含む。
【０１５２】
SIB1を伝送するために使用される非アンカーキャリアの周波数領域位置が予め定義されているとき、第1の通信デバイスが、SIB1を伝送するために使用される非アンカーキャリアを決定することは、予め定義された周波数領域位置に対応する非アンカーキャリアがSIB1を伝送するために使用される非アンカーキャリアであると第1の通信デバイスが決定することを意味する点に留意すべきである。
【０１５３】
対応して、第2の通信デバイスが、スケジューリング情報に基づいて、或いは、スケジューリング情報と、キャリアの動作モード及び第1の情報のうち少なくとも1つとに基づいて、第1の通信デバイスからSIB1を受信することは、具体的には、第2の通信デバイスにより、スケジューリング情報と、キャリアの動作モード及び第1の情報のうち少なくとも1つとに基づいて、第1の通信デバイスからSIB1を受信することでもよく、スケジューリング情報内の繰り返し数がいくつかの繰り返し数の値に属するとき、いくつかの繰り返し数の値に対応する第1の状態と、スケジューリング情報とに基づいて、アンカーキャリア上で第1の通信デバイスからSIB1を受信すること、又は、スケジューリング情報内の繰り返し数が他の繰り返し数の値に属するとき、スケジューリング情報に基づいて、アンカーキャリア上で第1の通信デバイスからSIB1を受信すること、又は、スケジューリング情報と、キャリアの動作モードと、第1の情報内にあり且つSIB1を伝送するために使用される状態情報とに基づいて、非アンカーキャリア上で第1の通信デバイスからSIB1を受信することを更に含む。
【０１５４】
第2の通信デバイスにより、非アンカーキャリア上で第1の通信デバイスからSIB1を受信することは、第2の通信デバイスにより、SIB1を受信するために使用される非アンカーキャリアを決定することを含む。
【０１５５】
上記の他の実現方式に基づいて、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含むことが理解され得る。
【０１５６】
この実施形態では、スケジューリング情報と、キャリアの動作モードと、第1の情報内にあり且つSIB1を伝送するために使用される状態情報とに基づいて、SIB1を伝送するために使用される非アンカーキャリア上でSIB1を第2の通信デバイスに伝送することは、以下の具体的な実現方式を含んでもよい。
【０１５７】
第1の実現方式では、第1の通信デバイスは、キャリアの動作モードに基づいて、SIB1を伝送するために使用される非アンカーキャリアの動作モードを決定し、決定される動作モードはスタンドアローン動作モードであり、第1の通信デバイスは、スタンドアローン動作モードに基づいて、SIB1を伝送するために使用される非アンカーキャリア上のSIB1の伝送リソースがアンカーキャリア上のSIB1の伝送リソースと同じであると決定し、第1の通信デバイスは、スケジューリング情報と、SIB1を伝送するために使用される非アンカーキャリア上のSIB1の伝送リソースとに基づいて、非アンカーキャリア上でSIB1を第2の通信デバイスに伝送する。
【０１５８】
スタンドアローン動作モードにおいて、スタンドアローン周波数帯域が使用される。例えば、NB-IoTでは、図４に示すように、1つ以上のキャリアが伝送に使用される。
【０１５９】
第2の実現方式では、第1の通信デバイスは、キャリアの動作モードに基づいて、SIB1を伝送するために使用される非アンカーキャリアの動作モードを決定し、決定される動作モードはガードバンド動作モード又は帯域内動作モードであり、第1の通信デバイスは、ガードバンド動作モード又は帯域内動作モードに基づいて、SIB1を伝送するために使用される非アンカーキャリア上のSIB1の伝送リソースを決定し、第1の通信デバイスは、スケジューリング情報と、SIB1を伝送するために使用される非アンカーキャリア上のSIB1の伝送リソースとに基づいて、非アンカーキャリア上でSIB1を第2の通信デバイスに伝送する。
【０１６０】
ガードバンド動作モードにおいて、NB-IoTでは、LTEガードバンドで使用されていない1つ以上のリソースブロックが伝送に使用され、図５に示すように、リソースブロックの1つの帯域幅は180kHzである。LTEチャネル帯域幅は、LTEガードバンドと、LTE伝送帯域幅とを含む。
【０１６１】
帯域内動作モードにおいて、NB-IoTでは、LTE伝送帯域幅内の1つ以上のリソースブロックが伝送に使用され、図６示すように、リソースブロックの1つの帯域幅は180kHzである。
【０１６２】
スケジューリング情報内の繰り返し数がいくつかの繰り返し数の値に属するとき、SIB1は、いくつかの繰り返し数の値に対応する第1の状態と、スケジューリング情報とに基づいて、アンカーキャリア上で第2の通信デバイスに伝送される。アンカーキャリア上でSIB1を伝送するための時間領域リソース位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、アンカーキャリア上でSIB1を第2の通信デバイスに伝送する。
【０１６３】
スケジューリング情報内の繰り返し数が他の繰り返し数の値に属するとき、SIB1は、スケジューリング情報に基づいて、アンカーキャリア上で第2の通信デバイスに伝送される。アンカーキャリア上でSIB1を伝送するための時間領域リソース位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、アンカーキャリア上でSIB1を第2の通信デバイスに伝送する。
【０１６４】
スケジューリング情報内の繰り返し数が他の繰り返し数の値に属するとき、SIB1は、スケジューリング情報と、キャリアの動作モードと、第1の情報内にあり且つSIB1を伝送するために使用される状態情報とに基づいて、非アンカーキャリア上で第2の通信デバイスに伝送される。非アンカーキャリア上でSIB1を伝送するための時間領域リソース位置は、プロトコルを使用することにより予め定義されてもよく、SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックに基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の伝送の繰り返し数は、プロトコルを使用することにより予め定義されてもよい。
【０１６５】
この実施形態における第1の実現方式について、非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよい。この実施形態における第2の実現方式について、非アンカーキャリア上のSIB1の伝送は、アンカーキャリア上のSIB1の伝送よりも多い伝送リソースを使用してもよい。
【０１６６】
例えば、繰り返し数の集合は、少なくとも1つの繰り返し数を含み、繰り返し数は、4、8、16等でもよい。例えば、繰り返し数の集合に含まれる繰り返し数が4、8及び16である場合、繰り返し数の集合内のいくつかの繰り返し数の値は4及び8であり、繰り返し数の集合内の残りの繰り返し数の値は16である。
【０１６７】
NB-IoTシステムを一例として使用すると、繰り返し数の集合に含まれる繰り返し数が4、8及び16である場合、繰り返し数の集合内のいくつかの繰り返し数は4及び8であり、繰り返し数の集合内の残りの繰り返し数の値は16である。MIBメッセージ内にあるSIB1の、スケジューリングメッセージで示される繰り返し数が4又は8である場合、SIB1はアンカーキャリア上でのみ伝送され、アンカーキャリア上でSIB1を伝送するためのサブフレーム位置は、プロトコルを使用することにより予め定義されてもよく、例えば、サブフレーム0でもよい。MIBメッセージ内にあるSIB1の、スケジューリングメッセージで示される繰り返し数が16である場合、SIB1は非アンカーキャリア上でのみ伝送され、SIB1を伝送するために使用される非アンカーキャリアの周波数領域位置は、プロトコルを使用することにより予め定義される。例えば、SIB1を伝送するために使用される非アンカーキャリアは、アンカーキャリアに対してアンカーキャリアの高周波数位置にあり、SIB1を伝送するために使用される非アンカーキャリアは、アンカーキャリアの隣接RB上にあるか、或いは、SIB1を伝送するために使用される非アンカーキャリアは、アンカーキャリアに対してアンカーキャリアの低周波数位置にあり、SIB1を伝送するために使用される非アンカーキャリアは、アンカーキャリアの隣接RB上にある。非アンカーキャリアの動作モードを決定する方式は、上記に記載されている。キャリアの動作モードに基づいて、非アンカーキャリアの動作モードがスタンドアローン動作モードであると決定された場合、非アンカーキャリア上のSIB1の伝送の繰り返し数は、MIBメッセージ内にあるSIB1の、スケジューリングメッセージで示される繰り返し数と同じであり、すなわち、16である。160ms内にアンカーキャリア上でSIB1を伝送するために使用される伝送リソースと比較して、1つのサブフレームが、非アンカーキャリア上でSIB1を伝送するために占有され、サブフレーム位置は、プロトコルを使用することにより予め定義されてもよく、例えば、サブフレーム0、サブフレーム5又はサブフレーム9でもよい。キャリアの動作モードに基づいて、非アンカーキャリアの動作モードがガードバンド動作モード又は帯域内動作モードであると決定された場合、非アンカーキャリア上のSIB1の伝送の繰り返し数は、MIBメッセージ内にあるSIB1の、スケジューリングメッセージで示される繰り返し数と同じであり、すなわち、16である。160ms内にアンカーキャリア上でSIB1を伝送するために使用される伝送リソースと比較して、より多くのリソースが、非アンカーキャリア上でSIB1を伝送するために使用される。使用される伝送リソース数及び伝送リソース位置は、プロトコルを使用することにより予め定義されてもよい。例えば、SIB1は、サブフレーム0及びサブフレーム5、又はサブフレーム5及びサブフレーム9、又はサブフレーム0及びサブフレーム9を使用することにより非アンカーキャリア上で伝送される。
【０１６８】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１６９】
対応して、スケジューリング情報と、キャリアの動作モードと、第1の情報内にあり且つSIB1を伝送するために使用される状態情報とに基づいて、SIB1を伝送するために使用される非アンカーキャリア上で第1の通信デバイスからSIB1を受信することは、
第2の通信デバイスにより、キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つである、ことと、
第2の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、
第2の通信デバイスにより、非アンカーキャリア上のSIB1の伝送リソースと、スケジューリング情報とに基づいて、非アンカーキャリア上で第1の通信デバイスからSIB1を受信すること、又は、
第2の通信デバイスにより、ガードバンド動作モード又は帯域内動作モードに基づいて、SIB1を伝送するために使用される非アンカーキャリア上のSIB1の伝送リソースを決定すること、及び、
第2の通信デバイスにより、スケジューリング情報と、SIB1を伝送するために使用される非アンカーキャリア上のSIB1の伝送リソースとに基づいて、SIB1を伝送するために使用される非アンカーキャリア上で第1の通信デバイスからSIB1を受信することと
を含んでもよい。
【０１７０】
この実施形態では、第1の通信デバイスは、SIB1を伝送するために使用される様々な異なる情報をスケジューリング情報、キャリアの動作モード及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の間の相互干渉を回避でき、それにより、SIB1の伝送信頼性が改善できる。
【０１７１】
更に他の実施形態では、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含む。
【０１７２】
第1の通信デバイスが、スケジューリング情報に基づいて、或いは、スケジューリング情報と、キャリアの動作モード及び第1の情報のうち少なくとも1つとに基づいて、SIB1を第2の通信デバイスに伝送することは、具体的には、第1の通信デバイスにより、スケジューリング情報と、キャリアの動作モードとに基づいて、SIB1を第2の通信デバイスに伝送することでもよい。任意選択で、第1の通信デバイスにより、スケジューリング情報と、キャリアの動作モードとに基づいて、SIB1を第2の通信デバイスに伝送することは、具体的には、以下の具体的な実現方式を含む。
【０１７３】
第1の具体的な実現方式では、第1の通信デバイスは、キャリアの動作モードに基づいて、SIB1を伝送するために使用される非アンカーキャリアの動作モードを決定し、決定される動作モードは、スタンドアローン動作モードであり、第1の通信デバイスは、スタンドアローン動作モードに基づいて、非アンカーキャリア上のSIB1の繰り返し数がアンカーキャリア上のSIB1の繰り返し数と同じであると決定し、第1の通信デバイスは、スケジューリング情報と、繰り返し数とに基づいて、SIB1を伝送するために使用される非アンカーキャリア上でSIB1を伝送するか、或いは、第1の通信デバイスは、スケジューリング情報に基づいて、アンカーキャリア上でSIB1を第2の通信デバイスに伝送し、スケジューリング情報に基づいて、SIB1を伝送するために使用される非アンカーキャリア上でSIB1を第2の通信デバイスに伝送する。
【０１７４】
第2の具体的な実現方式では、第1の通信デバイスは、キャリアの動作モードに基づいて、SIB1を伝送するために使用される非アンカーキャリアの動作モードを決定し、決定される動作モードは、スタンドアローン動作モードであり、第1の通信デバイスは、スタンドアローン動作モードに基づいて、SIB1を伝送するために使用される非アンカーキャリア上のSIB1の伝送リソースがアンカーキャリア上のSIB1の伝送リソースと同じであると決定し、第1の通信デバイスは、スケジューリング情報と、伝送リソースとに基づいて、非アンカーキャリア上でSIB1に伝送するか、或いは、第1の通信デバイスは、スケジューリング情報に基づいて、アンカーキャリア上でSIB1を第2の通信デバイスに伝送し、伝送リソースと、スケジューリング情報とに基づいて、非アンカーキャリア上でSIB1を第2の通信デバイスに伝送する。
【０１７５】
第3の具体的な実現方式では、第1の通信デバイスは、キャリアの動作モードに基づいて、SIB1を伝送するために使用される非アンカーキャリアの動作モードを決定し、決定される動作モードは、ガードバンド動作モード又は帯域内動作モードであり、第1の通信デバイスは、ガードバンド動作モード又は帯域内動作モードに基づいて、非アンカーキャリア上のSIB1の繰り返し数を決定し、第1の通信デバイスは、スケジューリング情報と、非アンカーキャリア上のSIB1の繰り返し数とに基づいて、非アンカーキャリア上でSIB1を第2の通信デバイスに伝送する。ガードバンド動作モード又は帯域内動作モードについて、非アンカーキャリアのパワースペクトル密度は、通常では、アンカーキャリアのパワースペクトル密度以下である。非アンカーキャリア上のSIB1の伝送信頼性を確保するために、このように決定された非アンカーキャリア上のSIB1の繰り返し数は、アンカーキャリア上のSIB1の繰り返し数よりも大きい。
【０１７６】
第4の具体的な実現方式では、第1の通信デバイスは、キャリアの動作モードに基づいて、SIB1を伝送するために使用される非アンカーキャリアの動作モードを決定し、決定される動作モードは、ガードバンド動作モード又は帯域内動作モードであり、第1の通信デバイスは、ガードバンド動作モード又は帯域内動作モードに基づいて、非アンカーキャリア上のSIB1の繰り返し数を決定し、第1の通信デバイスは、スケジューリング情報に基づいて、アンカーキャリア上でSIB1を第2の通信デバイスに伝送し、スケジューリング情報と、非アンカーキャリア上のSIB1の繰り返し数とに基づいて、非アンカーキャリア上でSIB1を第2の通信デバイスに伝送する。ガードバンド動作モード又は帯域内動作モードについて、非アンカーキャリアのパワースペクトル密度は、通常では、アンカーキャリアのパワースペクトル密度以下である。非アンカーキャリア上のSIB1の伝送信頼性を確保するために、このように決定された非アンカーキャリア上のSIB1の繰り返し数は、アンカーキャリア上のSIB1の繰り返し数よりも大きい。
【０１７７】
第1の通信デバイスにより、非アンカーキャリア上でSIB1を伝送することは、第1の通信デバイスにより、SIB1を伝送するために使用される非アンカーキャリアを決定することを含む。
【０１７８】
SIB1を伝送するために使用される非アンカーキャリアの周波数領域位置が予め定義されているとき、第1の通信デバイスがSIB1を伝送するために使用される非アンカーキャリアを決定することは、予め定義された周波数領域位置に対応する非アンカーキャリアがSIB1を伝送するために使用される非アンカーキャリアであると第1の通信デバイスが決定することを意味する点に留意すべきである。
【０１７９】
SIBが非アンカー上でのみ或いは非アンカー上でのみ伝送されること、又は、SIB1がアンカーキャリア及び非アンカーキャリア上で伝送されることが、プロトコルを使用することにより予め定義されている場合、アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズに基づいて、非アンカーキャリア上でSIB1を第2の通信デバイスに伝送する。非アンカーキャリア上のSIB1の伝送の伝送リソース及び繰り返し数は、非アンカーキャリアの動作モードに結び付けられてもよい。非アンカーキャリア上のSIB1の具体的な繰り返し数及び伝送リソースは、プロトコルを使用することにより予め定義される。
【０１８０】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１８１】
この実施形態では、第2の通信デバイスにより、スケジューリング情報と、キャリアの動作モードとに基づいて、第1の通信デバイスからSIB1を受信することは、具体的には、
第2の通信デバイスにより、キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つである、ことと、
第2の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、
第2の通信デバイスにより、スケジューリング情報と、繰り返し数とに基づいて、SIB1を伝送するために使用される非アンカーキャリア上で第1の通信デバイスからSIB1を受信すること、又は、第2の通信デバイスにより、アンカーキャリア上で第1の通信デバイスからSIB1を受信すること、及び、第2の通信デバイスにより、繰り返し数と、スケジューリング情報とに基づいて、SIB1を伝送するために使用される非アンカーキャリア上で第1の通信デバイスからSIB1を受信すること、又は、
第2の通信デバイスにより、スタンドアローン動作モードに基づいて、SIB1を伝送するために使用される非アンカーキャリア上のSIB1の伝送リソースがアンカーキャリア上のSIB1の伝送リソースと同じであると決定すること、及び、
第2の通信デバイスにより、スケジューリング情報と、伝送リソースとに基づいて、非アンカーキャリア上で第1の通信デバイスからSIB1に受信すること、又は、第2の通信デバイスにより、アンカーキャリア上で第1の通信デバイスからSIB1を受信すること、及び、第2の通信デバイスにより、伝送リソースと、スケジューリング情報とに基づいて、非アンカーキャリア上で第1の通信デバイスからSIB1を受信すること、又は、
第2の通信デバイスにより、ガードバンド動作モード又は帯域内動作モードに基づいて、非アンカーキャリア上のSIB1の繰り返し数を決定すること、及び、
第2の通信デバイスにより、非アンカーキャリア上のSIB1の繰り返し数と、スケジューリング情報とに基づいて、非アンカーキャリア上で第1の通信デバイスからSIB1を受信すること、又は、
第2の通信デバイスにより、アンカーキャリア上で第1の通信デバイスからSIB1を受信すること、及び、第2の通信デバイスにより、非アンカーキャリア上のSIB1の繰り返し数と、スケジューリング情報とに基づいて、非アンカーキャリア上で第1の通信デバイスからSIB1を受信すること、又は、
第2の通信デバイスにより、ガードバンド動作モード又は帯域内動作モードに基づいて、非アンカーキャリア上のSIB1の伝送リソースを決定すること、及び、
第2の通信デバイスにより、非アンカーキャリア上のSIB1の伝送リソースと、スケジューリング情報とに基づいて、非アンカーキャリア上で第1の通信デバイスからSIB1を受信すること、又は、
第2の通信デバイスにより、アンカーキャリア上で第1の通信デバイスからSIB1を受信すること、及び、第2の通信デバイスにより、非アンカーキャリア上のSIB1の伝送リソースと、スケジューリング情報とに基づいて、非アンカーキャリア上で第1の通信デバイスからSIB1を受信することと
を含んでもよい。
【０１８２】
第2の通信デバイスにより、非アンカーキャリア上で第1の通信デバイスからSIB1を受信することは、第2の通信デバイスにより、SIB1を受信するために使用される非アンカーキャリアを決定することを含む。
【０１８３】
第1の通信デバイスにより実行されるステップは、第2の通信デバイスにより実行されるステップに対応することが習得できる。
【０１８４】
この実施形態では、1つの周期内で異なるセルのSIB1を伝送するための時間位置及び/又はキャリア位置が異なることを確保するために、SIB1が非アンカーキャリア上で伝送されること、又は、SIB1がアンカーキャリア上で伝送されることが予め定義されてもよい。このタイプの干渉分離メカニズムは、異なるセルのSIB1の間の相互干渉を回避でき、それにより、SIB1の伝送信頼性が改善できる。さらに、この実施形態では、MIBシグナリングオーバヘッドを低減するために、非アンカーキャリア上のSIB1の伝送の伝送リソース又は繰り返し数は、キャリアの動作モードに結び付けられる。
【０１８５】
第1の情報が、SIB1を伝送するために使用される非アンカーキャリア上のSIB1の伝送モード情報を含むことに基づいて、任意選択で、第1の情報は、SIB1を伝送するために使用される非アンカーキャリアの周波数領域位置情報を更に含む。
【０１８６】
SIB1を伝送するために使用される非アンカーキャリアの周波数領域位置情報に含まれるパラメータは、上記のものと同じであり、詳細は、ここでは再び説明しない。
【０１８７】
この場合、第1の通信デバイスにより、SIB1を伝送するために使用される非アンカーキャリアを決定することは、第1の通信デバイスにより、アンカーキャリアと、非アンカーキャリアの周波数領域位置情報とに基づいて、SIB1を伝送するために使用される非アンカーキャリアの周波数領域位置を決定することと、第1の通信デバイスにより、周波数領域位置に対応する非アンカーキャリアを決定することとを含んでもよい。
【０１８８】
第2の通信デバイスにより、SIB1を受信するために使用される非アンカーキャリアを決定することは、第2の通信デバイスにより、アンカーキャリアと、非アンカーキャリアの周波数領域位置情報とに基づいて、SIB1を伝送するために使用される非アンカーキャリアの周波数領域位置を決定することと、第2の通信デバイスにより、周波数領域位置に対応する非アンカーキャリアを決定することとを含んでもよい。
【０１８９】
SIBが非アンカー上でのみ伝送されること、又は、SIB1がアンカーキャリア及び非アンカーキャリア上で伝送されることは、プロトコルを使用することにより予め定義されてもよい。アンカーキャリア上でSIB1を伝送するための時間領域リソース位置及び非アンカーキャリア上でSIB1を伝送するための時間領域リソース位置は、プロトコルを使用することにより予め定義されてもよい。アンカーキャリア上でSIB1を伝送するための時間領域リソース位置及び非アンカーキャリア上でSIB1を伝送するための時間領域リソース位置は、同じでもよく或いは異なってもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズに基づいて、非アンカーキャリア上でSIB1を第2の通信デバイスに伝送する。
【０１９０】
この実施形態では、従来技術と同様に、第1の通信デバイスは、スケジューリング情報と、状態情報とに基づいて、SIB1の伝送モードを決定するとき、他の情報を更に参照してもよい点に留意すべきである。例えば、NB-IoTでは、MIBメッセージで示される動作モード情報は、CRSポート数のような情報を更に含んでもよい。リソースマッピング中に、CRSにより占有されるリソース位置がSIB1について考慮される必要がある。リソースマッピング中に、CRSにより占有されるリソースが回避され、CRSにより占有されるリソースはCRSポート数に関係する。したがって、スケジューリング情報と、状態情報とに基づいて、SIB1の伝送モードを決定するとき、第1の通信デバイスは、MIBメッセージで示される動作モード情報を更に参照してもよい。
【０１９１】
この実施形態では、第1の通信デバイスは、SIB1を伝送するために使用される様々な異なる情報をスケジューリング情報、非アンカーキャリアの周波数領域位置情報及び非アンカーキャリア上のSIB1の伝送モード情報に追加する。1つの周期内で異なるセルのSIB1を伝送するための周波数領域位置が異なることを確保するために、異なるセルのSIB1が非アンカーキャリア上で伝送されることが確保でき、異なるセルが異なる非アンカーキャリアで構成されてもよい。このタイプの干渉分離メカニズムは、異なるセルのSIB1の間の相互干渉を回避でき、それにより、SIB1の伝送信頼性が改善できる。伝送リソースは、非アンカーキャリア上のSIB1の伝送信頼性を確保するために、基地局が非アンカーキャリアとアンカーキャリアとの間の電力差に基づいて、非アンカーキャリア上でSIB1を伝送するための伝送リソースと、非アンカーキャリア上のSIB1の伝送の繰り返し数とを構成できるように構成されてもよい。
【０１９２】
以下に、いくつかの具体的な実現方式を例として使用することにより、上記の実施形態について説明する。
【０１９３】
［実現方式1］
SIB1がアンカーキャリア上でのみ伝送されることが、プロトコルを使用することにより予め定義される。アンカーキャリア上のSIB1の伝送の繰り返し数が16であるとき、アップリンク及びダウンリンクサブフレームにおいて、サブフレーム0以外のダウンリンクサブフレームが利用可能であるように構成され、利用可能なダウンリンクサブフレームは、非マルチメディアブロードキャストサービス単一周波数ネットワーク(Multimedia  Broadcast  multicast  service  Single  Frequency  Network,  MBSFN)サブフレームであり、或いは、利用可能なダウンリンクサブフレームがMBSFNサブフレームに比較的小さい影響を有するとき(例えば、より多くのダウンリンクサブフレームを有する構成において)、SIB1は、ダウンリンクサブフレームを使用することによりアンカーキャリア上で伝送され、SIB1を伝送するために使用される時間領域位置情報は、MIBメッセージで示され、言い換えると、第1の情報は、SIB1を伝送するために使用される時間領域位置情報を含む。
【表１】
2021503816.tif 000003
【０１９４】
現在、TDD  LTEはアップリンクダウンリンクサブフレーム構成0〜6をサポートしている。表１において、「D」は、ダウンリンク伝送に使用されるダウンリンクサブフレームを表し、「U」は、アップリンク伝送に使用されるアップリンクサブフレームを表し、「S」は、スペシャルサブフレームを表す。表１から、TDD  LTEの7個のアップリンクダウンリンクサブフレーム構成において、連続するアップリンクサブフレームの数は、1、2又は3でもよいことが習得できる。
【０１９５】
表１から、SIB1を伝送するために使用できるサブフレームは、サブフレーム0と、サブフレームと3、サブフレーム4と、サブフレーム6と、サブフレーム7と、サブフレーム8とを含むことが習得できる。具体的な実現方式の中で、SIB1を伝送するために使用できる上記の6個のサブフレームを示すために3つのビットが使用されてもよく、或いは、標準プロトコルの合意又はオペレータの合意を使用することにより、上記の6個のサブフレームの中で4つのサブフレームが決定されてもよく、4つのサブフレームは、サブフレーム0を少なくとも含む。このように、2つのビットが、SIB1を伝送するために使用されるサブフレームを示すために使用されてもよく、或いは、1つのビットが、SIB1を伝送するために使用されるサブフレームを示すために使用されてもよい。例えば、「0」は、SIB1がアンカーキャリアのサブフレーム0上で伝送されることを示し、「1」は、SIB1がアンカーキャリアのサブフレームX上で伝送されることを示す。サブフレームXは、サブフレーム0以外のダウンリンクサブフレームである。したがって、サブフレームXは、サブフレーム3と、サブフレーム4と、サブフレーム6と、サブフレーム7と、サブフレーム8とのうちいずれか1つでもよい。サブフレームXは、標準プロトコルを使用することにより、或いは、オペレータによって予め定義されてもよい。上記のサブフレームにおいて、サブフレーム6は、非MBSFNサブフレームである。したがって、MBSFNサブフレーム構成への影響を低減するために、サブフレームXはサブフレーム6でもよい。
【０１９６】
この実現方式では、具体的には、表２に示すように、2つのビットがSIB1の伝送を示すために使用されてもよい。SIB1は、2つの無線フレーム内の1つのサブフレームを占有する。
【０１９７】
さらに、他の繰り返し数、例えば、4及び8について、第1の通信デバイスの構成の柔軟性を改善するために、SIB1を伝送するために使用される時間領域位置情報はまた、MIBメッセージを使用することにより示されてもよい。
【０１９８】
上記の方式では、SIB1は、アンカーキャリア上での伝送中にサブフレーム0とは異なる他のサブフレームとして構成されてもよく、それにより、異なるセルのSIB1の伝送の間の相互干渉が回避でき、したがって、SIB1の伝送信頼性が改善できる。
【表２】
2021503816.tif 000004
【０１９９】
この出願におけるいずれかの表、例えば、表１について、フィールド値と意味との間の対応関係は、表に示されているものに限定されない点に留意すべきである。例えば、フィールド値「0」とフィールド値「1」との意味が交換されてもよい。
【０２００】
［実現方式2］
第1の情報において、SIB1がアンカーキャリア及び非アンカーキャリア上で伝送されることが予め定義される。SIB1の伝送の繰り返し数がNであるとき、Nの値は、例えば、4、8又は16を含む。いくつかのSIB1はアンカーキャリア上で伝送されてもよく、いくつかの他のSIB1は非アンカーキャリア上で伝送されてもよい。アンカーキャリア上のSIB1の繰り返し数はN/2であり、SIB1はサブフレーム0上で伝送される。第1の情報は、SIB1を伝送するために使用される非アンカーキャリアの周波数領域位置情報を含む。SIB1を伝送するために使用される非アンカーキャリアの周波数領域位置情報は、SIB1を伝送するために使用される非アンカーキャリアがアンカーキャリアの高周波数位置にあること、又は、SIB1を伝送するために使用される非アンカーキャリアがアンカーキャリアの低周波数位置にあることを示すために使用される。アンカーキャリアと非アンカーキャリアとの間の電力差を考慮して、第1の情報は、SIB1を伝送するために使用される非アンカーキャリア上のSIB1の伝送モード情報を更に含んでもよい。このように、アンカーキャリアのサブフレーム0上のSIB1の伝送の繰り返し数が低減され、SIB1が非アンカーキャリア上で伝送されてもよく、それにより、異なるセルのSIB1の伝送の間の相互干渉を回避する。非アンカーキャリア上でSIB1を伝送するためのサブフレームYは、標準プロトコルを使用することにより、或いは、オペレータによって予め定義されてもよく、サブフレームYは、サブフレーム0、サブフレーム1、サブフレーム3、サブフレーム4、サブフレーム5、サブフレーム6、サブフレーム7、サブフレーム8又はサブフレーム9でもよい。この実現方式では、具体的には、表３に示すように、2つのビットがSIB1の伝送を示すために使用されてもよい。SIB1は、2つの無線フレーム内の1つのサブフレームを占有する。
【表３】
2021503816.tif 000005
【０２０１】
［実現方式3］
SIB1を伝送するために使用される非アンカーキャリアの周波数領域位置情報は、標準プロトコルを使用することにより、或いは、オペレータによって予め定義される。SIB1の伝送の繰り返し数がNであり、Nの値が例えば4、8又は16を含むとき、第1の情報は、SIB1を伝送するために使用される状態情報と、SIB1を伝送するために使用される周波数領域位置情報と、SIB1を伝送するために使用される時間領域位置情報とを含む。第1の情報は、別個に示されてもよく、或いは、一緒に示されてもよい。アンカーキャリアと非アンカーキャリアとの間の電力差を考慮して、第1の情報は、SIB1を伝送するために使用される非アンカーキャリア上のSIB1の伝送モード情報を更に含んでもよい。SIB1がアンカーキャリア上でのみ伝送されるとき、SIB1を伝送するために使用される時間領域位置情報は、アンカーキャリア上でSIB1を伝送するためのサブフレーム位置を示す。SIB1がアンカーキャリア及び非アンカーキャリア上で伝送されるとき、SIB1は、アンカーキャリアのサブフレーム0上で伝送される。SIB1を伝送するために使用される非アンカーキャリア上のSIB1の伝送モード情報は、非アンカーキャリア上のSIB1の繰り返し数を含む。
【０２０２】
上記の方式では、SIB1は、アンカーキャリアのサブフレーム0とは異なる他のサブフレーム上で伝送されてもよく、SIB1は、非アンカーキャリア上で伝送されてもよく、それにより、異なるセルのSIB1の伝送の間の相互干渉を回避する。
【０２０３】
例えば、SIB1は、アンカーキャリアのサブフレームX1上で伝送される。サブフレームX1は、サブフレーム0以外のダウンリンクサブフレームであり、具体的には、サブフレーム3、サブフレーム4、サブフレーム6、サブフレーム7及びサブフレーム8のうち1つでもよい。サブフレームX1は、標準プロトコルを使用することにより、或いは、オペレータによって予め定義されてもよい。上記のサブフレームにおいて、サブフレーム6は非MBSFNサブフレームである。したがって、MBSFNサブフレーム構成への影響を低減するために、サブフレームX1はサブフレーム6でもよい。非アンカーキャリア上でSIB1を伝送するためのサブフレームY1は、標準プロトコルを使用することにより、或いは、オペレータによって予め定義されてもよく、サブフレームY1は、サブフレーム0、サブフレーム1、サブフレーム3、サブフレーム4、サブフレーム5、サブフレーム6、サブフレーム7、サブフレーム8又はサブフレーム9でもよい。表４に示すように、2つのビットがSIB1の伝送の具体的な実現方式を示すために使用されてもよい。SIB1は、2つの無線フレーム内の1つのサブフレームを占有する。
【表４】
2021503816.tif 000006
【０２０４】
［実現方式4］
SIB1を伝送するために使用される非アンカーキャリアの周波数領域位置情報は、標準プロトコルを使用することにより、或いは、オペレータによって予め定義される。SIB1の伝送の繰り返し数はNであり、Nの値は、例えば、4、8又は16を含む。第1の情報は、SIB1を伝送するために使用される状態情報と、SIB1を伝送するために使用される時間領域位置情報と、SIB1を伝送するために使用される非アンカーキャリアの周波数領域位置情報とを含む。第1の情報は、別個に示されてもよく、或いは、一緒に示されてもよい。アンカーキャリアと非アンカーキャリアとの間の電力差を考慮して、第1の情報は、SIB1を伝送するために使用される非アンカーキャリア上のSIB1の伝送モード情報を更に含んでもよい。SIB1を伝送するために使用される状態情報に含まれる状態は、SIB1がアンカーキャリア上でのみ伝送されること、又は、SIB1が非アンカーキャリア上でのみ伝送されることを示す。SIB1を伝送するために使用される時間領域位置情報は、アンカーキャリア上でSIB1を伝送するためのサブフレーム位置を示す。SIB1を伝送するために使用される非アンカーキャリア上のSIB1の伝送モード情報は、非アンカーキャリア上のSIB1の繰り返し数と、リソース指示情報とを含む。
【０２０５】
上記の方式では、SIB1は、アンカーキャリアのサブフレーム0とは異なる他のサブフレーム上で伝送されてもよく、SIB1は、非アンカーキャリア上で伝送されてもよく、それにより、異なるセルのSIB1の伝送の間の相互干渉を回避する。
【０２０６】
例えば、SIB1は、アンカーキャリアのサブフレームX2上で伝送される。サブフレームX2は、サブフレーム0以外のダウンリンクサブフレームであり、具体的には、サブフレーム3、サブフレーム4、サブフレーム6、サブフレーム7及びサブフレーム8のうち1つでもよい。サブフレームX2は、標準プロトコルを使用することにより、或いは、オペレータによって予め定義されてもよい。上記のサブフレームにおいて、サブフレーム6は非MBSFNサブフレームである。したがって、MBSFNサブフレーム構成への影響を低減するために、好ましくは、サブフレームX2はサブフレーム6でもよい。非アンカーキャリア上でSIB1を伝送するためのサブフレームY2は、標準プロトコルを使用することにより、或いは、オペレータによって予め定義されてもよく、サブフレームY2、サブフレームY21及びサブフレームY22は、それぞれ、サブフレーム0、サブフレーム1、サブフレーム3、サブフレーム4、サブフレーム5、サブフレーム6、サブフレーム7、サブフレーム8又はサブフレーム9でもよい。表５に示すように、2つのビットがSIB1の伝送の具体的な実現方式を示すために使用されてもよい。SIB1がアンカーキャリア上で一回伝送される繰り返し周期において、SIB1を伝送するために使用される非アンカーキャリア上のSIB1の伝送は、アンカーキャリア上のSIB1の伝送よりも多い伝送リソースを必要とする点に留意すべきである。例えば、非アンカーキャリア上で、SIB1は、2つの無線フレーム内の2つのサブフレームを使用し、2つのサブフレームは、同じ無線フレームに位置するか、或いは、非アンカーキャリア上で、SIB1は、2つの無線フレーム内の2つのサブフレームを使用し、2つのサブフレームは、異なる無線フレームに位置する。
【表５】
2021503816.tif 000007
【０２０７】
［実現方式5］
SIB1の繰り返し数はNであり、Nの値は、例えば、4、8又は16を含む。第1の情報は、SIB1を伝送するために使用される状態情報と、SIB1を伝送するために使用される非アンカーキャリアの周波数領域位置情報とを含む。アンカーキャリアと非アンカーキャリアとの間の電力差を考慮して、第1の情報は、SIB1を伝送するために使用される非アンカーキャリア上のSIB1の伝送モード情報を更に含む。SIB1を伝送するために使用される状態情報に含まれる状態は、SIB1がアンカーキャリア上でのみ伝送されること、SIB1が非アンカーキャリア上でのみ伝送されること、又は、SIB1がアンカーキャリア及び非アンカーキャリア上で伝送されることを示す。アンカーキャリア上でSIB1を伝送するための位置は、標準プロトコルを使用することにより、或いは、オペレータによって予め定義されてもよい。SIB1を伝送するために使用される非アンカーキャリア上のSIB1の伝送モード情報は、非アンカーキャリア上のSIB1の繰り返し数と、リソース指示情報とを含む。
【０２０８】
このように、SIB1は、アンカーキャリアのサブフレーム0とは異なる他のサブフレーム上で伝送されてもよく、SIB1は、非アンカーキャリア上で伝送されてもよく、それにより、異なるセルのSIB1の伝送の間の相互干渉を回避し、SIB1の伝送信頼性を改善する。
【０２０９】
例えば、非アンカーキャリア上でSIB1を伝送するためのサブフレームY3は、標準プロトコルを使用することにより、或いは、オペレータによって予め定義されてもよく、サブフレームY3は、サブフレーム0、サブフレーム1、サブフレーム3、サブフレーム4、サブフレーム5、サブフレーム6、サブフレーム7、サブフレーム8又はサブフレーム9でもよい。表６に示すように、2つのビットがSIB1の伝送の具体的な実現方式を示すために使用されてもよい。
【表６】
2021503816.tif 000008
【０２１０】
さらに、MIBメッセージシグナリングオーバヘッドを低減するために、キャリアの動作モードと、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つは、MIBメッセージ内の他の情報に結び付けられることにより暗示的に示されてもよく、或いは、標準プロトコルを使用することにより、或いは、オペレータによって予め定義されてもよく、MIBメッセージ内で明示的に示される必要はない。
【０２１１】
例えば、キャリアの動作モードについて、NB-IoTが3つの展開モード、すなわち、帯域内動作モード及びガードバンド動作モードを含むとき、アンカーキャリアの電力は非アンカーキャリアの電力よりも高い。したがって、SIB1が非アンカーキャリア上で伝送されるとき、非アンカーキャリア上のSIB1の伝送の繰り返し数は、アンカーキャリア上のSIB1の伝送の繰り返し数よりも大きいか、或いは、非アンカーキャリア上のSIB1の伝送の繰り返し数は、アンカーキャリア上のSIB1の伝送の繰り返し数と同じである。しかし、SIB1がアンカーキャリア上で一回伝送される繰り返し周期において、非アンカーキャリア上のSIB1の伝送は、アンカーキャリア上のSIB1の伝送よりも多い伝送リソースを必要とする。伝送リソースは、例えば、サブフレームである。
【０２１２】
したがって、実現方式2について、表７に示すように、キャリアの動作モードを参照して、SIB1の伝送の具体的な実現方式は1つのビットにより示されてもよい。
【表７】
2021503816.tif 000009
【０２１３】
実現方式3について、キャリアの動作モードを参照して、SIB1を伝送するために使用される非アンカーキャリアとアンカーキャリアとの間の周波数領域オフセットは、標準プロトコルを使用することにより、或いは、オペレータによって予め定義されてもよい。表８に示すように、SIB1の伝送の具体的な実現方式は、2つのビットを使用することにより示されてもよい。
【表８】
2021503816.tif 000010
【０２１４】
実現方式4について、キャリアの動作モードを参照して、SIB1を伝送するために使用される非アンカーキャリアとアンカーキャリアとの間の周波数領域オフセットは、標準プロトコルを使用することにより、或いは、オペレータによって予め定義されてもよい。表９に示すように、SIB1の伝送の具体的な実現方式は、2つのビットを使用することにより示されてもよい。
【表９】
2021503816.tif 000011
【０２１５】
［実現方式6］
SIB1の繰り返し数Nは、MIBメッセージ内のSIB1のスケジューリング情報に基づいて取得されてもよい。繰返し数NがN0未満であるとき、N0はタイミング要件に基づいて設定されてもよい。SIB1は、アンカーキャリアのサブフレーム0上でのみ伝送され、繰り返し数はNである。繰り返し数NがN0以上であるとき、SIB1は、アンカーキャリア及び非アンカーキャリア上で伝送される。SIB1を伝送するために使用される非アンカーキャリア上のSIB1の伝送モード情報は、キャリアの動作モードに結び付けられる。例えば、Nの値は4、8、又は16を含み、N0は16でもよい。
【０２１６】
キャリアの動作モードがスタンドアローン動作モードであるとき、SIB1は、アンカーキャリアのサブフレーム0上で伝送され、繰り返し数はN/2であるか、或いは、SIB1は、非アンカーキャリアのサブフレームY4上で伝送され、繰り返し数はN/2である。
【０２１７】
キャリアの動作モードが帯域内動作モード又はガードバンド動作モードであるとき、SIB1は、アンカーキャリアのサブフレーム0上で伝送され、繰り返し数はN/2であるか、或いは、SIB1は、非アンカーキャリアのサブフレームY4上で伝送され、繰り返し数はNである。非アンカーキャリア上でSIB1を伝送するためのサブフレームY4は、標準プロトコルを使用することにより、或いは、オペレータによって予め定義されてもよく、サブフレームY4は、サブフレーム0、サブフレーム1、サブフレーム3、サブフレーム4、サブフレーム5、サブフレーム6、サブフレーム7、サブフレーム8又はサブフレーム9でもよい。
【０２１８】
［実現方式7］
SIB1の繰り返し数Nは、MIBメッセージ内のSIB1のスケジューリング情報に基づいて取得されてもよい。繰返し数NがN1未満であるとき、N1はタイミング要件に基づいて設定されてもよい。SIB1は、アンカーキャリアのサブフレーム0上でのみ伝送され、繰り返し数はNである。繰り返し数NがN1以上であるとき、SIB1は、非アンカーキャリア上でのみ伝送される。SIB1を伝送するために使用される非アンカーキャリア上のSIB1の伝送モード情報は、キャリアの動作モードに結び付けられる。例えば、Nの値は4、8、又は16を含み、N1は16でもよい。
【０２１９】
キャリアの動作モードがスタンドアローン動作モードであるとき、SIB1は、非アンカーキャリアのサブフレームY5上で伝送され、繰り返し数はNである。
【０２２０】
動作モードが帯域内動作モード又はガードバンド動作モードであるとき、SIB1は、非アンカーキャリアのサブフレームY5上で伝送され、繰り返し数は2Nであるか、或いは、SIB1は、非アンカーキャリアの同じ無線フレーム内にあるサブフレームY51及びサブフレームY52上で伝送され、繰り返し数はNである。非アンカーキャリア上でSIB1を伝送するためのサブフレームY5は、標準プロトコルを使用することにより、或いは、オペレータによって予め定義されてもよく、サブフレームY5、サブフレームY51及びサブフレームY52は、それぞれ、サブフレーム0、サブフレーム1、サブフレーム3、サブフレーム4、サブフレーム5、サブフレーム6、サブフレーム7、サブフレーム8又はサブフレーム9でもよい。
【０２２１】
この出願の前述の実施形態では、MIBメッセージにおいて、SIB1がアンカーキャリアのサブフレーム0とは異なる他のサブフレーム上で伝送されてもよく、SIB1が非アンカーキャリア上で伝送されてもよいことが示され、それにより、異なるセルのSIB1の伝送の間の相互干渉を回避し、SIB1の伝送信頼性を改善する。さらに、MIBメッセージのシグナリングオーバヘッドは、合意を通じて、或いは、MIBメッセージ内の他の情報を使用することにより実行される暗示の指示を通じて低減されてもよい。
【０２２２】
SIB1がアンカーキャリア及び非アンカーキャリア上で伝送される場合、図７に示すように、SIB1は、サブフレームレベル、無線フレームレベル及びアンカーキャリア上のSIB1の単一の伝送の繰り返し周期レベルに基づいて、アンカーキャリア及び非アンカーキャリア上で交互に伝送される。このように、SIB1は、時間でよりコンパクトに伝送される。これは、遅延と消費電力とを低減するのに役立つ。
【０２２３】
代替として、図８に示すように、アンカーキャリア上のSIB1の伝送と非アンカーキャリア上のSIB1の伝送との間の時間差は、少なくとも1つの周期の長さである。このように、SIB1は、アンカーキャリア及び非アンカーキャリア上で順次に伝送され、複雑性は低い。
【０２２４】
以下は、この出願の装置の実施形態であり、装置の実施形態は、上記の方法の実施形態を実行するために使用されてもよい。装置の実施形態に開示されていない詳細については、方法の実施形態を参照する。
【０２２５】
図９は、この出願の実施形態によるシステムメッセージ伝送装置の概略構造図である。図９に示すように、システムメッセージ伝送装置90は、処理モジュール91と、送信モジュール92とを含む。システムメッセージ伝送装置90は、具体的には、上記の実施形態における第1の通信デバイスでもよい。
【０２２６】
処理モジュール91は、マスター情報ブロックMIBメッセージを構成するように適合される。MIBメッセージは、SIB1のスケジューリング情報を含むか、或いは、MIBメッセージは、スケジューリング情報と、キャリアの動作モード及び第1の情報のうち少なくとも1つとを含む。第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含む。
【０２２７】
送信モジュール92は、MIBメッセージを第2の通信デバイスに送信するように適合される。
【０２２８】
処理モジュール91は、送信モジュール92を使用することにより、スケジューリング情報に基づいて、或いは、スケジューリング情報と、キャリアの動作モード及び第1の情報のうち少なくとも1つとに基づいて、SIB1を第2の通信デバイスに伝送するように更に適合される。
【０２２９】
この実施形態における装置は、上記の実施形態において提供されるシステムメッセージ伝送方法において第1の通信デバイスにより実行されるステップを実行するように適合されてもよい。これらの具体的な実現原理及び技術的効果は同様であり、詳細はここでは再び説明しない。
【０２３０】
任意選択で、第1の情報は、SIB1を伝送するために使用される状態情報を含む。状態情報は、以下の状態、すなわち、SIB1がアンカーキャリア上でのみ伝送されることと、SIB1が非アンカーキャリア上でのみ伝送されることとのうち1つを含むか、或いは、状態情報は、以下の状態、すなわち、SIB1がアンカーキャリア上でのみ伝送されることと、SIB1がアンカーキャリア及び非アンカーキャリア上で伝送されることとのうち1つを含む。
【０２３１】
処理モジュール91は、具体的には、送信モジュール92を使用することにより、スケジューリング情報と、状態情報とに基づいて、アンカーキャリア及び/又は非アンカーキャリア上でSIB1を第2の通信デバイスに伝送するように適合されてもよい。非アンカーキャリア上でSIB1を伝送することを決定するとき、処理モジュール91は、SIB1を伝送するために使用される非アンカーキャリアを決定するように更に適合されてもよい。
【０２３２】
任意選択で、第1の情報は、SIB1を伝送するために使用される時間領域位置情報を更に含む。SIB1を伝送するために使用される時間領域位置情報は、以下の位置、すなわち、サブフレーム位置と、無線フレーム位置と、ハイパーフレーム位置と、シンボル位置と、スロット位置とのうち1つを含む。
【０２３３】
この場合、第1の通信デバイスが、スケジューリング情報と、状態情報とに基づいて、アンカーキャリア及び/又は非アンカーキャリア上でSIB1を第2の通信デバイスに伝送することを決定するとき、処理モジュール91は、具体的には、スケジューリング情報と、状態情報と、時間領域位置情報とに基づいて、送信モジュール92を使用することにより、時間領域位置情報により示され且つアンカーキャリア及び/又はSIB1を伝送するために使用される非アンカーキャリア上にある時間領域位置において、SIB1を第2の通信デバイスに伝送することを決定するように適合される。
【０２３４】
任意選択で、第1の情報は、SIB1を伝送するために使用される時間領域位置情報を含む。時間領域位置情報は、以下の位置、すなわち、サブフレーム位置と、無線フレーム位置と、ハイパーフレーム位置と、シンボル位置と、スロット位置とのうち1つを含む。
【０２３５】
処理モジュール91は、具体的には、SIB1を伝送するために使用されるキャリアを決定することであり、キャリアは、アンカーキャリア及び/又はSIB1を伝送するために使用される非アンカーキャリアを含む、ことと、送信モジュール92を使用することにより、時間領域位置情報により示され且つアンカーキャリア及び/又はSIB1を伝送するために使用される非アンカーキャリア上にある時間領域位置において、スケジューリング情報に基づいて、SIB1を第2の通信デバイスに伝送することとを行うように適合される。
【０２３６】
任意選択で、第1の情報は、SIB1を伝送するために使用される非アンカーキャリアの周波数領域位置情報を含む。SIB1を伝送するために使用される非アンカーキャリアの周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含む。周波数領域オフセットは、周波数領域間隔又はリソースブロック数である。
【０２３７】
処理モジュール91は、具体的には、
SIB1を伝送するために使用される非アンカーキャリアを決定することと、
周波数領域位置情報と、アンカーキャリアとに基づいて、SIB1を伝送するために使用される非アンカーキャリアの周波数領域位置を決定することと、
送信モジュール92を使用することにより、スケジューリング情報に基づいて、周波数領域位置に対応し且つSIB1を伝送するために使用される非アンカーキャリア上でSIB1を伝送すること、又は、送信モジュールを使用することにより、スケジューリング情報に基づいて、アンカーキャリア及び周波数領域位置に対応し且つSIB1を伝送するために使用される非アンカーキャリア上でSIB1を第2の通信デバイスに伝送することと
を行うように適合されてもよい。
【０２３８】
任意選択で、第1の情報は、SIB1を伝送するために使用される非アンカーキャリア上のSIB1の伝送モード情報を含む。伝送モード情報は、SIB1を伝送するために使用される非アンカーキャリア上のSIB1の繰り返し数を含む。
【０２３９】
処理モジュール91は、具体的には、
SIB1を伝送するために使用される非アンカーキャリアを決定することと、
送信モジュール92を使用することにより、繰り返し数と、スケジューリング情報とに基づいて、SIB1を伝送するために使用される非アンカーキャリア上でSIB1を第2の通信デバイスに伝送すること、又は、送信モジュール92を使用することにより、スケジューリング情報に基づいて、アンカーキャリア上でSIB1を第2の通信デバイスに伝送すること、及び、送信モジュール92を使用することにより、スケジューリング情報と、繰り返し数とに基づいて、SIB1を伝送するために使用される非アンカーキャリア上でSIB1を第2の通信デバイスに伝送することと
を行うように適合される。
【０２４０】
任意選択で、第1の情報は、SIB1を伝送するために使用される非アンカーキャリア上のSIB1の伝送モード情報を含む。伝送モード情報は、リソース指示情報を含む。リソース指示情報は、SIB1を伝送するために使用される非アンカーキャリア上のSIB1の繰り返し数がアンカーキャリア上のSIB1の繰り返し数と同じであるとき、SIB1がアンカーキャリア上で一回伝送される繰り返し周期において、SIB1を伝送するために使用される非アンカーキャリア上のSIB1の伝送が、アンカーキャリア上のSIB1の伝送よりも多い伝送リソースを必要とするか否かを示すために使用される。伝送リソースは、サブフレーム、無線フレーム、ハイパーフレーム、シンボル又はスロットのうち1つである。
【０２４１】
処理モジュール91は、具体的には、
SIB1を伝送するために使用される非アンカーキャリアを決定することと、
リソース指示情報に基づいて、SIB1を伝送するために使用され且つSIB1を伝送するために使用される非アンカーキャリア上にある伝送リソースを決定することと、
送信モジュール92と、SIB1を伝送するために使用され且つSIB1を伝送するために使用される非アンカーキャリア上にある伝送リソースとを使用することにより、スケジューリング情報に基づいて、SIB1を第2の通信デバイスに伝送すること、又は、送信モジュール92と、SIB1を伝送するために使用され且つSIB1を伝送するために使用される非アンカーキャリア上にある伝送リソースとを使用することにより、スケジューリング情報に基づいて、アンカーキャリア上でSIB1を第2の通信デバイスに伝送することと
を行うように具体的に適合されてもよい。
【０２４２】
任意選択で、繰り返し数の集合内のいくつかの繰り返し数の値は第1の状態に対応し、第1の状態は、SIB1がアンカーキャリア上でのみ伝送されることであり、繰り返し数の集合内の他の繰り返し数の値は第2の状態に対応し、第2の状態は、SIB1が非アンカーキャリア上でのみ伝送されること、又は、SIB1がアンカーキャリア及び非アンカーキャリア上で伝送されることである。スケジューリング情報は、SIB1を伝送するために使用されるトランスポートブロックサイズと、繰り返し数とを決定するために使用される。
【０２４３】
処理モジュール91は、具体的には、
繰り返し数が第1の状態又は第2の状態に対応すると決定し、
送信モジュール92を使用することにより、第1の状態又は第2の状態に基づいて、アンカーキャリア及び/又は非アンカーキャリア上でSIB1を第2の通信デバイスに伝送する
ように適合されてもよい。
【０２４４】
非アンカーキャリア上でSIB1を伝送することを決定するとき、処理モジュール91は、SIB1を伝送するために使用される非アンカーキャリアを決定するように更に適合される。
【０２４５】
任意選択で、繰り返し数の集合内のいくつかの繰り返し数の値は第1の状態に対応し、第1の状態は、SIB1がアンカーキャリア上でのみ伝送されることであり、繰り返し数の集合内の他の繰り返し数の値に対応する第2の状態は、SIB1を伝送するために使用される状態情報に基づいて決定され、第2の状態は、SIB1が非アンカーキャリア上でのみ伝送されること、又は、SIB1がアンカーキャリア上でのみ伝送されることである。スケジューリング情報は、SIB1を伝送するために使用されるトランスポートブロックサイズと、繰り返し数とを決定するために使用される。スケジューリング情報内の繰り返し数が第1の状態に対応するとき、MIBメッセージは、SIB1のスケジューリング情報と、キャリアの動作モードとを含む。スケジューリング情報内の繰り返し数が第2の状態に対応するとき、MIBメッセージは、SIB1のスケジューリング情報と、キャリアの動作モードと、SIB1を伝送するために使用される状態情報を含む第1の情報とを含む。
【０２４６】
処理モジュール91は、具体的には、
スケジューリング情報内の繰り返し数がいくつかの繰り返し数の値に属するとき、送信モジュール92を使用することにより、いくつかの繰り返し数の値に対応する第1の状態と、スケジューリング情報とに基づいて、アンカーキャリア上でSIB1を第2の通信デバイスに伝送すること、又は、
スケジューリング情報内の繰り返し数が他の繰り返し数の値に属するとき、送信モジュール92を使用することにより、スケジューリング情報に基づいて、アンカーキャリア上でSIB1を第2の通信デバイスに伝送すること、又は、送信モジュール92を使用することにより、スケジューリング情報と、キャリアの動作モードと、第1の情報内にあり且つSIB1を伝送するために使用される状態情報とに基づいて、非アンカーキャリア上でSIB1を第2の通信デバイスに伝送すること
を行うように適合される。
【０２４７】
非アンカーキャリア上でSIB1を伝送するとき、処理モジュール91は、SIB1を伝送するために使用される非アンカーキャリアを決定するように更に適合される。
【０２４８】
さらに、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含む。
【０２４９】
処理モジュール91が、スケジューリング情報と、キャリアの動作モードと、第1の情報内にあり且つSIB1を伝送するために使用される状態情報とに基づいて、SIB1を伝送するために使用される非アンカーキャリア上でSIB1を第2の通信デバイスに伝送するように適合されることは、具体的には、
キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つである、ことと、
スタンドアローン動作モードに基づいて、SIB1を伝送するために使用される非アンカーキャリア上のSIB1の伝送リソースがアンカーキャリア上のSIB1の伝送リソースと同じであると決定すること、及び、送信モジュール92を使用することにより、スケジューリング情報と、非アンカーキャリア上のSIB1の伝送リソースとに基づいて、SIB1を伝送するために使用される非アンカーキャリア上でSIB1を第2の通信デバイスに伝送すること、又は、
ガードバンド動作モード又は帯域内動作モードに基づいて、SIB1を伝送するために使用される非アンカーキャリア上のSIB1の伝送リソースを決定すること、及び、
送信モジュール92を使用することにより、スケジューリング情報と、SIB1を伝送するために使用される非アンカーキャリア上のSIB1の伝送リソースとに基づいて、SIB1を第2の通信デバイスに伝送すること
である。
【０２５０】
任意選択で、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含む。
【０２５１】
処理モジュール91は、具体的には、
キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つを含む、ことと、
スタンドアローン動作モードに基づいて、非アンカーキャリア上のSIB1の繰り返し数がアンカーキャリア上のSIB1の繰り返し数と同じであると決定すること、及び、
送信モジュール92を使用することにより、スケジューリング情報と、繰り返し数とに基づいて、SIB1を伝送するために使用される非アンカーキャリア上でSIB1を伝送すること、又は、送信モジュール92を使用することにより、スケジューリング情報に基づいて、アンカーキャリア上でSIB1を第2の通信デバイスに伝送すること、及び、送信モジュール92を使用することにより、繰り返し数と、スケジューリング情報とに基づいて、SIB1を伝送するために使用される非アンカーキャリア上でSIB1を第2の通信デバイスに伝送すること、又は、
スタンドアローン動作モードに基づいて、SIB1を伝送するために使用される非アンカーキャリア上のSIB1の伝送リソースがアンカーキャリア上のSIB1の伝送リソースと同じであると決定すること、及び、
送信モジュール92を使用することにより、スケジューリング情報と、伝送リソースとに基づいて、非アンカーキャリア上でSIB1に伝送すること、又は、送信モジュール92を使用することにより、スケジューリング情報に基づいて、アンカーキャリア上でSIB1を第2の通信デバイスに伝送すること、及び、送信モジュール92を使用することにより、スケジューリング情報と、伝送リソースとに基づいて、非アンカーキャリア上でSIB1を第2の通信デバイスに伝送すること、又は、
ガードバンド動作モード又は帯域内動作モードに基づいて、非アンカーキャリア上のSIB1の繰り返し数を決定すること、及び、
送信モジュール92を使用することにより、非アンカーキャリア上のSIB1の繰り返し数と、スケジューリング情報とに基づいて、非アンカーキャリア上でSIB1を第2の通信デバイスに伝送すること、又は、
送信モジュール92を使用することにより、スケジューリング情報に基づいて、アンカーキャリア上でSIB1を第2の通信デバイスに伝送すること、及び、送信モジュール92を使用することにより、非アンカーキャリア上のSIB1の繰り返し数と、スケジューリング情報とに基づいて、非アンカーキャリア上でSIB1を第2の通信デバイスに伝送すること、又は、
ガードバンド動作モード又は帯域内動作モードに基づいて、非アンカーキャリア上のSIB1の伝送リソースを決定すること、及び、
送信モジュール92を使用することにより、非アンカーキャリア上のSIB1の伝送リソースに基づいて、非アンカーキャリア上でSIB1を第2の通信デバイスに伝送すること、又は、
送信モジュール92を使用することにより、スケジューリング情報に基づいて、アンカーキャリア上でSIB1を第2の通信デバイスに伝送すること、及び、送信モジュール92を使用することにより、スケジューリング情報と、非アンカーキャリア上のSIB1の伝送リソースとに基づいて、非アンカーキャリア上でSIB1を第2の通信デバイスに伝送することと
を行うように適合される。
【０２５２】
非アンカーキャリア上でSIB1を伝送するとき、処理モジュール91は、SIB1を伝送するために使用される非アンカーキャリアを決定するように更に適合される。
【０２５３】
さらに、第1の情報は、SIB1を伝送するために使用される非アンカーキャリアの周波数領域位置情報を更に含む。周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含む。周波数領域オフセットは、周波数領域間隔又はリソースブロック数である。
【０２５４】
SIB1を伝送するために使用される非アンカーキャリアを決定するとき、処理モジュール91は、具体的には、
アンカーキャリアと、非アンカーキャリアの周波数領域位置情報とに基づいて、SIB1を伝送するために使用される非アンカーキャリアの周波数領域位置を決定することと、
周波数領域位置に対応する非アンカーキャリアを決定することと
を行うように適合される。
【０２５５】
図１０は、この出願の他の実施形態によるシステムメッセージ伝送装置の概略構造図である。図１０に示すように、システムメッセージ伝送装置90は、受信モジュール11と、処理モジュール12とを含む。システムメッセージ伝送装置10は、具体的には、上記の実施形態における第2の通信デバイスでもよい。
【０２５６】
具体的には、受信モジュール11は、第1の通信デバイスからマスター情報ブロックMIBメッセージを受信するように適合される。
【０２５７】
MIBメッセージは、SIB1のスケジューリング情報を含むか、或いは、MIBメッセージは、スケジューリング情報と、キャリアの動作モード及び第1の情報のうち少なくとも1つとを含む。第1の情報は、以下の情報、すなわち、SIB1を伝送するために使用される状態情報と、SIB1を伝送するために使用される時間領域位置情報と、SIB1を伝送するために使用される非アンカーキャリアの周波数領域位置情報と、SIB1を伝送するために使用される非アンカーキャリア上のSIB1の伝送モード情報とのうち少なくとも1つを含む。
【０２５８】
処理モジュール12は、受信モジュール11を使用することにより、スケジューリング情報に基づいて、或いは、スケジューリング情報と、キャリアの動作モード及び第1の情報のうち少なくとも1つとに基づいて、第1の通信デバイスからSIB1を受信するように適合される。
【０２５９】
この実施形態における装置は、上記の実施形態において提供されるシステムメッセージ伝送方法において第2の通信デバイスにより実行されるステップを実行するように適合されてもよい。これらの具体的な実現原理及び技術的効果は同様であり、詳細はここでは再び説明しない。
【０２６０】
任意選択で、第1の情報は、SIB1を伝送するために使用される状態情報を含む。状態情報は、以下の状態、すなわち、SIB1がアンカーキャリア上でのみ伝送されることと、SIB1が非アンカーキャリア上でのみ伝送されることとのうち1つを含むか、或いは、状態情報は、以下の状態、すなわち、SIB1がアンカーキャリア上でのみ伝送されることと、SIB1がアンカーキャリア及び非アンカーキャリア上で伝送されることとのうち1つを含む。
【０２６１】
処理モジュール12は、具体的には、
受信モジュール11を使用することにより、スケジューリング情報と、状態情報とに基づいて、アンカーキャリア及び/又は非アンカーキャリア上で第1の通信デバイスからSIB1を受信することを決定するように適合されてもよい。
【０２６２】
非アンカーキャリア上で第1の通信デバイスからSIB1を受信することを決定するとき、処理モジュール12は、SIB1を受信するために使用される非アンカーキャリアを決定するように更に適合される。
【０２６３】
任意選択で、第1の情報は、SIB1を伝送するために使用される時間領域位置情報を更に含む。SIB1を伝送するために使用される時間領域位置情報は、以下の位置、すなわち、サブフレーム位置と、無線フレーム位置と、ハイパーフレーム位置と、シンボル位置と、スロット位置とのうち1つを含む。
【０２６４】
スケジューリング情報と、状態情報とに基づいて、アンカーキャリア及び/又は非アンカーキャリア上で第1の通信デバイスからSIB1を受信することを決定するとき、処理モジュール12は、具体的には、
スケジューリング情報と、状態情報と、時間領域位置情報とに基づいて、受信モジュール11を使用することにより、時間領域位置情報により示され且つアンカーキャリア及び/又は非アンカーキャリア上にある時間領域位置において、第1の通信デバイスからSIB1を受信することを決定するように適合される。
【０２６５】
任意選択で、第1の情報は、SIB1を伝送するために使用される時間領域位置情報を含む。時間領域位置情報は、以下の位置、すなわち、サブフレーム位置と、無線フレーム位置と、ハイパーフレーム位置と、シンボル位置と、スロット位置とのうち1つを含む。
【０２６６】
処理モジュール12は、
SIB1を受信するために使用されるキャリアを決定することであり、キャリアは、アンカーキャリア及び/又はSIB1を伝送するために使用される非アンカーキャリアを含む、ことと、
受信モジュール11を使用することにより、時間領域位置情報により示され且つアンカーキャリア及び/又はSIB1を伝送するために使用される非アンカーキャリア上にある時間領域位置において、スケジューリング情報に基づいて、第1の通信デバイスからSIB1を受信することと
を行うように適合される。
【０２６７】
任意選択で、第1の情報は、SIB1を伝送するために使用される非アンカーキャリアの周波数領域位置情報を含む。SIB1を伝送するために使用される非アンカーキャリアの周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含む。周波数領域オフセットは、周波数領域間隔又はリソースブロック数である。
【０２６８】
処理モジュール12は、具体的には、
SIB1を受信するために使用される非アンカーキャリアを決定することと、
周波数領域位置情報と、アンカーキャリアとに基づいて、SIB1を伝送するために使用される非アンカーキャリアの周波数領域位置を決定することと、
受信モジュール11を使用することにより、スケジューリング情報に基づいて、周波数領域位置に対応し且つSIB1を伝送するために使用される非アンカーキャリア上で第1の通信デバイスからSIB1を受信すること、又は、受信モジュール11を使用することにより、スケジューリング情報に基づいて、アンカーキャリア及び周波数領域位置に対応し且つSIB1を伝送するために使用される非アンカーキャリア上で第1の通信デバイスからSIB1を受信することと
を行うように適合される。
【０２６９】
任意選択で、第1の情報は、SIB1を伝送するために使用される非アンカーキャリア上のSIB1の伝送モード情報を含む。伝送モード情報は、SIB1を伝送するために使用される非アンカーキャリア上のSIB1の繰り返し数を含む。
【０２７０】
処理モジュール12は、具体的には、
SIB1を伝送するために使用される非アンカーキャリアを決定することと、
受信モジュール11を使用することにより、繰り返し数と、スケジューリング情報とに基づいて、SIB1を伝送するために使用される非アンカーキャリア上で第1の通信デバイスからSIB1を受信すること、又は、受信モジュール11を使用することにより、スケジューリング情報に基づいて、アンカーキャリア上で第1の通信デバイスからSIB1を受信し、受信モジュール11を使用することにより、スケジューリング情報と、繰り返し数と基づいて、SIB1を伝送するために使用される非アンカーキャリア上で第1の通信デバイスからSIB1を受信することと
を行うように適合される。
【０２７１】
任意選択で、第1の情報は、SIB1を伝送するために使用される非アンカーキャリア上のSIB1の伝送モード情報を含む。伝送モード情報は、リソース指示情報を含む。リソース指示情報は、SIB1を伝送するために使用される非アンカーキャリア上のSIB1の繰り返し数がアンカーキャリア上のSIB1の繰り返し数と同じであるとき、SIB1がアンカーキャリア上で一回伝送される繰り返し周期において、SIB1を伝送するために使用される非アンカーキャリア上のSIB1の伝送が、アンカーキャリア上のSIB1の伝送よりも多い伝送リソースを必要とするか否かを示すために使用される。伝送リソースは、サブフレーム、無線フレーム、ハイパーフレーム、シンボル又はスロットのうち1つである。
【０２７２】
処理モジュール12は、具体的には、
SIB1を伝送するために使用される非アンカーキャリアを決定することと、
リソース指示情報に基づいて、SIB1を伝送するために使用され且つSIB1を伝送するために使用される非アンカーキャリア上にある伝送リソースを決定することと、
受信モジュール11と、SIB1を伝送するために使用され且つSIB1を伝送するために使用される非アンカーキャリア上にある伝送リソースとを使用することにより、スケジューリング情報に基づいて、第1の通信デバイスからSIB1を受信すること、又は、受信モジュール11を使用することにより、スケジューリング情報に基づいて、アンカーキャリア上で第1の通信デバイスからSIB1を受信し、受信モジュール11と、SIB1を伝送するために使用され且つSIB1を伝送するために使用される非アンカーキャリア上にある伝送リソースとを使用することにより、スケジューリング情報に基づいて、第1の通信デバイスからSIB1を受信することと
を行うように適合される。
【０２７３】
任意選択で、繰り返し数の集合内のいくつかの繰り返し数の値は第1の状態に対応し、第1の状態は、SIB1がアンカーキャリア上でのみ伝送されることであり、繰り返し数の集合内の他の繰り返し数の値は第2の状態に対応し、第2の状態は、SIB1が非アンカーキャリア上でのみ伝送されること、又は、SIB1がアンカーキャリア及び非アンカーキャリア上で伝送されることである。スケジューリング情報は、SIB1を伝送するために使用されるトランスポートブロックサイズと、繰り返し数とを決定するために使用される。
【０２７４】
処理モジュール12は、具体的には、
繰り返し数が第1の状態又は第2の状態に対応すると決定することと、
受信モジュール11を使用することにより、第1の状態又は第2の状態に基づいて、アンカーキャリア及び/又は非アンカーキャリア上で第1の通信デバイスからSIB1を受信することと
を行うように適合される。
【０２７５】
非アンカーキャリア上で第1の通信デバイスからSIB1を受信することを決定するとき、処理モジュール12は、SIB1を受信するために使用される非アンカーキャリアを決定するように更に適合される。
【０２７６】
任意選択で、繰り返し数の集合内のいくつかの繰り返し数の値は第1の状態に対応し、第1の状態は、SIB1がアンカーキャリア上でのみ伝送されることであり、繰り返し数の集合内の他の繰り返し数の値に対応する第2の状態は、SIB1を伝送するために使用される状態情報に基づいて決定され、第2の状態は、SIB1が非アンカーキャリア上でのみ伝送されること、又は、SIB1がアンカーキャリア上でのみ伝送されることである。スケジューリング情報は、SIB1を伝送するために使用されるトランスポートブロックサイズと、繰り返し数とを決定するために使用される。スケジューリング情報内の繰り返し数が第1の状態に対応するとき、MIBメッセージは、SIB1のスケジューリング情報と、キャリアの動作モードとを含む。スケジューリング情報内の繰り返し数が第2の状態に対応するとき、MIBメッセージは、SIB1のスケジューリング情報と、キャリアの動作モードと、SIB1を伝送するために使用される状態情報を含む第1の情報とを含む。
【０２７７】
処理モジュール12は、具体的には、
スケジューリング情報内の繰り返し数がいくつかの繰り返し数の値に属するとき、受信モジュール11を使用することにより、いくつかの繰り返し数の値に対応する第1の状態と、スケジューリング情報とに基づいて、アンカーキャリア上で第1の通信デバイスからSIB1を受信すること、又は、
スケジューリング情報内の繰り返し数が他の繰り返し数の値に属するとき、受信モジュール11を使用することにより、スケジューリング情報に基づいて、アンカーキャリア上で第1の通信デバイスからSIB1を受信すること、又は、受信モジュール11を使用することにより、スケジューリング情報と、キャリアの動作モードと、第1の情報内にあり且つSIB1を伝送するために使用される状態情報とに基づいて、非アンカーキャリア上で第1の通信デバイスからSIB1を受信すること
を行うように適合される。
【０２７８】
非アンカーキャリア上で第1の通信デバイスからSIB1を受信するとき、処理モジュール12は、SIB1を受信するために使用される非アンカーキャリアを決定するように更に適合される。
【０２７９】
さらに、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含む。
【０２８０】
処理モジュール12が、受信モジュール11を使用することにより、スケジューリング情報と、キャリアの動作モードと、第1の情報内にあり且つSIB1を伝送するために使用される状態情報とに基づいて、SIB1を伝送するために使用される非アンカーキャリア上で第1の通信デバイスからSIB1を受信するように適合されることは、具体的には、
キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つである、ことと、
スタンドアローン動作モードに基づいて、非アンカーキャリア上のSIB1の伝送リソースがアンカーキャリア上のSIB1の伝送リソースと同じであると決定すること、及び、
受信モジュール11を使用することにより、スケジューリング情報と、非アンカーキャリア上のSIB1の伝送リソースとに基づいて、SIB1を伝送するために使用される非アンカーキャリア上で第1の通信デバイスからSIB1を受信すること、又は、
ガードバンド動作モード又は帯域内動作モードに基づいて、SIB1を伝送するために使用される非アンカーキャリア上のSIB1の伝送リソースを決定すること、及び、
受信モジュール11を使用することにより、スケジューリング情報と、SIB1を伝送するために使用される非アンカーキャリア上のSIB1の伝送リソースとに基づいて、SIB1を伝送するために使用される非アンカーキャリア上で第1の通信デバイスからSIB1を受信することと
である。
【０２８１】
任意選択で、キャリアの動作モードは、SIB1を伝送するために使用される非アンカーキャリアの動作モード情報を含むか、或いは、キャリアの動作モードは、アンカーキャリアの動作モードと、SIB1を伝送するために使用される非アンカーキャリアの動作モード情報とを含む。
【０２８２】
処理モジュール12は、具体的には、
キャリアの動作モードに基づいて、SIB1を伝送するために使用される非アンカーキャリアの動作モードを決定することであり、決定される動作モードは、スタンドアローン動作モードと、ガードバンド動作モードと、帯域内動作モードとのうち1つを含む、ことと、
スタンドアローン動作モードに基づいて、非アンカーキャリア上のSIB1の繰り返し数がアンカーキャリア上のSIB1の繰り返し数と同じであると決定すること、及び、
受信モジュール11を使用することにより、スケジューリング情報と、繰り返し数とに基づいて、SIB1を伝送するために使用される非アンカーキャリア上で第1の通信デバイスからSIB1を受信すること、又は、受信モジュール11を使用することにより、アンカーキャリア上で第1の通信デバイスからSIB1を受信すること、及び、受信モジュール11を使用することにより、繰り返し数と、スケジューリング情報とに基づいて、SIB1を伝送するために使用される非アンカーキャリア上で第1の通信デバイスからSIB1を受信すること、又は、
スタンドアローン動作モードに基づいて、SIB1を伝送するために使用される非アンカーキャリア上のSIB1の伝送リソースがアンカーキャリア上のSIB1の伝送リソースと同じであると決定すること、及び、
受信モジュール11を使用することにより、スケジューリング情報と、伝送リソースとに基づいて、非アンカーキャリア上で第1の通信デバイスからSIB1に受信すること、又は、受信モジュール11を使用することにより、スケジューリング情報に基づいて、アンカーキャリア上で第1の通信デバイスからSIB1を受信すること、及び、受信モジュール11を使用することにより、伝送リソースと、スケジューリング情報とに基づいて、非アンカーキャリア上で第1の通信デバイスからSIB1を受信すること、又は、
ガードバンド動作モード又は帯域内動作モードに基づいて、非アンカーキャリア上のSIB1の繰り返し数を決定すること、及び、
受信モジュール11を使用することにより、スケジューリング情報と、非アンカーキャリア上のSIB1の繰り返し数とに基づいて、非アンカーキャリア上で第1の通信デバイスからSIB1を受信すること、又は、
受信モジュール11を使用することにより、スケジューリング情報に基づいて、アンカーキャリア上で第1の通信デバイスからSIB1を受信すること、及び、受信モジュール11を使用することにより、非アンカーキャリア上のSIB1の繰り返し数と、スケジューリング情報とに基づいて、非アンカーキャリア上で第1の通信デバイスからSIB1を受信すること、又は、
ガードバンド動作モード又は帯域内動作モードに基づいて、非アンカーキャリア上のSIB1の伝送リソースを決定すること、及び、
受信モジュール11を使用することにより、スケジューリング情報と、非アンカーキャリア上のSIB1の伝送リソースとに基づいて、非アンカーキャリア上で第1の通信デバイスからSIB1を受信すること、又は、
受信モジュール11を使用することにより、スケジューリング情報に基づいて、アンカーキャリア上で第1の通信デバイスからSIB1を受信すること、及び、受信モジュール11を使用することにより、スケジューリング情報と、非アンカーキャリア上のSIB1の伝送リソースとに基づいて、非アンカーキャリア上で第1の通信デバイスからSIB1を受信することと
を行うように適合される。
【０２８３】
非アンカーキャリア上で第1の通信デバイスからSIB1を受信するとき、処理モジュール12は、SIB1を受信するために使用される非アンカーキャリアを決定するように更に適合される。
【０２８４】
さらに、第1の情報は、SIB1を伝送するために使用される非アンカーキャリアの周波数領域位置情報を更に含む。周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含む。周波数領域オフセットは、周波数領域間隔又はリソースブロック数である。
【０２８５】
SIB1を受信するために使用される非アンカーキャリアを決定するとき、処理モジュール12は、具体的には、アンカーキャリアと、非アンカーキャリアの周波数領域位置情報とに基づいて、SIB1を伝送するために使用される非アンカーキャリアの周波数領域位置を決定し、周波数領域位置に対応する非アンカーキャリアを決定するように適合される。
【０２８６】
図１１は、この出願の実施形態による通信デバイスの概略構造図である。図１１に示すように、通信デバイス20は、メモリ21と、プロセッサ22とを含む。ここでの通信デバイスは、上記の第1の通信デバイスとして理解されてもよい。
【０２８７】
メモリ21は、プロセッサ22により実行できるコンピュータプログラムを記憶する。
【０２８８】
プロセッサ22は、上記の方法の実施形態において第1の通信デバイスにより実行されるステップを実現するように、コンピュータプログラムを実行する。
【０２８９】
図１２は、この出願の他の実施形態による通信デバイスの概略構造図である。図１２に示すように、通信デバイス30は、メモリ31と、プロセッサ32とを含む。ここでの通信デバイスは、上記の第2の通信デバイスとして理解されてもよい。
【０２９０】
メモリ31は、プロセッサ32により実行できるコンピュータプログラムを記憶する。
【０２９１】
プロセッサ32は、上記の方法の実施形態において第2の通信デバイスにより実行されるステップを実現するように、コンピュータプログラムを実行する。
【０２９２】
この出願は、第1の通信デバイス側の方法を実行するように適合された少なくとも1つの処理要素(又はチップ)を含む通信デバイスを更に提供する。
【０２９３】
この出願は、第2の通信デバイス側の方法を実行するように適合された少なくとも1つの処理要素(又はチップ)を含む通信デバイスを更に提供する。
【０２９４】
この出願は、コンピュータプログラムを更に提供する。端末デバイスのプロセッサにより実行されたとき、プログラムは、上記の方法の実施形態において第1の通信デバイスにより実行されるステップを実行するように構成される。
【０２９５】
この出願は、コンピュータプログラムを更に提供する。ネットワークデバイスのプロセッサにより実行されたとき、プログラムは、上記の方法の実施形態において第2の通信デバイスにより実行されるステップを実行するように構成される。
【０２９６】
この出願は、コンピュータプログラムプロダクトを更に提供する。コンピュータプログラムプロダクトは、コンピュータプログラム(すなわち、実行可能命令)を含む。コンピュータプログラムは、読み取り可能記憶媒体に記憶される。第1の通信デバイス又は第2の通信デバイスの少なくとも1つのプロセッサは、読み取り可能記憶媒体からコンピュータプログラムを読み取ってもよく、少なくとも1つのプロセッサは、コンピュータプログラムを実行し、それにより、第1の通信デバイス又は第2の通信デバイスは、上記の実現方式において提供される方法を実行する。
【０２９７】
この出願は、コンピュータ読み取り可能記憶媒体を更に提供する。コンピュータ読み取り可能記憶媒体内の命令が通信デバイスのプロセッサにより実行されたとき、通信デバイスは、上記の方法の実施形態のいずれか1つにおいて第1の通信デバイスにより実行されるステップを実行することが可能になる。
【０２９８】
この出願は、コンピュータ読み取り可能記憶媒体を更に提供する。コンピュータ読み取り可能記憶媒体内の命令が通信デバイスのプロセッサにより実行されたとき、通信デバイスは、上記の方法の実施形態のいずれか1つにおいて第2の通信デバイスにより実行されるステップを実行することが可能になる。
【０２９９】
この出願は、図１１に示す通信デバイス20と、図１２に示す通信デバイス30とを含む通信システムを更に提供する。
【０３００】
上記の説明は、この出願の単に具体的な実現方式であり、この出願の保護範囲を制限することを意図するものではない。この出願に開示された技術的範囲内で、当業者により容易に理解される如何なる変更又は置換も、本出願の保護範囲に含まれるものとする。したがって、この出願の保護範囲は、特許請求の範囲の保護範囲に従うものとする。
【図１】
2021503816.tif 000012
【図２】
2021503816.tif 000013
【図３】
2021503816.tif 000014
【図４】
2021503816.tif 000015
【図５】
2021503816.tif 000016
【図６】
2021503816.tif 000017
【図７】
2021503816.tif 000018
【図８】
2021503816.tif 000019
【図９】
2021503816.tif 000020
【図１０】
2021503816.tif 000021
【図１１】
2021503816.tif 000022
【図１２】
2021503816.tif 000023
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
システムメッセージ伝送方法であって、
第1の通信デバイスにより、マスター情報ブロック(MIB)メッセージを構成するステップであり、
前記MIBメッセージは、SIB1のスケジューリング情報と、キャリアの動作モード及び第1の情報のうち少なくとも1つとを含み、
前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報とのうち少なくとも1つを含む、ステップと、
前記第1の通信デバイスにより、前記MIBメッセージを第2の通信デバイスに送信するステップと、
前記第1の通信デバイスにより、前記スケジューリング情報と、前記キャリアの前記動作モード及び前記第1の情報のうち少なくとも1つとに基づいて、前記SIB1を前記第2の通信デバイスに伝送するステップと
を含む方法。
【請求項２】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含み、
前記第1の通信デバイスにより、前記スケジューリング情報と、前記第1の情報とに基づいて、前記SIB1を前記第2の通信デバイスに伝送することは、
前記第1の通信デバイスにより、前記スケジューリング情報と、前記状態情報とに基づいて、アンカーキャリア又は非アンカーキャリア上で前記SIB1を前記第2の通信デバイスに伝送することを決定することと、
前記第1の通信デバイスが、前記非アンカーキャリア上で前記SIB1を伝送することを決定するとき、前記第1の通信デバイスにより、前記SIB1を伝送するために使用される前記非アンカーキャリアを決定することと
を含む、請求項１に記載の方法。
【請求項３】
前記第1の情報は、前記SIB1を伝送するために使用される前記時間領域位置情報を含み、前記時間領域位置情報は、サブフレーム位置を含み、
前記第1の通信デバイスにより、前記スケジューリング情報と、前記第1の情報とに基づいて、前記SIB1を前記第2の通信デバイスに伝送することは、
前記第1の通信デバイスにより、前記SIB1を伝送するために使用されるキャリアを決定することであり、前記キャリアは、アンカーキャリア又は前記SIB1を伝送するために使用される非アンカーキャリアを含む、ことと、
前記第1の通信デバイスにより、前記時間領域位置情報により示され且つ前記アンカーキャリア又は前記SIB1を伝送するために使用される前記非アンカーキャリア上にある時間領域位置において、前記スケジューリング情報に基づいて、前記SIB1を前記第2の通信デバイスに伝送することと
を含む、請求項１に記載の方法。
【請求項４】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記第1の通信デバイスにより、前記スケジューリング情報と、前記第1の情報とに基づいて、前記SIB1を前記第2の通信デバイスに伝送することは、
前記第1の通信デバイスにより、前記SIB1が非アンカーキャリア上で伝送されると決定することと、
前記第1の通信デバイスにより、前記周波数領域位置情報と、前記アンカーキャリアとに基づいて、前記非アンカーキャリアの周波数領域位置を決定することと、
前記第1の通信デバイスにより、前記スケジューリング情報に基づいて、前記周波数領域位置に対応する前記非アンカーキャリア上で前記SIB1を伝送すること、又は、前記第1の通信デバイスにより、前記スケジューリング情報に基づいて、前記アンカーキャリア及び前記周波数領域位置に対応する前記非アンカーキャリア上で前記SIB1を前記第2の通信デバイスに伝送することと
を含む、請求項１に記載の方法。
【請求項５】
システムメッセージ伝送方法であって、
第2の通信デバイスにより、第1の通信デバイスからマスター情報ブロック(MIB)メッセージを受信するステップであり、前記MIBメッセージは、SIB1のスケジューリング情報と、キャリアの動作モード及び第1の情報のうち少なくとも1つとを含み、前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報とのうち少なくとも1つを含む、ステップと、
前記第2の通信デバイスにより、前記スケジューリング情報と、前記キャリアの前記動作モード及び前記第1の情報のうち少なくとも1つとに基づいて、前記第1の通信デバイスから前記SIB1を受信するステップと
を含む方法。
【請求項６】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含み、
前記第2の通信デバイスにより、前記スケジューリング情報と、前記第1の情報とに基づいて、前記第1の通信デバイスから前記SIB1を受信することは、
前記第2の通信デバイスにより、前記スケジューリング情報と、前記状態情報とに基づいて、前記アンカーキャリア又は前記非アンカーキャリア上で前記第1の通信デバイスから前記SIB1を受信することを決定することと、
前記第2の通信デバイスが、非アンカーキャリア上で前記第1の通信デバイスから前記SIB1を受信することを決定するとき、前記第2の通信デバイスにより、前記SIB1を受信するために使用される非アンカーキャリアを決定することと
を含む、請求項５に記載の方法。
【請求項７】
前記第1の情報は、前記SIB1を伝送するために使用される前記時間領域位置情報を含み、前記時間領域位置情報は、サブフレーム位置を含み、
前記第2の通信デバイスにより、前記スケジューリング情報と、前記第1の情報とに基づいて、前記第1の通信デバイスから前記SIB1を受信することは、
前記第2の通信デバイスにより、前記SIB1を受信するために使用されるキャリアを決定することであり、前記キャリアは、アンカーキャリア又は前記SIB1を伝送するために使用される非アンカーキャリアを含む、ことと、
前記第2の通信デバイスにより、前記時間領域位置情報により示され且つ前記アンカーキャリア又は前記SIB1を伝送するために使用される前記非アンカーキャリア上にある時間領域位置において、前記スケジューリング情報に基づいて、前記第1の通信デバイスから前記SIB1を受信することと
を含む、請求項５に記載の方法。
【請求項８】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記第2の通信デバイスにより、前記スケジューリング情報と、前記第1の情報とに基づいて、前記第1の通信デバイスから前記SIB1を受信することは、
前記第2の通信デバイスにより、前記SIB1が前記非アンカーキャリア上で受信されると決定することと、
前記第2の通信デバイスにより、前記周波数領域位置情報と、前記アンカーキャリアとに基づいて、前記非アンカーキャリアの周波数領域位置を決定することと、
前記第2の通信デバイスにより、前記スケジューリング情報に基づいて、前記周波数領域位置に対応する前記非アンカーキャリア上で前記第1の通信デバイスから前記SIB1を受信すること、又は、前記第2の通信デバイスにより、前記スケジューリング情報に基づいて、前記アンカーキャリア及び前記周波数領域位置に対応する前記非アンカーキャリア上で前記第1の通信デバイスから前記SIB1を受信することと
を含む、請求項５に記載の方法。
【請求項９】
第1の通信デバイスであるシステムメッセージ伝送装置であって、
マスター情報ブロック(MIB)メッセージを構成するように適合された処理モジュールであり、
前記MIBメッセージは、SIB1のスケジューリング情報と、キャリアの動作モード及び第1の情報のうち少なくとも1つとを含み、
前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報とのうち少なくとも1つを含む、処理モジュールと、
前記MIBメッセージを第2の通信デバイスに送信するように構成された送信モジュールと
を含み、
前記処理モジュールは、前記送信モジュールを使用することにより、前記スケジューリング情報と、前記キャリアの前記動作モード及び前記第1の情報のうち少なくとも1つとに基づいて、前記SIB1を前記第2の通信デバイスに伝送するように更に適合される、装置。
【請求項１０】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含み、
前記処理モジュールは、具体的には、
前記送信モジュールを使用することにより、前記スケジューリング情報と、前記状態情報とに基づいて、アンカーキャリア又は非アンカーキャリア上で前記SIB1を前記第2の通信デバイスに伝送することを決定するように適合され、
前記非アンカーキャリア上で前記SIB1を伝送することを決定するとき、前記処理モジュールは、前記SIB1を伝送するために使用される前記非アンカーキャリアを決定するように更に適合される、請求項９に記載の装置。
【請求項１１】
前記第1の情報は、前記SIB1を伝送するために使用される前記時間領域位置情報を含み、前記時間領域位置情報は、サブフレーム位置を含み、
前記処理モジュールは、具体的には、
前記SIB1を伝送するために使用されるキャリアを決定することであり、前記キャリアは、アンカーキャリア又は前記SIB1を伝送するために使用される非アンカーキャリアを含む、ことと、
前記送信モジュールを使用することにより、前記時間領域位置情報により示され且つ前記アンカーキャリア又は前記SIB1を伝送するために使用される前記非アンカーキャリア上にある時間領域位置において、前記スケジューリング情報に基づいて、前記SIB1を前記第2の通信デバイスに伝送することと
を行うように適合される、請求項９に記載の装置。
【請求項１２】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記処理モジュールは、具体的には、
前記SIB1が前記非アンカーキャリア上で伝送されると決定することと、
前記周波数領域位置情報と、前記アンカーキャリアとに基づいて、前記非アンカーキャリアの周波数領域位置を決定することと、
前記送信モジュールを使用することにより、前記スケジューリング情報に基づいて、前記周波数領域位置に対応する前記非アンカーキャリア上で前記SIB1を伝送すること、又は、前記送信モジュールを使用することにより、前記スケジューリング情報に基づいて、前記アンカーキャリア及び前記周波数領域位置に対応する前記非アンカーキャリア上で前記SIB1を前記第2の通信デバイスに伝送することと
を行うように適合される、請求項９に記載の装置。
【請求項１３】
第2の通信デバイスであるシステムメッセージ伝送装置であって、
第1の通信デバイスからマスター情報ブロック(MIB)メッセージを受信するように適合された受信モジュールであり、前記MIBメッセージは、SIB1のスケジューリング情報と、キャリアの動作モード及び第1の情報のうち少なくとも1つとを含み、前記第1の情報は、以下の情報、すなわち、前記SIB1を伝送するために使用される状態情報と、前記SIB1を伝送するために使用される時間領域位置情報と、前記SIB1を伝送するために使用される非アンカーキャリアの周波数領域位置情報とのうち少なくとも1つを含む、受信モジュールと、
前記受信モジュールを使用することにより、前記スケジューリング情報と、前記キャリアの前記動作モード及び前記第1の情報のうち少なくとも1つとに基づいて、前記第1の通信デバイスから前記SIB1を受信するように適合された処理モジュールと
を含む装置。
【請求項１４】
前記第1の情報は、前記SIB1を伝送するために使用される前記状態情報を含み、
前記状態情報は、以下の状態、すなわち、前記SIB1がアンカーキャリア上でのみ伝送されることと、前記SIB1が非アンカーキャリア上でのみ伝送されることとのうち1つを含み、
前記処理モジュールは、具体的には、
前記受信モジュールを使用することにより、前記スケジューリング情報と、前記状態情報とに基づいて、前記アンカーキャリア又は前記非アンカーキャリア上で前記第1の通信デバイスから前記SIB1を受信することを決定するように適合され、
前記非アンカーキャリア上で前記第1の通信デバイスから前記SIB1を受信することを決定するとき、前記処理モジュールは、前記SIB1を受信するために使用される非アンカーキャリアを決定するように更に適合される、請求項１３に記載の装置。
【請求項１５】
前記第1の情報は、前記SIB1を伝送するために使用される前記時間領域位置情報を含み、前記時間領域位置情報は、サブフレーム位置を含み、
前記処理モジュールは、具体的には、
前記SIB1を受信するために使用されるキャリアを決定することであり、前記キャリアは、アンカーキャリア又は前記SIB1を伝送するために使用される非アンカーキャリアを含む、ことと、
前記受信モジュールを使用することにより、前記時間領域位置情報により示され且つ前記アンカーキャリア又は前記SIB1を伝送するために使用される前記非アンカーキャリア上にある時間領域位置において、前記スケジューリング情報に基づいて、前記第1の通信デバイスから前記SIB1を受信することと
を行うように適合される、請求項１３に記載の装置。
【請求項１６】
前記第1の情報は、前記SIB1を伝送するために使用される前記非アンカーキャリアの前記周波数領域位置情報を含み、前記SIB1を伝送するために使用される前記非アンカーキャリアの前記周波数領域位置情報は、以下のパラメータ、すなわち、
アンカーキャリアに対する前記SIB1を伝送するために使用される前記非アンカーキャリアの相対位置と、
前記SIB1を伝送するために使用される前記非アンカーキャリアと前記アンカーキャリアとの間の周波数領域オフセットとのうち少なくとも1つを含み、前記周波数領域オフセットは、周波数領域間隔又はリソースブロック数であり、
前記処理モジュールは、具体的には、
前記SIB1が非アンカーキャリア上で伝送されると決定することと、
前記周波数領域位置情報と、前記アンカーキャリアとに基づいて、前記非アンカーキャリアの周波数領域位置を決定することと、
前記受信モジュールを使用することにより、前記スケジューリング情報に基づいて、前記周波数領域位置に対応する前記非アンカーキャリア上で前記第1の通信デバイスから前記SIB1を受信すること、又は、前記受信モジュールを使用することにより、前記スケジューリング情報に基づいて、前記アンカーキャリア及び前記周波数領域位置に対応する前記非アンカーキャリア上で前記第1の通信デバイスから前記SIB1を受信することと
を行うように適合される、請求項１３に記載の装置。
【請求項１７】
コンピュータ読み取り可能命令を含むコンピュータ読み取り可能記憶媒体であって、
通信デバイスが前記コンピュータ読み取り可能命令を読み取って実行したとき、前記通信デバイスは、請求項１乃至４のうちいずれか１項に記載の方法を実行することが可能になる、コンピュータ読み取り可能記憶媒体。
【請求項１８】
コンピュータ読み取り可能命令を含むコンピュータ読み取り可能記憶媒体であって、
通信デバイスが前記コンピュータ読み取り可能命令を読み取って実行したとき、前記通信デバイスは、請求項５乃至８のうちいずれか１項に記載の方法を実行することが可能になる、コンピュータ読み取り可能記憶媒体。
【手続補正２】
【補正対象書類名】明細書
【補正対象項目名】０００２
【補正方法】変更
【補正の内容】
【０００２】
移動通信標準組織である第3世代パートナーシッププロジェクト(3rd  Generation  Partnership  Project,  3GPP)は、狭帯域のモノのインターネット(Narrowband  Internet  of  Things,  NB-IoT)技術を提案している。NB-IoTは、周波数分割複信(Frequency  Division  Duplex,  FDD)及び時分割複信(Time  Division  Duplex,  TDD)をサポートする。
【手続補正３】
【補正対象書類名】明細書
【補正対象項目名】０００７
【補正方法】変更
【補正の内容】
【０００７】
第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよいので、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の伝送の間の相互干渉を回避でき、それにより、SIB1の伝送信頼性が改善できる。
【手続補正４】
【補正対象書類名】明細書
【補正対象項目名】０００９
【補正方法】変更
【補正の内容】
【０００９】
第1の通信デバイスは、SIB1を伝送するために使用される様々な異なる情報をスケジューリング情報及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の伝送の間の相互干渉を回避でき、それにより、SIB1の伝送信頼性が改善できる。
【手続補正５】
【補正対象書類名】明細書
【補正対象項目名】００２１
【補正方法】変更
【補正の内容】
【００２１】
第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよいので、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の伝送の間の相互干渉を回避でき、それにより、SIB1の伝送信頼性が改善できる。
【手続補正６】
【補正対象書類名】明細書
【補正対象項目名】００２３
【補正方法】変更
【補正の内容】
【００２３】
第1の通信デバイスは、SIB1を伝送するために使用される様々な異なる情報をスケジューリング情報及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の伝送の間の相互干渉を回避でき、それにより、SIB1の伝送信頼性が改善できる。
【手続補正７】
【補正対象書類名】明細書
【補正対象項目名】００５４
【補正方法】変更
【補正の内容】
【００５４】
端末デバイスはまた、ユーザ機器(User  Equipment,  UE)、アクセス端末、加入者ユニット、加入者局、移動局、移動コンソール、遠隔局、遠隔端末、移動デバイス、ユーザ端末、端末、無線通信デバイス、ユーザエージェント、又はユーザ装置とも呼ばれてもよい。端末デバイスは、無線ローカルエリアネットワーク(Wireless  Local  Area  Network,  WLAN)内のステーション(STATION,  ST)でもよく、或いは、携帯電話、コードレス電話、セッションイニシエーションプロトコル(Session  Initiation  Protocol,  SIP)電話、無線ローカルループ(Wireless  Local  Loop,  WLL)局、パーソナルデジタルアシスタント(Personal  Digital  Assistant,  PDA)デバイス、無線通信機能を有するハンドヘルドデバイス、コンピューティングデバイス、無線モデムに接続された他の処理デバイス、車載デバイス、ウェアラブルデバイス、又は次世代通信システム、例えば、第5世代(the  fifth-generation,  5G)ネットワークにおける端末デバイス又は将来の進化型公衆陸上移動ネットワーク(public  land  mobile  network,  PLMN)における端末デバイスでもよい。
【手続補正８】
【補正対象書類名】明細書
【補正対象項目名】００５６
【補正方法】変更
【補正の内容】
【００５６】
さらに、ネットワークデバイスはまた、無線アクセスネットワーク(Radio  Access  Network,  RAN)デバイスとも呼ばれ、端末デバイスを無線ネットワークに接続するデバイスであり、LTEシステムにおける進化型ノードB(Evolved  NodeB、eNB又はNodeB)、中継局又はアクセスポイント、5Gネットワークにおけるネットワークデバイス又は将来の進化型PLMNにおけるネットワークデバイス又はNRシステムにおける新無線ノードB(new  radio  NodeB,  gNodeB)でもよい。これは、ここでは限定されない。
【手続補正９】
【補正対象書類名】明細書
【補正対象項目名】００５８
【補正方法】変更
【補正の内容】
【００５８】
この出願の実施形態では、アンカーキャリアは、共通チャネル又は共通信号が伝送されると第2の通信デバイスが仮定するキャリアである。非アンカーキャリアは、共通チャネル又は共通信号が伝送されないと第2の通信デバイスが仮定するキャリアである。共通チャネルはセルレベルの共通チャネルであり、共通信号はセルレベルの共通信号である。NB-IoTシステムでは、アンカーキャリアは、NPSS/NSSS/NPBCH/SIB-NB伝送が実行されると第2の通信デバイスが仮定するキャリアであり、非アンカーキャリアは、NPSS/NSSS/NPBCH/SIB-NB伝送が実行されないと第2の通信デバイスが仮定するキャリアである。代替として、NB-IoTシステムでは、アンカーキャリアは、NPSS/NSSS/NPBCH伝送が実行されると第2の通信デバイスが仮定するキャリアであり、非アンカーキャリアは、NPSS/NSSS/NPBCH伝送が実行されないと第2の通信デバイスが仮定するキャリアである。
【手続補正１０】
【補正対象書類名】明細書
【補正対象項目名】００８１
【補正方法】変更
【補正の内容】
【００８１】
この実施形態では、第1の通信デバイスは、MIBメッセージを構成し、MIBメッセージは、SIB1を伝送するために使用される様々な異なる情報、例えば、スケジューリング情報と、第1の情報と、キャリアの動作モードとのうちいずれか1つ以上を搬送してもよいので、第2の通信デバイスは、MIBメッセージに基づいてSIB1を受信する。第1の通信デバイスは、SIB1を伝送するために使用される情報を柔軟に構成してもよい。さらに、MIBメッセージを構成するとき、第1の通信デバイスは、構成又は暗示の指示を通じて、1つの周期内で異なるセルのSIB1を伝送するためのリソース位置が異なることを確保することを考慮してもよい。このタイプの干渉分離メカニズムは、異なるセルのSIB1の伝送の間の相互干渉を回避でき、それにより、SIB1の伝送信頼性が改善できる。
【手続補正１１】
【補正対象書類名】明細書
【補正対象項目名】００９０
【補正方法】変更
【補正の内容】
【００９０】
状態情報が、SIB1が非アンカーキャリア上でのみ伝送されることを示す場合、非アンカーキャリア上でSIB1を伝送するための時間領域リソース位置は、プロトコルを使用することにより予め定義されてもよく、SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズに基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【手続補正１２】
【補正対象書類名】明細書
【補正対象項目名】００９４
【補正方法】変更
【補正の内容】
【００９４】
この実施形態では、第1の通信デバイスは、SIB1を伝送するために使用される様々な異なる情報をスケジューリング情報及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の伝送の間の相互干渉を回避でき、それにより、SIB1の伝送信頼性が改善できる。
【手続補正１３】
【補正対象書類名】明細書
【補正対象項目名】００９６
【補正方法】変更
【補正の内容】
【００９６】
シンボル位置に対応するシンボルは、直交周波数分割多重(Orthogonal  Frequency  Division  Multiplexing,  OFDM)シンボルと、スパースコード多元接続(Sparse  Code  Multiple  Access,  SCMA)シンボルと、フィルタリング直交周波数分割多重(Filtered  Orthogonal  Frequency  Division  Multiplexing,  F-OFDM)シンボルと、非直交多元接続(Non-Orthogonal  Multiple  Access,  NOMA)シンボルとを含むが、これらに限定されない。シンボルは、実際の状況に基づいて具体的に決定されてもよく、詳細はここでは説明しない。
【手続補正１４】
【補正対象書類名】明細書
【補正対象項目名】０１００
【補正方法】変更
【補正の内容】
【０１００】
この実施形態では、第1の通信デバイスは、SIB1を伝送するために使用される様々な異なる情報をスケジューリング情報、状態情報及び時間領域位置情報に追加する。状態情報は、第1の通信デバイスがSIB1を伝送するために使用されるキャリアを柔軟に構成できることを確保できる。1つの周期内で異なるセルのSIB1を伝送するための時間領域位置及び/又はキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよく、時間領域位置情報は、異なるセルのSIBを伝送するための時間領域位置が異なることを確保できる。このタイプの干渉分離メカニズムは、異なるセルのSIB1の伝送の間の相互干渉を回避でき、それにより、SIB1の伝送信頼性が改善できる。
【手続補正１５】
【補正対象書類名】明細書
【補正対象項目名】０１０５
【補正方法】変更
【補正の内容】
【０１０５】
SIB1がアンカーキャリア上でのみ或いは非アンカーキャリア上でのみ伝送されること、又は、SIB1がアンカーキャリア及び非アンカーキャリア上で伝送されることは、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズ及び繰り返し数に基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【手続補正１６】
【補正対象書類名】明細書
【補正対象項目名】０１０７
【補正方法】変更
【補正の内容】
【０１０７】
この実施形態では、第1の通信デバイスは、SIB1を伝送するために使用される様々な異なる情報をスケジューリング情報及び時間領域位置情報に追加する。1つの周期内で異なるセルのSIB1を伝送するための時間領域位置が異なることを確保するために、時間領域位置情報は、異なるセルのSIBを伝送するための時間領域位置が異なることを確保できる。このタイプの干渉分離メカニズムは、異なるセルのSIB1の伝送の間の相互干渉を回避でき、それにより、SIB1の伝送信頼性が改善できる。
【手続補正１７】
【補正対象書類名】明細書
【補正対象項目名】０１０９
【補正方法】変更
【補正の内容】
【０１０９】
SIB1を伝送するために使用される非アンカーキャリアの周波数領域位置情報は、以下のパラメータ、すなわち、アンカーキャリアに対するSIB1を伝送するために使用される非アンカーキャリアの相対位置と、SIB1を伝送するために使用される非アンカーキャリアとアンカーキャリアとの間の周波数領域オフセットとのうち少なくとも1つを含む。周波数領域オフセットは、周波数領域間隔又はリソースブロック数でもよい。リソースブロックは周波数領域リソースユニットであり、N個の連続するサブキャリア数でもよく、Nはプロトコルを使用することにより予め定義されてもよい。LTEでは、リソースブロックはRBと省略されてもよい。すなわち、SIB1を伝送するために使用される非アンカーキャリアとアンカーキャリアとの間の周波数領域オフセットは、SIB1を伝送するために使用される非アンカーキャリアとアンカーキャリアとの間の周波数領域間隔、又は、アンカーキャリアに対するSIB1を伝送するために使用される非アンカーキャリアのリソースブロック数でもよい。詳細については、図３を参照する。
【手続補正１８】
【補正対象書類名】明細書
【補正対象項目名】０１１６
【補正方法】変更
【補正の内容】
【０１１６】
この実施形態では、第1の通信デバイスは、SIB1を伝送するために使用される様々な異なる情報をスケジューリング情報及び周波数領域位置情報に追加する。1つの周期内で異なるセルのSIB1を伝送するための周波数領域位置が異なることを確保するために、非アンカーキャリアの周波数領域位置情報は、異なるセルのSIBが非アンカーキャリア上で伝送され、異なるセルが異なる非アンカーキャリアで構成されることを確保できる。このタイプの干渉分離メカニズムは、異なるセルのSIB1の伝送の間の相互干渉を回避でき、それにより、SIB1の伝送信頼性が改善できる。
【手続補正１９】
【補正対象書類名】明細書
【補正対象項目名】０１２５
【補正方法】変更
【補正の内容】
【０１２５】
この実施形態では、第1の通信デバイスは、SIB1を伝送するために使用される様々な異なる情報をスケジューリング情報及び非アンカーキャリア上のSIB1の伝送モード情報に追加する。1つの周期内で異なるセルのSIB1を伝送するための周波数領域位置が異なることを確保するために、異なるセルのSIB1が非アンカーキャリア上で伝送されることが確保できる。このタイプの干渉分離メカニズムは、異なるセルのSIB1の伝送の間の相互干渉を回避でき、それにより、SIB1の伝送信頼性が改善できる。繰り返し数は、非アンカーキャリア上のSIB1の伝送信頼性を確保するために、基地局が非アンカーキャリアとアンカーキャリアとの間の電力差に基づいて、非アンカーキャリア上のSIB1の伝送の繰り返し数を構成できるように構成されてもよい。
【手続補正２０】
【補正対象書類名】明細書
【補正対象項目名】０１２９
【補正方法】変更
【補正の内容】
【０１２９】
SIB1がアンカーキャリア上で一回伝送される繰り返し周期において、SIB1を伝送するために使用される非アンカーキャリア上のSIB1の伝送は、アンカーキャリア上のSIB1の伝送よりも多い伝送リソースを必要とする点に留意すべきである。これは、非アンカーキャリア上でSIB1を伝送するために占有される伝送リソースがアンカーキャリア上でSIB1を伝送するために占有される伝送リソースよりも多いことを意味する。アンカーキャリア上の伝送により占有される伝送リソースは、単なる参照であり、SIB1がアンカーキャリア上で伝送されることを意味しない。例えば、SIB1がアンカーキャリア上で伝送されるとき、SIB1は、2つの無線フレーム内で1つのサブフレームを占有する。SIB1が非アンカーキャリア上で伝送されるとき、2つのサブフレームが2つの無線フレーム内で使用され、2つのサブフレームは同じ無線フレームに位置し、或いは、SIB1が非アンカーキャリア上で伝送されるとき、2つのサブフレームが2つの無線フレーム内で使用され、2つのサブフレームは異なる無線フレームで使用され、2つのサブフレームのサブフレーム番号は同じであるか、或いは、SIB1が非アンカーキャリア上で伝送されるとき、2つのサブフレームが2つの無線フレーム内で使用され、2つのサブフレームは異なる無線フレームに位置し、2つのサブフレームのサブフレーム番号は異なる。
【手続補正２１】
【補正対象書類名】明細書
【補正対象項目名】０１３８
【補正方法】変更
【補正の内容】
【０１３８】
この実施形態では、第1の通信デバイスは、SIB1を伝送するために使用される様々な異なる情報をスケジューリング情報及び非アンカーキャリア上のSIB1の伝送モード情報に追加する。1つの周期内で異なるセルのSIB1を伝送するための周波数領域位置が異なることを確保するために、異なるセルのSIB1が非アンカーキャリア上で伝送されることが確保できる。このタイプの干渉分離メカニズムは、異なるセルのSIB1の伝送の間の相互干渉を回避でき、それにより、SIB1の伝送信頼性が改善できる。伝送リソースは、非アンカーキャリア上のSIB1の伝送信頼性を確保するために、基地局が非アンカーキャリアとアンカーキャリアとの間の電力差に基づいて、非アンカーキャリア上でSIB1を伝送するための伝送リソースを構成できるように構成されてもよい。
【手続補正２２】
【補正対象書類名】明細書
【補正対象項目名】０１４４
【補正方法】変更
【補正の内容】
【０１４４】
第1の通信デバイスが、繰り返し数が第2の状態に対応すると決定した場合、第1の通信デバイスは、第2の状態に基づいて、非アンカーキャリア上でのみSIB1を第2の通信デバイスに伝送する。非アンカーキャリア上でSIB1を伝送するための時間領域リソース位置は、プロトコルを使用することにより予め定義されてもよく、SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズに基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の繰り返し数がアンカーキャリア上のSIB1の繰り返し数と同じであるとき、SIB1がアンカーキャリア上で一回伝送される繰り返し周期において、非アンカーキャリア上のSIB1の伝送は、アンカーキャリア上のSIB1の伝送と同じ数の伝送リソースを使用してもよく、或いは、非アンカーキャリア上のSIB1の伝送は、アンカーキャリア上のSIB1の伝送よりも多い伝送リソースを使用してもよい。非アンカーキャリア上のSIB1の伝送の繰り返し数及び非アンカーキャリア上でSIB1を伝送するための伝送リソースは、プロトコルを使用することにより予め定義されてもよい。
【手続補正２３】
【補正対象書類名】明細書
【補正対象項目名】０１４８
【補正方法】変更
【補正の内容】
【０１４８】
この実施形態では、第1の通信デバイスは、スケジューリング情報を使用することにより繰り返し数を取得し、繰り返し数に基づいて構成を実行し、それにより、1つの周期内で異なるセルのSIB1を伝送するためのキャリア位置が異なることを確保するように、SIB1が非アンカーキャリア上で伝送でき、MIBシグナリングオーバヘッドが増加する。このタイプの干渉分離メカニズムは、異なるセルのSIB1の伝送の間の相互干渉を回避でき、それにより、SIB1の伝送信頼性が改善できる。
【手続補正２４】
【補正対象書類名】明細書
【補正対象項目名】０１６４
【補正方法】変更
【補正の内容】
【０１６４】
スケジューリング情報内の繰り返し数が他の繰り返し数の値に属するとき、SIB1は、スケジューリング情報と、キャリアの動作モードと、第1の情報内にあり且つSIB1を伝送するために使用される状態情報とに基づいて、非アンカーキャリア上で第2の通信デバイスに伝送される。非アンカーキャリア上でSIB1を伝送するための時間領域リソース位置は、プロトコルを使用することにより予め定義されてもよく、SIB1を伝送するために使用される非アンカーキャリアの周波数領域位置は、プロトコルを使用することにより予め定義されてもよい。スケジューリング情報は、SIB1を伝送するために使用されるトランスポートブロックサイズと、繰り返し数とを示すために使用される。第1の通信デバイスは、スケジューリング情報により示されるトランスポートブロックサイズに基づいて、非アンカーキャリア上でSIB1を第2の通信デバイスに伝送する。SIB1が非アンカーキャリア上で伝送されるとき、SIB1の繰り返し数は、スケジューリング情報により示される繰り返し数と同じでもよく、或いは、SIB1が非アンカーキャリア上で伝送されるとき、SIB1の繰り返し数は、スケジューリング情報により示される繰り返し数と異なってもよい点に留意すべきである。例えば、SIB1が非アンカーキャリア上で伝送されるとき、SIB1の繰り返し数は、スケジューリング情報により示される繰り返し数よりも大きくてもよい。非アンカーキャリア上のSIB1の伝送の繰り返し数は、プロトコルを使用することにより予め定義されてもよい。
【手続補正２５】
【補正対象書類名】明細書
【補正対象項目名】０１６７
【補正方法】変更
【補正の内容】
【０１６７】
NB-IoTシステムを一例として使用すると、繰り返し数の集合に含まれる繰り返し数が4、8及び16である場合、繰り返し数の集合内のいくつかの繰り返し数は4及び8であり、繰り返し数の集合内の残りの繰り返し数の値は16である。MIBメッセージ内にあるSIB1の、スケジューリング情報で示される繰り返し数が4又は8である場合、SIB1はアンカーキャリア上でのみ伝送され、アンカーキャリア上でSIB1を伝送するためのサブフレーム位置は、プロトコルを使用することにより予め定義されてもよく、例えば、サブフレーム0でもよい。MIBメッセージ内にあるSIB1の、スケジューリング情報で示される繰り返し数が16である場合、SIB1は非アンカーキャリア上でのみ伝送され、SIB1を伝送するために使用される非アンカーキャリアの周波数領域位置は、プロトコルを使用することにより予め定義される。例えば、SIB1を伝送するために使用される非アンカーキャリアは、アンカーキャリアに対してアンカーキャリアの高周波数位置にあり、SIB1を伝送するために使用される非アンカーキャリアは、アンカーキャリアの隣接RB上にあるか、或いは、SIB1を伝送するために使用される非アンカーキャリアは、アンカーキャリアに対してアンカーキャリアの低周波数位置にあり、SIB1を伝送するために使用される非アンカーキャリアは、アンカーキャリアの隣接RB上にある。非アンカーキャリアの動作モードを決定する方式は、上記に記載されている。キャリアの動作モードに基づいて、非アンカーキャリアの動作モードがスタンドアローン動作モードであると決定された場合、非アンカーキャリア上のSIB1の伝送の繰り返し数は、MIBメッセージ内にあるSIB1の、スケジューリング情報で示される繰り返し数と同じであり、すなわち、16である。160ms内にアンカーキャリア上でSIB1を伝送するために使用される伝送リソースと比較して、1つのサブフレームが、非アンカーキャリア上でSIB1を伝送するために占有され、サブフレーム位置は、プロトコルを使用することにより予め定義されてもよく、例えば、サブフレーム0、サブフレーム5又はサブフレーム9でもよい。キャリアの動作モードに基づいて、非アンカーキャリアの動作モードがガードバンド動作モード又は帯域内動作モードであると決定された場合、非アンカーキャリア上のSIB1の伝送の繰り返し数は、MIBメッセージ内にあるSIB1の、スケジューリング情報で示される繰り返し数と同じであり、すなわち、16である。160ms内にアンカーキャリア上でSIB1を伝送するために使用される伝送リソースと比較して、より多くのリソースが、非アンカーキャリア上でSIB1を伝送するために使用される。使用される伝送リソース数及び伝送リソース位置は、プロトコルを使用することにより予め定義されてもよい。例えば、SIB1は、サブフレーム0及びサブフレーム5、又はサブフレーム5及びサブフレーム9、又はサブフレーム0及びサブフレーム9を使用することにより非アンカーキャリア上で伝送される。
【手続補正２６】
【補正対象書類名】明細書
【補正対象項目名】０１７０
【補正方法】変更
【補正の内容】
【０１７０】
この実施形態では、第1の通信デバイスは、SIB1を伝送するために使用される様々な異なる情報をスケジューリング情報、キャリアの動作モード及び状態情報に追加する。状態情報は、第1の通信デバイスがSIB1を伝送するために使用されるキャリアを柔軟に構成できることを確保できる。1つの周期内で異なるセルのSIB1を伝送するためのキャリア位置が異なることを確保するために、いくつかのセルでは、SIB1がアンカーキャリア上で伝送されることが構成されてもよく、いくつかの他のセルでは、SIB1が非アンカーキャリア上で伝送されることが構成されてもよく、或いは、いくつかのセルでは、SIB1がアンカーキャリア上で伝送されることが構成されてもよく、いくつかの他のセルでは、SIB1がアンカーキャリア及び非アンカーキャリア上で伝送されることが構成されてもよい。このタイプの干渉分離メカニズムは、異なるセルのSIB1の伝送の間の相互干渉を回避でき、それにより、SIB1の伝送信頼性が改善できる。
【手続補正２７】
【補正対象書類名】明細書
【補正対象項目名】０１８４
【補正方法】変更
【補正の内容】
【０１８４】
この実施形態では、1つの周期内で異なるセルのSIB1を伝送するための時間領域位置及び/又はキャリア位置が異なることを確保するために、SIB1が非アンカーキャリア上で伝送されること、又は、SIB1がアンカーキャリア上で伝送されることが予め定義されてもよい。このタイプの干渉分離メカニズムは、異なるセルのSIB1の伝送の間の相互干渉を回避でき、それにより、SIB1の伝送信頼性が改善できる。さらに、この実施形態では、MIBシグナリングオーバヘッドを低減するために、非アンカーキャリア上のSIB1の伝送の伝送リソース又は繰り返し数は、キャリアの動作モードに結び付けられる。
【手続補正２８】
【補正対象書類名】明細書
【補正対象項目名】０１９１
【補正方法】変更
【補正の内容】
【０１９１】
この実施形態では、第1の通信デバイスは、SIB1を伝送するために使用される様々な異なる情報をスケジューリング情報、非アンカーキャリアの周波数領域位置情報及び非アンカーキャリア上のSIB1の伝送モード情報に追加する。1つの周期内で異なるセルのSIB1を伝送するための周波数領域位置が異なることを確保するために、異なるセルのSIB1が非アンカーキャリア上で伝送されることが確保でき、異なるセルが異なる非アンカーキャリアで構成されてもよい。このタイプの干渉分離メカニズムは、異なるセルのSIB1の伝送の間の相互干渉を回避でき、それにより、SIB1の伝送信頼性が改善できる。伝送リソースは、非アンカーキャリア上のSIB1の伝送信頼性を確保するために、基地局が非アンカーキャリアとアンカーキャリアとの間の電力差に基づいて、非アンカーキャリア上でSIB1を伝送するための伝送リソースと、非アンカーキャリア上のSIB1の伝送の繰り返し数とを構成できるように構成されてもよい。
【手続補正２９】
【補正対象書類名】明細書
【補正対象項目名】０２１１
【補正方法】変更
【補正の内容】
【０２１１】
例えば、キャリアの動作モードについて、NB-IoTが帯域内動作モード及びガードバンド動作モードを含むとき、アンカーキャリアの電力は非アンカーキャリアの電力よりも高い。したがって、SIB1が非アンカーキャリア上で伝送されるとき、非アンカーキャリア上のSIB1の伝送の繰り返し数は、アンカーキャリア上のSIB1の伝送の繰り返し数よりも大きいか、或いは、非アンカーキャリア上のSIB1の伝送の繰り返し数は、アンカーキャリア上のSIB1の伝送の繰り返し数と同じである。しかし、SIB1がアンカーキャリア上で一回伝送される繰り返し周期において、非アンカーキャリア上のSIB1の伝送は、アンカーキャリア上のSIB1の伝送よりも多い伝送リソースを必要とする。伝送リソースは、例えば、サブフレームである。
【国際調査報告】
2021503816.tif 000024
2021503816.tif 000025
2021503816.tif 000026
2021503816.tif 000027